(57)【要約】  ワイヤレス通信のための技法が説明される。ユーザ機器(UE)におけるワイヤレス通信のための方法は、ワイヤレスネットワークを通じてランダムアクセス手順の実行の間にUEの少なくとも2つのアンテナからプリコーダ選択信号を送信するステップと、ランダムアクセス手順の間にワイヤレスネットワークから、UEのための精緻化されたプリコーディング設定の指示を受信するステップとを含む。ネットワークアクセスデバイスにおけるワイヤレス通信のための方法は、UEによって実行されるランダムアクセス手順の間にUEから、UEの少なくとも2つのアンテナからのプリコーダ選択信号を受信するステップと、受信されたプリコーダ選択信号に少なくとも一部基づいてUEのための精緻化されたプリコーディング設定を特定するステップと、精緻化されたプリコーディング設定の指示をUEに送信するステップとを含む。
2019537295.tif 000002
【特許請求の範囲】
【請求項１】
ネットワークアクセスデバイスにおけるワイヤレス通信のための方法であって、
ユーザ機器(UE)によって実行されるランダムアクセス手順の間に前記UEから、前記UEの少なくとも2つのアンテナからのプリコーダ選択信号を受信するステップであって、前記プリコーダ選択信号のうちの少なくとも1つが前記UEの第1のアンテナからの第1の測定基準信号(MRS)を含む、ステップと、
前記受信されたプリコーダ選択信号に少なくとも一部基づいて前記UEに精緻化されたプリコーディング設定の指示を送信するステップとを含む、方法。
【請求項２】
前記プリコーダ選択信号のうちの少なくとも1つが前記UEの第2のアンテナからの第2のMRSを含む、請求項1に記載の方法。
【請求項３】
前記第1のMRSが、物理ランダムアクセスチャネル(PRACH)送信、または拡張PRACH(ePRACH)送信、または初期物理アップリンク共有チャネル(PUSCH)送信、またはこれらの組合せのうちの少なくとも1つとともに受信される、請求項1に記載の方法。
【請求項４】
前記ランダムアクセス手順の実行の間に前記UEから、前記精緻化されたプリコーディング設定の前記指示に少なくとも一部基づいて第1のプリコーダを使用して、または以前の成功したランダムアクセス手順の間に前記UEによって使用された第2のプリコーダを使用して、ePRACH送信または初期PUSCH送信を受信するステップをさらに含む、請求項1に記載の方法。
【請求項５】
前記ランダムアクセス手順の間の送信に適用されるべき前記精緻化されたプリコーディング設定の前記指示を送信するステップをさらに含む、請求項1に記載の方法。
【請求項６】
前記ランダムアクセス手順の後の送信に適用されるべき前記精緻化されたプリコーディング設定の前記指示を送信するステップをさらに含む、請求項1に記載の方法。
【請求項７】
ネットワークアクセスデバイスにおけるワイヤレス通信のための方法であって、
ユーザ機器(UE)によって実行されるランダムアクセス手順の間に前記UEから、前記UEの少なくとも2つのアンテナからのプリコーダ選択信号を受信するステップと、
前記受信されたプリコーダ選択信号に少なくとも一部基づいて前記UEのための精緻化されたプリコーディング設定を特定するステップと、
前記精緻化されたプリコーディング設定の指示を前記UEに送信するステップとを含む、方法。
【請求項８】
前記ランダムアクセス手順の実行の間に、ランダムアクセス応答(RAR)グラント、前記UEの初期物理アップリンク共有チャネル(PUSCH)送信のためのダウンリンク制御情報(DCI)スケジューリング情報、またはこれらの組合せのうちの少なくとも1つを含む送信を送信するステップをさらに含む、請求項7に記載の方法。
【請求項９】
同じ送信が少なくとも1つのプリコーダ選択信号パラメータを含み、前記少なくとも1つのプリコーダ選択信号パラメータが、前記プリコーダ選択信号の帯域幅、前記プリコーダ選択信号の巡回シフト、前記プリコーダ選択信号を送信すべきアンテナポートの数、またはこれらの組合せを含む、請求項8に記載の方法。
【請求項１０】
前記同じ送信が前記精緻化されたプリコーディング設定の前記指示を含む、請求項9に記載の方法。
【請求項１１】
前記指示される精緻化されたプリコーディング設定に従って前記UEから少なくとも1つの送信を受信するステップをさらに含み、前記少なくとも1つの送信が、初期PUSCH送信、前記初期PUSCH送信の再送信、またはこれらの組合せを含む、請求項7に記載の方法。
【請求項１２】
前記精緻化されたプリコーディング設定が、前記プリコーダ選択信号、以前のランダムアクセス手順の間に送信された、以前に送信されたプリコーダ選択信号、またはこれらの組合せに少なくとも一部基づいて特定される、請求項7に記載の方法。
【請求項１３】
ネットワークアクセスデバイスにおけるワイヤレス通信のための方法であって、
ユーザ機器(UE)によって実行されるランダムアクセス手順の間に前記UEから、前記UEの少なくとも2つのアンテナからのプリコーダ選択信号を受信するステップと、
前記受信されたプリコーダ選択信号に少なくとも一部基づいて前記UEに精緻化されたプリコーディング設定の指示を送信するステップと、
単一アンテナランダムアクセス手順と関連付けられるリソースの第1のセットの第1の指示と、複数アンテナランダムアクセス手順と関連付けられるリソースの第2のセットの第2の指示とを含む、システム情報を送信するステップとを含む、方法。
【請求項１４】
プリコーダ選択信号受信が有効であるという第1の指示、有効であるプリコーダ選択信号受信のタイプの第2の指示、またはこれらの組合せを含む、システム情報を送信するステップをさらに含み、前記プリコーダ選択信号が、少なくとも前記第1の指示または前記第2の指示を送信したことに応答して受信される、請求項13に記載の方法。
【請求項１５】
前記受信されたプリコーダ選択信号に少なくとも一部基づいて前記UEの能力を特定するステップをさらに含む、請求項13に記載の方法。
【請求項１６】
前記プリコーダ選択信号が、物理ランダムアクセスチャネル(PRACH)送信、または拡張PRACH(ePRACH)送信、または初期物理アップリンク共有チャネル(PUSCH)送信、またはこれらの組合せのうちの少なくとも1つとともに受信される、請求項15に記載の方法。
【請求項１７】
ネットワークアクセスデバイスにおけるワイヤレス通信のための方法であって、
ユーザ機器(UE)によって実行されるランダムアクセス手順の間に前記UEから、前記UEの少なくとも2つのアンテナからのプリコーダ選択信号を受信するステップであって、前記プリコーダ選択信号が、第1のプリコーダおよび事前に構成されたプリコーダサイクリングに従って前記UEの少なくとも第1のアンテナから受信された第1の復調基準信号(DMRS)とデータ送信の第1の部分とを含む、ステップと、
前記受信されたプリコーダ選択信号に少なくとも一部基づいて前記UEに精緻化されたプリコーディング設定の指示を送信するステップとを含む、方法。
【請求項１８】
前記プリコーダ選択信号がさらに、第2のプリコーダおよび前記事前に構成されたプリコーダサイクリングに従って、前記UEの少なくとも第2のアンテナから受信される第2のDMRSと前記データ送信の第2の部分とを含み、前記第2のプリコーダが前記第1のプリコーダと異なる、請求項17に記載の方法。
【請求項１９】
前記プリコーダ選択信号を受信するステップが、
事前に構成されたアンテナ回転に従って、前記UEの前記第1のアンテナから前記第1のDMRSと前記データ送信の前記第1の部分とを受信するステップと、
前記事前に構成されたアンテナ回転に従って、前記UEの前記第2のアンテナから前記第2のDMRSと前記データ送信の前記第2の部分とを受信するステップとを含む、請求項18に記載の方法。
【請求項２０】
前記データ送信の前記第1の部分と関連付けられる第1の誤り率を決定するステップと、
前記データ送信の前記第2の部分と関連付けられる第2の誤り率を決定するステップとをさらに含み、
前記精緻化されたプリコーディング設定の前記指示が、前記第1の誤り率および前記第2の誤り率に少なくとも一部基づく、請求項18に記載の方法。
【請求項２１】
前記データ送信が、ePRACH送信または初期物理アップリンク共有チャネル(PUSCH)送信のデータペイロードを含む、請求項17に記載の方法。
【請求項２２】
ユーザ機器(UE)におけるワイヤレス通信のための方法であって、
ランダムアクセス手順の間に、前記UEの少なくとも2つのアンテナからプリコーダ選択信号を送信するステップであって、前記プリコーダ選択信号のうちの少なくとも1つが前記UEの第1のアンテナからの第1の測定基準信号(MRS)を含む、ステップと、
前記ランダムアクセス手順の間に、前記送信されたプリコーダ選択信号に少なくとも一部基づいて、精緻化されたプリコーディング設定の指示を受信するステップとを含む、方法。
【請求項２３】
前記プリコーダ選択信号のうちの少なくとも1つが前記UEの第2のアンテナからの第2のMRSを含む、請求項22に記載の方法。
【請求項２４】
前記第1のMRSが、物理ランダムアクセスチャネル(PRACH)送信、または拡張PRACH(ePRACH)送信、または初期物理アップリンク共有チャネル(PUSCH)送信、またはこれらの組合せのうちの少なくとも1つとともに送信される、請求項22に記載の方法。
【請求項２５】
前記ランダムアクセス手順の間に、前記精緻化されたプリコーディング設定の前記指示に少なくとも一部基づいて第1のプリコーダを使用して、または以前の成功したランダムアクセス手順の間に前記UEによって使用された第2のプリコーダを使用して、ePRACH送信または初期PUSCH送信を送信するステップをさらに含む、請求項22に記載の方法。
【請求項２６】
前記ランダムアクセス手順の間の送信に前記精緻化されたプリコーディング設定を適用するステップをさらに含む、請求項22に記載の方法。
【請求項２７】
前記ランダムアクセス手順の後の送信に前記精緻化されたプリコーディング設定を適用するステップをさらに含む、請求項22に記載の方法。
【請求項２８】
ユーザ機器(UE)におけるワイヤレス通信のための方法であって、
ランダムアクセス手順の間に、前記UEの少なくとも2つのアンテナからプリコーダ選択信号を送信するステップと、
前記ランダムアクセス手順の間に、前記送信されたプリコーダ選択信号に少なくとも一部基づいて、精緻化されたプリコーディング設定を含む送信を受信するステップとを含む、方法。
【請求項２９】
前記送信が、ランダムアクセス応答(RAR)グラント、前記UEの初期物理アップリンク共有チャネル(PUSCH)送信のためのダウンリンク制御情報(DCI)スケジューリング情報、またはこれらの組合せのうちの少なくとも1つを含む、請求項28に記載の方法。
【請求項３０】
前記送信が少なくとも1つのプリコーダ選択信号パラメータを含み、前記少なくとも1つのプリコーダ選択信号パラメータが、前記プリコーダ選択信号の帯域幅、前記プリコーダ選択信号の巡回シフト、前記プリコーダ選択信号をそこから送信すべきアンテナポートの数、またはこれらの組合せを含む、請求項29に記載の方法。
【請求項３１】
前記ランダムアクセス手順の実行の間に、前記プリコーダ選択信号を含む、初期PUSCH送信、前記初期PUSCH送信の再送信、またはこれらの組合せを送信するステップをさらに含み、
前記プリコーダ選択信号が、前記初期PUSCH送信とともに送信され、少なくとも1つのプリコーダ選択信号パラメータに少なくとも一部基づく、請求項28に記載の方法。
【請求項３２】
前記精緻化されたプリコーディング設定が、前記プリコーダ選択信号、以前のランダムアクセス手順の間に送信された、以前に送信されたプリコーダ選択信号、またはこれらの組合せに少なくとも一部基づく、請求項28に記載の方法。
【請求項３３】
ユーザ機器(UE)におけるワイヤレス通信のための方法であって、
ランダムアクセス手順の間に、前記UEの少なくとも2つのアンテナからプリコーダ選択信号を送信するステップと、
前記ランダムアクセス手順の間に、前記送信されたプリコーダ選択信号に少なくとも一部基づいて、精緻化されたプリコーディング設定の指示を受信するステップと、
単一アンテナランダムアクセス手順と関連付けられるリソースの第1のセットの第1の指示と、複数アンテナランダムアクセス手順と関連付けられるリソースの第2のセットの第2の指示とを含む、システム情報を受信するステップとを含む、方法。
【請求項３４】
前記システム情報を受信したことに少なくとも一部基づいて、複数アンテナランダムアクセス手順と関連付けられるリソースのセットを特定するステップをさらに含み、
前記ランダムアクセス手順が、リソースの前記特定されたセット上でPRACHまたはePRACHのうちの少なくとも1つを送信するステップを含む、請求項33に記載の方法。
【請求項３５】
プリコーダ選択信号受信が有効であるという第1の指示、有効であるプリコーダ選択信号受信のタイプの第2の指示、またはこれらの組合せを含む、システム情報を受信するステップをさらに含み、前記プリコーダ選択信号が、少なくとも前記第1の指示または前記第2の指示を受信したことに応答して送信される、請求項33に記載の方法。
【請求項３６】
前記プリコーダ選択信号が、物理ランダムアクセスチャネル(PRACH)送信、または拡張PRACH(ePRACH)送信、または初期物理アップリンク共有チャネル(PUSCH)送信、またはこれらの組合せのうちの少なくとも1つとともに送信される、請求項33に記載の方法。
【請求項３７】
ユーザ機器(UE)におけるワイヤレス通信のための方法であって、
ランダムアクセス手順の間に、前記UEの少なくとも2つのアンテナからプリコーダ選択信号を送信するステップであって、前記プリコーダ選択信号が、第1のプリコーダおよび事前に構成されたプリコーダサイクリングに従って前記UEの少なくとも第1のアンテナから送信された第1の復調基準信号(DMRS)とデータ送信の第1の部分とを含む、ステップと、
前記ランダムアクセス手順の間に、前記送信されたプリコーダ選択信号に少なくとも一部基づいて、精緻化されたプリコーディング設定の指示を受信するステップとを含む、方法。
【請求項３８】
前記プリコーダ選択信号がさらに、第2のプリコーダおよび前記事前に構成されたプリコーダサイクリングに従って、前記UEの少なくとも第2のアンテナから送信される第2のDMRSと前記データ送信の第2の部分とを含み、前記第2のプリコーダが前記第1のプリコーダと異なる、請求項37に記載の方法。
【請求項３９】
前記プリコーダ選択信号を送信するステップが、
事前に構成されたアンテナ回転に従って、前記UEの前記第1のアンテナから前記第1のDMRSと前記データ送信の前記第1の部分とを送信するステップと、
前記事前に構成されたアンテナ回転に従って、前記UEの前記第2のアンテナから前記第2のDMRSと前記データ送信の前記第2の部分とを送信するステップとを含む、請求項38に記載の方法。
【請求項４０】
前記精緻化されたプリコーディング設定の前記指示が、第1の誤り率および第2の誤り率に少なくとも一部基づく、請求項37に記載の方法。
【請求項４１】
前記データ送信が、ePRACH送信または初期物理アップリンク共有チャネル(PUSCH)送信のデータペイロードを含む、請求項37に記載の方法。
【発明の詳細な説明】
【技術分野】
【０００１】
相互参照
本特許出願は、各々が本出願の譲受人に譲渡された、2017年9月1日に出願された「Precoding Management For Random Access Procedures」と題するPatelらによる米国特許出願第15/694,065号、および2016年9月30日に出願された「Precoding Management For Random Access Procedures」と題するPatelらによる米国仮特許出願第62/402,758号の優先権を主張する。
【０００２】
本開示は、たとえば、ワイヤレス通信システムに関し、より詳細には、ランダムアクセス手順のためのプリコーディング管理に関する。
【背景技術】
【０００３】
ワイヤレス通信システムは、音声、ビデオ、パケットデータ、メッセージング、ブロードキャストなどの、様々なタイプの通信コンテンツを提供するために広く展開されている。これらのシステムは、利用可能なシステムリソース(たとえば、時間、周波数、および電力)を共有することによって、複数のユーザとの通信をサポートすることが可能な多元接続システムであり得る。そのような多元接続システムの例には、符号分割多元接続(CDMA)システム、時分割多元接続(TDMA)システム、周波数分割多元接続(FDMA)システム、および直交周波数分割多元接続(OFDMA)システムがある。
【０００４】
ワイヤレス多元接続通信システムは、ユーザ機器(UE)としても知られている複数の通信デバイスのための通信を各々が同時にサポートする、いくつかのネットワークアクセスデバイスを含み得る。Long-Term Evolution (LTE)ネットワークまたはLTE-Advanced(LTE-A)ネットワークでは、ネットワークアクセスデバイスは基地局の形態をとることがあり、1つまたは複数の基地局のセットがeNodeB(eNB)を定義する。他の例では(たとえば、次世代new radio (NR)または5Gネットワークでは)、ネットワークアクセスデバイスは、スマートラジオヘッド(またはラジオヘッド(RH))またはアクセスノードコントローラ(ANC)の形態をとることがあり、スマートラジオヘッドのセットはeNBを定義するANCと通信している。基地局またはスマートラジオヘッドは、(たとえば、基地局またはスマートラジオヘッドからUEへの送信のための)ダウンリンクチャネル上および(たとえば、UEから基地局またはスマートラジオヘッドへの送信のための)アップリンクチャネル上で、UEのセットと通信し得る。
【０００５】
ワイヤレスネットワークに最初にアクセスするとき、またはある期間の後でワイヤレスネットワークにアクセスするとき、UEはランダムアクセス手順を実行してワイヤレスネットワークへのアクセスを得ることがある。
【発明の概要】
【課題を解決するための手段】
【０００６】
ワイヤレス通信の方法が説明される。方法は、UEによって実行されるランダムアクセス手順の間にUEから、UEの少なくとも2つのアンテナからのプリコーダ選択信号を受信するステップであって、プリコーダ選択信号のうちの少なくとも1つがUEの第1のアンテナからの第1の測定基準信号(MRS)を含む、ステップと、受信されたプリコーダ選択信号に少なくとも一部基づいて、精緻化されたプリコーディング設定の指示をUEに送信するステップとを含み得る。
【０００７】
ワイヤレス通信のための装置が説明される。装置は、UEによって実行されるランダムアクセス手順の間にUEから、UEの少なくとも2つのアンテナからのプリコーダ選択信号を受信するための手段であって、プリコーダ選択信号のうちの少なくとも1つがUEの第1のアンテナからの第1のMRSを含む、手段と、受信されたプリコーダ選択信号に少なくとも一部基づいて、精緻化されたプリコーディング設定の指示をUEに送信するための手段とを含み得る。
【０００８】
ワイヤレス通信のための別の装置が説明される。装置は、プロセッサ、プロセッサと電子通信しているメモリ、およびメモリの中に記憶された命令を含み得る。命令は、プロセッサに、ユーザ機器によって実行されるランダムアクセス手順の間にUEから、UEの少なくとも2つのアンテナからのプリコーダ選択信号を受信させ、プリコーダ選択信号のうちの少なくとも1つがUEの第1のアンテナからの第1のMRSを含み、受信されたプリコーダ選択信号に少なくとも一部基づいて、精緻化されたプリコーディング設定の指示をUEへ送信させるように動作可能であり得る。
【０００９】
ワイヤレス通信のための非一時的コンピュータ可読媒体が説明される。非一時的コンピュータ可読媒体は、プロセッサに、UEによって実行されるランダムアクセス手順の間にUEから、UEの少なくとも2つのアンテナからのプリコーダ選択信号を受信させ、プリコーダ選択信号のうちの少なくとも1つがUEの第1のアンテナからの第1のMRSを含み、受信されたプリコーダ選択信号に少なくとも一部基づいて、精緻化されたプリコーディング設定の指示をUEへ送信させるように動作可能な、命令を含み得る。
【００１０】
上で説明された方法、装置、および非一時的コンピュータ可読媒体のいくつかの例では、プリコーダ選択信号のうちの少なくとも1つはUEの第2のアンテナからの第2のMRSを含む。上で説明された方法、装置、および非一時的コンピュータ可読媒体のいくつかの例では、第1のMRSは、物理ランダムアクセスチャネル(PRACH)送信、または拡張PRACH(ePRACH)送信、または初期物理アップリンク共有チャネル(PUSCH)送信、またはこれらの組合せのうちの少なくとも1つとともに受信され得る。
【００１１】
上で説明された方法、装置、および非一時的コンピュータ可読媒体のいくつかの例はさらに、ランダムアクセス手順の間にUEから、精緻化されたプリコーディング設定の指示に少なくとも一部基づいて第1のプリコーダを使用して、または以前の成功したランダムアクセス手順の間にUEによって使用された第2のプリコーダを使用して、ePRACH送信または初期PUSCH送信を受信するための、プロセス、特徴、手段、または命令を含み得る。上で説明された方法、装置、および非一時的コンピュータ可読媒体のいくつかの例はさらに、ランダムアクセス手順の間の送信に適用されるべき精緻化されたプリコーディング設定の指示を送信するための、プロセス、特徴、手段、または命令を含み得る。上で説明された方法、装置、および非一時的コンピュータ可読媒体のいくつかの例はさらに、ランダムアクセス手順の後の送信に適用されるべき精緻化されたプリコーディング設定の指示を送信するための、プロセス、特徴、手段、または命令を含み得る。
【００１２】
ワイヤレス通信の方法が説明される。方法は、UEによって実行されるランダムアクセス手順の間にUEから、UEの少なくとも2つのアンテナからのプリコーダ選択信号を受信するステップと、受信されたプリコーダ選択信号に少なくとも一部基づいてUEのための精緻化されたプリコーディング設定を特定するステップと、精緻化されたプリコーディング設定の指示をUEに送信するステップとを含み得る。
【００１３】
ワイヤレス通信のための装置が説明される。装置は、UEによって実行されるランダムアクセス手順の間にUEから、UEの少なくとも2つのアンテナからのプリコーダ選択信号を受信するための手段と、受信されたプリコーダ選択信号に少なくとも一部基づいてUEのための精緻化されたプリコーディング設定を特定するための手段と、精緻化されたプリコーディング設定の指示をUEに送信するための手段とを含み得る。
【００１４】
ワイヤレス通信のための別の装置が説明される。装置は、プロセッサ、プロセッサと電子通信しているメモリ、およびメモリの中に記憶された命令を含み得る。命令は、プロセッサに、UEによって実行されるランダムアクセス手順の間にUEから、UEの少なくとも2つのアンテナからのプリコーダ選択信号を受信させ、受信されたプリコーダ選択信号に少なくとも一部基づいてUEのための精緻化されたプリコーディング設定を特定させ、精緻化されたプリコーディング設定の指示をUEへ送信させるように動作可能であり得る。
【００１５】
ワイヤレス通信のための非一時的コンピュータ可読媒体が説明される。非一時的コンピュータ可読媒体は、プロセッサに、UEによって実行されるランダムアクセス手順の間にUEから、UEの少なくとも2つのアンテナからのプリコーダ選択信号を受信させ、受信されたプリコーダ選択信号に少なくとも一部基づいてUEのための精緻化されたプリコーディング設定を特定させ、精緻化されたプリコーディング設定の指示をUEへ送信させるように動作可能な、命令を含み得る。
【００１６】
上で説明された方法、装置、および非一時的コンピュータ可読媒体のいくつかの例はさらに、ランダムアクセス手順の実行の間に、ランダムアクセス応答(RAR)グラント、UEの初期PUSCH送信のためのダウンリンク制御情報(DCI)スケジューリング情報、またはこれらの組合せのうちの少なくとも1つを含む送信を送信するための、プロセス、特徴、手段、または命令を含み得る。
【００１７】
上で説明された方法、装置、および非一時的コンピュータ可読媒体のいくつかの例では、同じ送信が少なくとも1つのプリコーダ選択信号パラメータを含み、少なくとも1つのプリコーダ選択信号パラメータが、プリコーダ選択信号の帯域幅、プリコーダ選択信号の巡回シフト、プリコーダ選択信号を送信すべきアンテナポートの数、またはこれらの組合せを含む。上で説明された方法、装置、および非一時的コンピュータ可読媒体のいくつかの例では、同じ送信は精緻化されたプリコーディング設定の指示を含む。
【００１８】
上で説明された方法、装置、および非一時的コンピュータ可読媒体のいくつかの例はさらに、指示される精緻化されたプリコーディング設定に従ってUEから少なくとも1つの送信を受信するための、プロセス、特徴、手段、または命令を含むことがあり、少なくとも1つの送信は、初期PUSCH送信、初期PUSCH送信の再送信、またはこれらの組合せを含む。
【００１９】
上で説明された方法、装置、および非一時的コンピュータ可読媒体のいくつかの例では、精緻化されたプリコーディング設定は、プリコーダ選択信号、以前のランダムアクセス手順の間に送信された、以前に送信されたプリコーダ選択信号、またはこれらの組合せに少なくとも一部基づいて特定され得る。
【００２０】
ワイヤレス通信の方法が説明される。方法は、UEによって実行されるランダムアクセス手順の間にUEから、UEの少なくとも2つのアンテナからのプリコーダ選択信号を受信するステップと、受信されたプリコーダ選択信号に少なくとも一部基づいて、精緻化されたプリコーディング設定の指示をUEに送信するステップと、単一アンテナランダムアクセス手順と関連付けられるリソースの第1のセットの第1の指示と、複数アンテナランダムアクセス手順と関連付けられるリソースの第2のセットの第2の指示とを含む、システム情報を送信するステップとを含み得る。
【００２１】
ワイヤレス通信のための装置が説明される。装置は、UEによって実行されるランダムアクセス手順の間にUEから、UEの少なくとも2つのアンテナからのプリコーダ選択信号を受信するための手段と、受信されたプリコーダ選択信号に少なくとも一部基づいて、精緻化されたプリコーディング設定の指示をUEに送信するための手段と、単一アンテナランダムアクセス手順と関連付けられるリソースの第1のセットの第1の指示と、複数アンテナランダムアクセス手順と関連付けられるリソースの第2のセットの第2の指示とを含む、システム情報を送信するための手段とを含み得る。
【００２２】
ワイヤレス通信のための別の装置が説明される。装置は、プロセッサ、プロセッサと電子通信しているメモリ、およびメモリの中に記憶された命令を含み得る。命令は、プロセッサに、UEによって実行されるランダムアクセス手順の間にUEから、UEの少なくとも2つのアンテナからのプリコーダ選択信号を受信させ、受信されたプリコーダ選択信号に少なくとも一部基づいて、精緻化されたプリコーディング設定の指示をUEへ送信させ、単一アンテナランダムアクセス手順と関連付けられるリソースの第1のセットの第1の指示と、複数アンテナランダムアクセス手順と関連付けられるリソースの第2のセットの第2の指示とを含む、システム情報を送信させるように動作可能であり得る。
【００２３】
ワイヤレス通信のための非一時的コンピュータ可読媒体が説明される。非一時的コンピュータ可読媒体は、プロセッサに、UEによって実行されるランダムアクセス手順の間にUEから、UEの少なくとも2つのアンテナからのプリコーダ選択信号を受信させ、受信されたプリコーダ選択信号に少なくとも一部基づいて、精緻化されたプリコーディング設定の指示をUEへ送信させ、単一アンテナランダムアクセス手順と関連付けられるリソースの第1のセットの第1の指示と、複数アンテナランダムアクセス手順と関連付けられるリソースの第2のセットの第2の指示とを含む、システム情報を送信させるように動作可能な、命令を含み得る。
【００２４】
上で説明された方法、装置、および非一時的コンピュータ可読媒体のいくつかの例はさらに、プリコーダ選択信号受信が有効であり得るという第1の指示、有効にされ得るプリコーダ選択信号受信のタイプの第2の指示、またはこれらの組合せを含む、システム情報を送信するための、プロセス、特徴、手段、または命令を含むことがあり、プリコーダ選択信号は、少なくとも第1の指示または第2の指示を送信したことに応答して受信されることがある。
【００２５】
上で説明された方法、装置、および非一時的コンピュータ可読媒体のいくつかの例はさらに、受信されたプリコーダ選択信号に少なくとも一部基づいてUEの能力を特定するための、プロセス、特徴、手段、または命令を含み得る。上で説明された方法、装置、および非一時的コンピュータ可読媒体のいくつかの例では、プリコーダ選択信号は、PRACH送信、またはePRACH送信、または初期PUSCH送信、またはこれらの組合せのうちの少なくとも1つとともに受信され得る。
【００２６】
ワイヤレス通信の方法が説明される。方法は、UEによって実行されるランダムアクセス手順の間にUEから、UEの少なくとも2つのアンテナからのプリコーダ選択信号を受信するステップであって、プリコーダ選択信号が、第1のプリコーダおよび事前に構成されたプリコーダサイクリングに従ってUEの少なくとも第1のアンテナから受信された第1の復調基準信号(DMRS)とデータ送信の第1の部分とを含む、ステップと、受信されたプリコーダ選択信号に少なくとも一部基づいて、精緻化されたプリコーディング設定の指示をUEに送信するステップとを含み得る。
【００２７】
ワイヤレス通信のための装置が説明される。装置は、UEによって実行されるランダムアクセス手順の間にUEから、UEの少なくとも2つのアンテナからのプリコーダ選択信号を受信するための手段であって、プリコーダ選択信号が、第1のプリコーダおよび事前に構成されたプリコーダサイクリングに従ってUEの少なくとも第1のアンテナから受信された第1のDMRSとデータ送信の第1の部分とを含む、手段と、受信されたプリコーダ選択信号に少なくとも一部基づいて、精緻化されたプリコーディング設定の指示をUEに送信するための手段とを含み得る。
【００２８】
ワイヤレス通信のための別の装置が説明される。装置は、プロセッサ、プロセッサと電子通信しているメモリ、およびメモリの中に記憶された命令を含み得る。命令は、プロセッサに、ユーザ機器UEによって実行されるランダムアクセス手順の間にUEから、UEの少なくとも2つのアンテナからのプリコーダ選択信号を受信させ、プリコーダ選択信号が、第1のプリコーダおよび事前に構成されたプリコーダサイクリングに従ってUEの少なくとも第1のアンテナから受信された第1のDMRSとデータ送信の第1の部分とを含み、受信されたプリコーダ選択信号に少なくとも一部基づいて、精緻化されたプリコーディング設定の指示をUEへ送信させるように動作可能であり得る。
【００２９】
ワイヤレス通信のための非一時的コンピュータ可読媒体が説明される。非一時的コンピュータ可読媒体は、プロセッサに、UEによって実行されるランダムアクセス手順の間にUEから、UEの少なくとも2つのアンテナからのプリコーダ選択信号を受信させ、プリコーダ選択信号が、第1のプリコーダおよび事前に構成されたプリコーダサイクリングに従ってUEの少なくとも第1のアンテナから受信された第1のDMRSとデータ送信の第1の部分とを含み、受信されたプリコーダ選択信号に少なくとも一部基づいて、精緻化されたプリコーディング設定の指示をUEへ送信させるように動作可能な、命令を含み得る。
【００３０】
上で説明された方法、装置、および非一時的コンピュータ可読媒体のいくつかの例では、プリコーダ選択信号はさらに、第2のプリコーダおよび事前に構成されたプリコーダサイクリングに従って、UEの少なくとも第2のアンテナから受信される第2のDMRSとデータ送信の第2の部分とを含み、第2のプリコーダは第1のプリコーダと異なる。
【００３１】
上で説明された方法、装置、および非一時的コンピュータ可読媒体のいくつかの例では、プリコーダ選択信号を受信するステップは、事前に構成されたアンテナ回転に従って、UEの第1のアンテナから第1のDMRSとデータ送信の第1の部分とを受信するステップを含む。上で説明された方法、装置、および非一時的コンピュータ可読媒体のいくつかの例はさらに、事前に構成されたアンテナ回転に従って、UEの第2のアンテナから第2のDMRSとデータ送信の第2の部分とを受信するための、プロセス、特徴、手段、または命令を含み得る。
【００３２】
上で説明された方法、装置、および非一時的コンピュータ可読媒体のいくつかの例はさらに、データ送信の第1の部分と関連付けられる第1の誤り率を決定するための、プロセス、特徴、手段、または命令を含み得る。上で説明された方法、装置、および非一時的コンピュータ可読媒体のいくつかの例はさらに、データ送信の第2の部分と関連付けられる第2の誤り率を決定するための、プロセス、特徴、手段、または命令を含むことがあり、精緻化されたプリコーディング設定の指示は、第1の誤り率および第2の誤り率に少なくとも一部基づくことがある。
【００３３】
上で説明された方法、装置、および非一時的コンピュータ可読媒体のいくつかの例では、データ送信はePRACH送信または初期PUSCH送信のデータペイロードを含む。
【００３４】
ワイヤレス通信の方法が説明される。方法は、ランダムアクセス手順の間に、UEの少なくとも2つのアンテナからプリコーダ選択信号を送信するステップであって、プリコーダ選択信号のうちの少なくとも1つがUEの第1のアンテナからの第1のMRSを含む、ステップと、ランダムアクセス手順の間に、送信されたプリコーダ選択信号に少なくとも一部基づいて、精緻化されたプリコーディング設定の指示を受信するステップとを含み得る。
【００３５】
ワイヤレス通信のための装置が説明される。装置は、ランダムアクセス手順の間に、UEの少なくとも2つのアンテナからプリコーダ選択信号を送信するための手段であって、プリコーダ選択信号のうちの少なくとも1つがUEの第1のアンテナからの第1のMRSを含む、手段と、ランダムアクセス手順の間に、送信されたプリコーダ選択信号に少なくとも一部基づいて、精緻化されたプリコーディング設定の指示を受信するための手段とを含み得る。
【００３６】
ワイヤレス通信のための別の装置が説明される。装置は、プロセッサ、プロセッサと電子通信しているメモリ、およびメモリの中に記憶された命令を含み得る。命令は、プロセッサに、ランダムアクセス手順の間に、UEの少なくとも2つのアンテナからプリコーダ選択信号を送信させ、プリコーダ選択信号のうちの少なくとも1つがUEの第1のアンテナからの第1のMRSを含み、ランダムアクセス手順の間に、送信されたプリコーダ選択信号に少なくとも一部基づいて、精緻化されたプリコーディング設定の指示を受信させるように動作可能であり得る。
【００３７】
ワイヤレス通信のための非一時的コンピュータ可読媒体が説明される。非一時的コンピュータ可読媒体は、プロセッサに、ランダムアクセス手順の間に、UEの少なくとも2つのアンテナからプリコーダ選択信号を送信させ、プリコーダ選択信号のうちの少なくとも1つがUEの第1のアンテナからの第1のMRSを含み、ランダムアクセス手順の間に、送信されたプリコーダ選択信号に少なくとも一部基づいて、精緻化されたプリコーディング設定の指示を受信させるように動作可能な、命令を含み得る。
【００３８】
上で説明された方法、装置、および非一時的コンピュータ可読媒体のいくつかの例では、プリコーダ選択信号のうちの少なくとも1つはUEの第2のアンテナからの第2のMRSを含む。上で説明された方法、装置、および非一時的コンピュータ可読媒体のいくつかの例では、第1のMRSは、PRACH送信、またはePRACH送信、または初期PUSCH送信、またはこれらの組合せのうちの少なくとも1つとともに送信され得る。
【００３９】
上で説明された方法、装置、および非一時的コンピュータ可読媒体のいくつかの例はさらに、ランダムアクセス手順の間に、精緻化されたプリコーディング設定の指示に少なくとも一部基づいて第1のプリコーダを使用して、または以前の成功したランダムアクセス手順の間にUEによって使用された第2のプリコーダを使用して、ePRACH送信または初期PUSCH送信を送信するための、プロセス、特徴、手段、または命令を含み得る。
【００４０】
上で説明された方法、装置、および非一時的コンピュータ可読媒体のいくつかの例はさらに、ランダムアクセス手順の間の送信に精緻化されたプリコーディング設定を適用するための、プロセス、特徴、手段、または命令を含み得る。上で説明された方法、装置、および非一時的コンピュータ可読媒体のいくつかの例はさらに、ランダムアクセス手順の後の送信に精緻化されたプリコーディング設定を適用するための、プロセス、特徴、手段、または命令を含み得る。
【００４１】
ワイヤレス通信の方法が説明される。方法は、ランダムアクセス手順の間に、UEの少なくとも2つのアンテナからプリコーダ選択信号を送信するステップと、ランダムアクセス手順の間に、送信されたプリコーダ選択信号に少なくとも一部基づいて、精緻化されたプリコーディング設定を含む送信を受信するステップとを含み得る。
【００４２】
ワイヤレス通信のための装置が説明される。装置は、ランダムアクセス手順の間に、UEの少なくとも2つのアンテナからプリコーダ選択信号を送信するための手段と、ランダムアクセス手順の間に、送信されたプリコーダ選択信号に少なくとも一部基づいて、精緻化されたプリコーディング設定を含む送信を受信するための手段とを含み得る。
【００４３】
ワイヤレス通信のための別の装置が説明される。装置は、プロセッサ、プロセッサと電子通信しているメモリ、およびメモリの中に記憶された命令を含み得る。命令は、プロセッサに、ランダムアクセス手順の間に、UEの少なくとも2つのアンテナからプリコーダ選択信号を送信させ、ランダムアクセス手順の間に、送信されたプリコーダ選択信号に少なくとも一部基づいて、精緻化されたプリコーディング設定を含む送信を受信させるように動作可能であり得る。
【００４４】
ワイヤレス通信のための非一時的コンピュータ可読媒体が説明される。非一時的コンピュータ可読媒体は、プロセッサに、ランダムアクセス手順の間に、UEの少なくとも2つのアンテナからプリコーダ選択信号を送信させ、ランダムアクセス手順の間に、送信されたプリコーダ選択信号に少なくとも一部基づいて、精緻化されたプリコーディング設定を含む送信を受信させるように動作可能な、命令を含み得る。
【００４５】
上で説明された方法、装置、および非一時的コンピュータ可読媒体のいくつかの例では、送信は、RARグラント、UEの初期PUSCH送信のためのDCIスケジューリング情報、またはこれらの組合せのうちの少なくとも1つを含む。上で説明された方法、装置、および非一時的コンピュータ可読媒体のいくつかの例では、同じ送信が少なくとも1つのプリコーダ選択信号パラメータを含み、少なくとも1つのプリコーダ選択信号パラメータが、プリコーダ選択信号の帯域幅、プリコーダ選択信号の巡回シフト、プリコーダ選択信号を送信すべきアンテナポートの数、またはこれらの組合せを含む。
【００４６】
上で説明された方法、装置、および非一時的コンピュータ可読媒体のいくつかの例はさらに、ランダムアクセス手順の実行の間に、プリコーダ選択信号を含む、初期PUSCH送信、初期PUSCH送信の再送信、またはこれらの組合せを送信するための、プロセス、特徴、手段、または命令を含むことがあり、プリコーダ選択信号は、初期PUSCH送信とともに送信されることがあり、少なくとも1つのプリコーダ選択信号パラメータに少なくとも一部基づくことがある。
【００４７】
上で説明された方法、装置、および非一時的コンピュータ可読媒体のいくつかの例では、精緻化されたプリコーディング設定は、プリコーダ選択信号、以前のランダムアクセス手順の間に送信された、以前に送信されたプリコーダ選択信号、またはこれらの組合せに少なくとも一部基づき得る。
【００４８】
ワイヤレス通信の方法が説明される。方法は、ランダムアクセス手順の間に、UEの少なくとも2つのアンテナからプリコーダ選択信号を送信するステップと、ランダムアクセス手順の間に、送信されたプリコーダ選択信号に少なくとも一部基づいて、精緻化されたプリコーディング設定の指示を受信するステップと、単一アンテナランダムアクセス手順と関連付けられるリソースの第1のセットの第1の指示と、複数アンテナランダムアクセス手順と関連付けられるリソースの第2のセットの第2の指示とを含む、システム情報を受信するステップとを含み得る。
【００４９】
ワイヤレス通信のための装置が説明される。装置は、ランダムアクセス手順の間に、UEの少なくとも2つのアンテナからプリコーダ選択信号を送信するための手段と、ランダムアクセス手順の間に、送信されたプリコーダ選択信号に少なくとも一部基づいて、精緻化されたプリコーディング設定の指示を受信するための手段と、単一アンテナランダムアクセス手順と関連付けられるリソースの第1のセットの第1の指示と、複数アンテナランダムアクセス手順と関連付けられるリソースの第2のセットの第2の指示とを含む、システム情報を受信するための手段とを含み得る。
【００５０】
ワイヤレス通信のための別の装置が説明される。装置は、プロセッサ、プロセッサと電子通信しているメモリ、およびメモリの中に記憶された命令を含み得る。命令は、プロセッサに、ランダムアクセス手順の間に、UEの少なくとも2つのアンテナからプリコーダ選択信号を送信させ、ランダムアクセス手順の間に、送信されたプリコーダ選択信号に少なくとも一部基づいて、精緻化されたプリコーディング設定の指示を受信させ、単一アンテナランダムアクセス手順と関連付けられるリソースの第1のセットの第1の指示と、複数アンテナランダムアクセス手順と関連付けられるリソースの第2のセットの第2の指示とを含む、システム情報を受信させるように動作可能であり得る。
【００５１】
ワイヤレス通信のための非一時的コンピュータ可読媒体が説明される。非一時的コンピュータ可読媒体は、プロセッサに、ランダムアクセス手順の間に、UEの少なくとも2つのアンテナからプリコーダ選択信号を送信させ、ランダムアクセス手順の間に、送信されたプリコーダ選択信号に少なくとも一部基づいて、精緻化されたプリコーディング設定の指示を受信させ、単一アンテナランダムアクセス手順と関連付けられるリソースの第1のセットの第1の指示と、複数アンテナランダムアクセス手順と関連付けられるリソースの第2のセットの第2の指示とを含む、システム情報を受信させるように動作可能な、命令を含み得る。
【００５２】
上で説明された方法、装置、および非一時的コンピュータ可読媒体のいくつかの例はさらに、システム情報を受信したことに少なくとも一部基づいて、複数アンテナランダムアクセス手順と関連付けられるリソースのセットを特定するための、プロセス、特徴、手段、または命令を含むことがあり、ランダムアクセス手順は、リソースの特定されたセット上でPRACHまたはePRACHのうちの少なくとも1つを送信することを含む。
【００５３】
上で説明された方法、装置、および非一時的コンピュータ可読媒体のいくつかの例はさらに、プリコーダ選択信号受信が有効であり得るという第1の指示、有効であり得るプリコーダ選択信号受信のタイプの第2の指示、またはこれらの組合せを含む、システム情報を受信するための、プロセス、特徴、手段、または命令を含むことがあり、プリコーダ選択信号は、少なくとも第1の指示または第2の指示を受信したことに応答して送信されることがある。上で説明された方法、装置、および非一時的コンピュータ可読媒体のいくつかの例では、プリコーダ選択信号は、PRACH送信、またはePRACH送信、または初期PUSCH送信、またはこれらの組合せのうちの少なくとも1つとともに送信され得る。
【００５４】
ワイヤレス通信の方法が説明される。方法は、ランダムアクセス手順の間に、UEの少なくとも2つのアンテナからプリコーダ選択信号を送信するステップであって、プリコーダ選択信号が、第1のプリコーダおよび事前に構成されたプリコーダサイクリングに従ってUEの少なくとも第1のアンテナから送信された第1のDMRSとデータ送信の第1の部分とを含む、ステップと、ランダムアクセス手順の間に、受信されたプリコーダ選択信号に少なくとも一部基づいて、精緻化されたプリコーディング設定の指示を受信するステップとを含み得る。
【００５５】
ワイヤレス通信のための装置が説明される。装置は、ランダムアクセス手順の間に、UEの少なくとも2つのアンテナからプリコーダ選択信号を送信するための手段であって、プリコーダ選択信号が、第1のプリコーダおよび事前に構成されたプリコーダサイクリングに従ってUEの少なくとも第1のアンテナから送信された第1のDMRSとデータ送信の第1の部分とを含む、手段と、ランダムアクセス手順の間に、受信されたプリコーダ選択信号に少なくとも一部基づいて、精緻化されたプリコーディング設定の指示を受信するための手段とを含み得る。
【００５６】
ワイヤレス通信のための別の装置が説明される。装置は、プロセッサ、プロセッサと電子通信しているメモリ、およびメモリの中に記憶された命令を含み得る。命令は、プロセッサに、ランダムアクセス手順の間に、UEの少なくとも2つのアンテナからプリコーダ選択信号を送信させ、プリコーダ選択信号が、第1のプリコーダおよび事前に構成されたプリコーダサイクリングに従ってUEの少なくとも第1のアンテナから送信された第1のDMRSとデータ送信の第1の部分とを含み、ランダムアクセス手順の間に、受信されたプリコーダ選択信号に少なくとも一部基づいて、精緻化されたプリコーディング設定の指示を受信させるように動作可能であり得る。
【００５７】
ワイヤレス通信のための非一時的コンピュータ可読媒体が説明される。非一時的コンピュータ可読媒体は、プロセッサに、ランダムアクセス手順の間に、UEの少なくとも2つのアンテナからプリコーダ選択信号を送信させ、プリコーダ選択信号が、第1のプリコーダおよび事前に構成されたプリコーダサイクリングに従ってUEの少なくとも第1のアンテナから送信された第1のDMRSとデータ送信の第1の部分とを含み、ランダムアクセス手順の間に、受信されたプリコーダ選択信号に少なくとも一部基づいて、精緻化されたプリコーディング設定の指示を受信させるように動作可能な、命令を含み得る。
【００５８】
上で説明された方法、装置、および非一時的コンピュータ可読媒体のいくつかの例では、プリコーダ選択信号はさらに、第2のプリコーダおよび事前に構成されたプリコーダサイクリングに従って、UEの少なくとも第2のアンテナから送信される第2のDMRSとデータ送信の第2の部分とを含み、第2のプリコーダは第1のプリコーダと異なる。
【００５９】
上で説明された方法、装置、および非一時的コンピュータ可読媒体のいくつかの例では、プリコーダ選択信号を送信するステップは、事前に構成されたアンテナ回転に従って、UEの第1のアンテナから第1のDMRSとデータ送信の第1の部分とを送信するステップを含む。上で説明された方法、装置、および非一時的コンピュータ可読媒体のいくつかの例はさらに、事前に構成されたアンテナ回転に従って、UEの第2のアンテナから第2のDMRSとデータ送信の第2の部分とを送信するための、プロセス、特徴、手段、または命令を含み得る。
【００６０】
上で説明された方法、装置、および非一時的コンピュータ可読媒体のいくつかの例では、精緻化されたプリコーディング設定の指示は、第1の誤り率および第2の誤り率に少なくとも一部基づき得る。上で説明された方法、装置、および非一時的コンピュータ可読媒体のいくつかの例では、データ送信はePRACH送信または初期PUSCH送信のデータペイロードを含む。
【００６１】
UEにおけるワイヤレス通信のための方法が説明される。方法は、ワイヤレスネットワークを通じてランダムアクセス手順の実行の間にUEの少なくとも2つのアンテナからプリコーダ選択信号を送信するステップと、ランダムアクセス手順の間にワイヤレスネットワークから、UEのための精緻化されたプリコーディング設定の指示を受信するステップとを含み得る。
【００６２】
方法のいくつかの例では、プリコーダ選択信号を送信するステップは、第1のアンテナから第1のMRSを送信するステップと、第2のアンテナから第2のMRSを送信するステップとを含み得る。いくつかの例では、第1のMRSおよび第2のMRSは、PRACH送信、またはePRACH送信、または初期PUSCH送信、またはこれらの組合せのうちの少なくとも1つとともに送信され得る。いくつかの例では、方法は、ランダムアクセス手順の実行の間に、UEのための精緻化されたプリコーディング設定の指示に少なくとも一部基づいて第1のプリコーダを使用して、または以前の成功したランダムアクセス手順の間にUEによって使用された第2のプリコーダを使用して、ePRACH送信または初期PUSCH送信を送信するステップを含み得る。
【００６３】
方法のいくつかの例では、プリコーダ選択信号を送信するステップは、事前に構成されたアンテナ回転に従って、第1のアンテナから第1のDMRSとデータ送信の第1の部分とを送信するステップと、事前に構成されたアンテナ回転に従って、第2のアンテナから第2のDMRSとデータ送信の第2の部分とを送信するステップとを含み得る。いくつかの例では、データ送信は、ePRACH送信または初期PUSCH送信のデータペイロードを含み得る。
【００６４】
方法のいくつかの例では、プリコーダ選択信号を送信するステップは、事前に構成されたプリコーダサイクリングに従って、第1のプリコーダを使用して少なくとも第1のアンテナおよび第2のアンテナから第1のDMRSとデータ送信の第1の部分とを送信するステップと、事前に構成されたプリコーダサイクリングに従って、第2のプリコーダを使用して少なくとも第1のアンテナおよび第2のアンテナから第2のDMRSとデータ送信の第2の部分とを送信するステップとを含み得る。第2のプリコーダは第1のプリコーダと異なり得る。いくつかの例では、データ送信は、ePRACH送信または初期PUSCH送信のデータペイロードを含み得る。
【００６５】
いくつかの例では、方法は、UEのための精緻化されたプリコーディング設定をランダムアクセス手順における少なくとも1つの送信に適用するステップを含み得る。いくつかの例では、少なくとも1つの送信は、初期PUSCH送信、または初期PUSCH送信の再送信、またはこれらの組合せのうちの少なくとも1つを含み得る。いくつかの例では、方法は、UEのための精緻化されたプリコーディング設定をランダムアクセス手順の後の少なくとも1つの送信に適用するステップを含み得る。
【００６６】
いくつかの例では、方法は、プリコーダ選択信号受信が有効であるという第1の指示、または有効であるプリコーダ選択信号受信のタイプの第2の指示、またはこれらの組合せを含む、システム情報を受信するステップを含むことがあり、プリコーダ選択信号は、少なくとも第1の指示または第2の指示を受信したことに応答して送信されることがある。いくつかの例では、方法は、ランダムアクセス手順の実行の間に、RARグラント、または初期PUSCH送信のためのDCIスケジューリング情報、またはこれらの組合せのうちの少なくとも1つを含む送信を受信するステップを含み得る。いくつかの例では、この送信は少なくとも1つのプリコーダ選択信号パラメータを含むことがあり、少なくとも1つのプリコーダ選択信号パラメータは、プリコーダ選択信号の帯域幅、またはプリコーダ選択信号の巡回シフト、またはプリコーダ選択信号を送信すべきアンテナポートの数、またはこれらの組合せを含むことがある。いくつかの例では、方法は、ランダムアクセス手順の実行の間に、初期PUSCHを送信するステップを含むことがあり、プリコーダ選択信号は、初期PUSCHとともに送信され、少なくとも1つのプリコーダ選択信号パラメータに少なくとも一部基づくことがある。いくつかの例では、UEのための精緻化されたプリコーディング設定の指示は、この送信において受信され得る。
【００６７】
方法のいくつかの例では、精緻化されたプリコーディング設定は、プリコーダ選択信号、またはUEによって実行された以前のランダムアクセス手順の間に送信された、以前に送信されたプリコーダ選択信号、またはこれらの組合せに少なくとも一部基づき得る。いくつかの例では、方法は、複数アンテナランダムアクセス手順と関連付けられるリソースのセットを特定するステップを含むことがあり、ランダムアクセス手順を実行するステップは、リソースの特定されたセット上でPRACHまたはePRACHのうちの少なくとも1つを送信するステップを含むことがある。
【００６８】
UEにおけるワイヤレス通信のための装置が説明される。装置は、ワイヤレスネットワークを通じてランダムアクセス手順の実行の間にUEの少なくとも2つのアンテナからプリコーダ選択信号を送信するための手段と、ランダムアクセス手順の間にワイヤレスネットワークから、UEのための精緻化されたプリコーディング設定の指示を受信するための手段とを含み得る。
【００６９】
装置のいくつかの例では、プリコーダ選択信号を送信するための手段は、第1のアンテナから第1のMRSを送信するための手段と、第2のアンテナから第2のMRSを送信するための手段とを含み得る。いくつかの例では、第1のMRSおよび第2のMRSは、PRACH送信、またはePRACH送信、または初期PUSCH送信、またはこれらの組合せのうちの少なくとも1つとともに送信され得る。いくつかの例では、装置は、ランダムアクセス手順の実行の間に、UEのための精緻化されたプリコーディング設定の指示に少なくとも一部基づいて第1のプリコーダを使用して、または以前の成功したランダムアクセス手順の間にUEによって使用された第2のプリコーダを使用して、ePRACH送信または初期PUSCH送信を送信するための手段を含み得る。
【００７０】
装置のいくつかの例では、プリコーダ選択信号を送信するための手段は、事前に構成されたアンテナ回転に従って、第1のアンテナからDMRSとデータ送信の第1の部分とを送信するための手段と、事前に構成されたアンテナ回転に従って、第2のアンテナから第2のDMRSとデータ送信の第2の部分とを送信するための手段とを含み得る。いくつかの例では、データ送信は、ePRACH送信または初期PUSCH送信のデータペイロードを含み得る。
【００７１】
装置のいくつかの例では、プリコーダ選択信号を送信するための手段は、事前に構成されたプリコーダサイクリングに従って、第1のプリコーダを使用して少なくとも第1のアンテナおよび第2のアンテナから第1のDMRSとデータ送信の第1の部分とを送信するための手段と、事前に構成されたプリコーダサイクリングに従って、第2のプリコーダを使用して少なくとも第1のアンテナおよび第2のアンテナから第2のDMRSとデータ送信の第2の部分とを送信するための手段とを含み得る。第2のプリコーダは第1のプリコーダと異なり得る。いくつかの例では、データ送信は、ePRACH送信または初期PUSCH送信のデータペイロードを含み得る。
【００７２】
いくつかの例では、装置は、UEのための精緻化されたプリコーディング設定をランダムアクセス手順における少なくとも1つの送信に適用するための手段を含み得る。いくつかの例では、少なくとも1つの送信は、初期PUSCH送信、または初期PUSCH送信の再送信、またはこれらの組合せのうちの少なくとも1つを含み得る。いくつかの例では、装置は、UEのための精緻化されたプリコーディング設定をランダムアクセス手順の後の少なくとも1つの送信に適用するステップを含み得る。
【００７３】
いくつかの例では、装置は、プリコーダ選択信号受信が有効であるという第1の指示、または有効であるプリコーダ選択信号受信のタイプの第2の指示、またはこれらの組合せを含む、システム情報を受信するための手段を含むことがあり、プリコーダ選択信号は、少なくとも第1の指示または第2の指示を受信したことに応答して送信されることがある。いくつかの例では、装置は、ランダムアクセス手順の実行の間に、RARグラント、または初期PUSCH送信のためのDCIスケジューリング情報、またはこれらの組合せのうちの少なくとも1つを含む送信を受信するための手段を含み得る。いくつかの例では、この送信は少なくとも1つのプリコーダ選択信号パラメータを含むことがあり、少なくとも1つのプリコーダ選択信号パラメータは、プリコーダ選択信号の帯域幅、またはプリコーダ選択信号の巡回シフト、またはプリコーダ選択信号を送信すべきアンテナポートの数、またはこれらの組合せを含むことがある。いくつかの例では、装置は、ランダムアクセス手順の実行の間に、初期PUSCHを送信するための手段を含むことがあり、プリコーダ選択信号は、初期PUSCHとともに送信され、少なくとも1つのプリコーダ選択信号パラメータに少なくとも一部基づくことがある。いくつかの例では、UEのための精緻化されたプリコーディング設定の指示は、この送信において受信され得る。
【００７４】
装置のいくつかの例では、精緻化されたプリコーディング設定は、プリコーダ選択信号、またはUEによって実行された以前のランダムアクセス手順の間に送信された、以前に送信されたプリコーダ選択信号、またはこれらの組合せに少なくとも一部基づき得る。いくつかの例では、装置は、複数アンテナランダムアクセス手順と関連付けられるリソースのセットを特定するための手段を含むことがあり、ランダムアクセス手順を実行することは、リソースの特定されたセット上でPRACHまたはePRACHのうちの少なくとも1つを送信することを含むことがある。
【００７５】
UEにおけるワイヤレス通信のための別の装置が説明される。装置は、プロセッサ、プロセッサと電子通信しているメモリ、およびメモリの中に記憶された命令を含み得る。命令は、ワイヤレスネットワークを通じてランダムアクセス手順の実行の間にUEの少なくとも2つのアンテナからプリコーダ選択信号を送信し、ランダムアクセス手順の間にワイヤレスネットワークから、UEのための精緻化されたプリコーディング設定の指示を受信するように、プロセッサによって実行可能であり得る。
【００７６】
装置のいくつかの例では、プリコーダ選択信号を送信するようにプロセッサによって実行可能な命令は、第1のアンテナから第1のMRSを送信し、第2のアンテナから第2のMRSを送信するように、プロセッサによって実行可能な命令を含み得る。いくつかの例では、第1のMRSおよび第2のMRSは、PRACH送信、またはePRACH送信、または初期PUSCH送信、またはこれらの組合せのうちの少なくとも1つとともに送信され得る。いくつかの例では、装置は、ランダムアクセス手順の実行の間に、UEのための精緻化されたプリコーディング設定の指示に少なくとも一部基づいて第1のプリコーダを使用して、または以前の成功したランダムアクセス手順の間にUEによって使用された第2のプリコーダを使用して、ePRACH送信または初期PUSCH送信を送信するように、プロセッサによって実行可能な命令を含み得る。
【００７７】
装置のいくつかの例では、プリコーダ選択信号を送信するようにプロセッサによって実行可能な命令は、事前に構成されたアンテナ回転に従って、第1のアンテナから第1のDMRSとデータ送信の第1の部分とを送信し、事前に構成されたアンテナ回転に従って、第2のアンテナから第2のDMRSとデータ送信の第2の部分とを送信するように、プロセッサによって実行可能な命令を含み得る。いくつかの例では、データ送信は、ePRACH送信または初期PUSCH送信のデータペイロードを含み得る。
【００７８】
装置のいくつかの例では、プリコーダ選択信号を送信するようにプロセッサによって実行可能な命令は、事前に構成されたプリコーダサイクリングに従って、第1のプリコーダを使用して少なくとも第1のアンテナおよび第2のアンテナから第1のDMRSとデータ送信の第1の部分とを送信し、事前に構成されたプリコーダサイクリングに従って、第2のプリコーダを使用して少なくとも第1のアンテナおよび第2のアンテナから第2のDMRSとデータ送信の第2の部分とを送信するように、プロセッサによって実行可能な命令を含み得る。第2のプリコーダは第1のプリコーダと異なり得る。いくつかの例では、データ送信は、ePRACH送信または初期PUSCH送信のデータペイロードを含み得る。
【００７９】
いくつかの例では、装置は、UEのための精緻化されたプリコーディング設定をランダムアクセス手順における少なくとも1つの送信に適用するように、プロセッサによって実行可能な命令を含み得る。いくつかの例では、少なくとも1つの送信は、初期PUSCH送信、または初期PUSCH送信の再送信、またはこれらの組合せのうちの少なくとも1つを含み得る。いくつかの例では、装置は、UEのための精緻化されたプリコーディング設定をランダムアクセス手順の後の少なくとも1つの送信に適用するように、プロセッサによって実行可能な命令を含み得る。
【００８０】
いくつかの例では、装置は、プリコーダ選択信号受信が有効であるという第1の指示、または有効であるプリコーダ選択信号受信のタイプの第2の指示、またはこれらの組合せを含む、システム情報を受信するように、プロセッサによって実行可能な命令を含むことがあり、プリコーダ選択信号は、少なくとも第1の指示または第2の指示を受信したことに応答して送信されることがある。いくつかの例では、装置は、ランダムアクセス手順の実行の間に、RARグラント、または初期PUSCH送信のためのDCIスケジューリング情報、またはこれらの組合せのうちの少なくとも1つを含む送信を受信するように、プロセッサによって実行可能な命令を含むことがある。いくつかの例では、この送信は少なくとも1つのプリコーダ選択信号パラメータを含むことがあり、少なくとも1つのプリコーダ選択信号パラメータは、プリコーダ選択信号の帯域幅、またはプリコーダ選択信号の巡回シフト、またはプリコーダ選択信号を送信すべきアンテナポートの数、またはこれらの組合せを含むことがある。いくつかの例では、装置は、ランダムアクセス手順の実行の間に、初期PUSCHを送信するようにプロセッサによって実行可能な命令を含むことがあり、プリコーダ選択信号は、初期PUSCHとともに送信され、少なくとも1つのプリコーダ選択信号パラメータに少なくとも一部基づくことがある。いくつかの例では、UEのための精緻化されたプリコーディング設定の指示は、この送信において受信され得る。
【００８１】
装置のいくつかの例では、精緻化されたプリコーディング設定は、プリコーダ選択信号、またはUEによって実行された以前のランダムアクセス手順の間に送信された、以前に送信されたプリコーダ選択信号、またはこれらの組合せに少なくとも一部基づき得る。いくつかの例では、装置は、複数アンテナランダムアクセス手順と関連付けられるリソースのセットを特定するように、プロセッサによって実行可能な命令を含むことがあり、ランダムアクセス手順を実行することは、リソースの特定されたセット上でPRACHまたはePRACHのうちの少なくとも1つを送信することを含むことがある。
【００８２】
UEにおけるワイヤレス通信のためのコンピュータ実行可能コードを記憶する非一時的コンピュータ可読媒体が説明される。コードは、ワイヤレスネットワークを通じてランダムアクセス手順の実行の間にUEの少なくとも2つのアンテナからプリコーダ選択信号を送信し、ランダムアクセス手順の間にワイヤレスネットワークから、UEのための精緻化されたプリコーディング設定の指示を受信するように、プロセッサによって実行可能であり得る。
【００８３】
非一時的コンピュータ可読媒体のいくつかの例では、プリコーダ選択信号を送信するようにプロセッサによって実行可能なコードは、第1のアンテナから第1のMRSを送信し、第2のアンテナから第2のMRSを送信するように、プロセッサによって実行可能なコードを含み得る。いくつかの例では、第1のMRSおよび第2のMRSは、PRACH送信、またはePRACH送信、または初期PUSCH送信、またはこれらの組合せのうちの少なくとも1つとともに送信され得る。いくつかの例では、非一時的コンピュータ可読媒体は、ランダムアクセス手順の実行の間に、UEのための精緻化されたプリコーディング設定の指示に少なくとも一部基づいて第1のプリコーダを使用して、または以前の成功したランダムアクセス手順の間にUEによって使用された第2のプリコーダを使用して、ePRACH送信または初期PUSCH送信を送信するように、プロセッサによって実行可能なコードを含み得る。
【００８４】
非一時的コンピュータ可読媒体のいくつかの例では、プリコーダ選択信号を送信するようにプロセッサによって実行可能なコードは、事前に構成されたアンテナ回転に従って、第1のアンテナから第1のDMRSとデータ送信の第1の部分とを送信し、事前に構成されたアンテナ回転に従って、第2のアンテナから第2のDMRSとデータ送信の第2の部分とを送信するように、プロセッサによって実行可能なコードを含み得る。いくつかの例では、データ送信は、ePRACH送信または初期PUSCH送信のデータペイロードを含み得る。
【００８５】
非一時的コンピュータ可読媒体のいくつかの例では、プリコーダ選択信号を送信するようにプロセッサによって実行可能なコードは、事前に構成されたプリコーダサイクリングに従って、第1のプリコーダを使用して少なくとも第1のアンテナおよび第2のアンテナから第1のDMRSとデータ送信の第1の部分とを送信し、事前に構成されたプリコーダサイクリングに従って、第2のプリコーダを使用して少なくとも第1のアンテナおよび第2のアンテナから第2のDMRSとデータ送信の第2の部分とを送信するように、プロセッサによって実行可能なコードを含み得る。第2のプリコーダは第1のプリコーダと異なり得る。いくつかの例では、データ送信は、ePRACH送信または初期PUSCH送信のデータペイロードを含み得る。
【００８６】
いくつかの例では、非一時的コンピュータ可読媒体は、UEのための精緻化されたプリコーディング設定をランダムアクセス手順における少なくとも1つの送信に適用するように、プロセッサによって実行可能なコードを含み得る。いくつかの例では、少なくとも1つの送信は、初期PUSCH送信、または初期PUSCH送信の再送信、またはこれらの組合せのうちの少なくとも1つを含み得る。いくつかの例では、非一時的コンピュータ可読媒体は、UEのための精緻化されたプリコーディング設定をランダムアクセス手順の後の少なくとも1つの送信に適用するように、プロセッサによって実行可能なコードを含み得る。
【００８７】
いくつかの例では、非一時的コンピュータ可読媒体は、プリコーダ選択信号受信が有効であるという第1の指示、または有効であるプリコーダ選択信号受信のタイプの第2の指示、またはこれらの組合せを含む、システム情報を受信するように、プロセッサによって実行可能なコードを含むことがあり、プリコーダ選択信号は、少なくとも第1の指示または第2の指示を受信したことに応答して送信されることがある。いくつかの例では、非一時的コンピュータ可読媒体は、ランダムアクセス手順の実行の間に、RARグラント、または初期PUSCH送信のためのDCIスケジューリング情報、またはこれらの組合せのうちの少なくとも1つを含む送信を受信するように、プロセッサによって実行可能なコードを含むことがある。いくつかの例では、この送信は少なくとも1つのプリコーダ選択信号パラメータを含むことがあり、少なくとも1つのプリコーダ選択信号パラメータは、プリコーダ選択信号の帯域幅、またはプリコーダ選択信号の巡回シフト、またはプリコーダ選択信号を送信すべきアンテナポートの数、またはこれらの組合せを含むことがある。いくつかの例では、非一時的コンピュータ可読媒体は、ランダムアクセス手順の実行の間に、初期PUSCHを送信するようにプロセッサによって実行可能なコードを含むことがあり、プリコーダ選択信号は、初期PUSCHとともに送信され、少なくとも1つのプリコーダ選択信号パラメータに少なくとも一部基づくことがある。いくつかの例では、UEのための精緻化されたプリコーディング設定の指示は、この送信において受信され得る。
【００８８】
非一時的コンピュータ可読媒体のいくつかの例では、精緻化されたプリコーディング設定は、プリコーダ選択信号、またはUEによって実行された以前のランダムアクセス手順の間に送信された、以前に送信されたプリコーダ選択信号、またはこれらの組合せに少なくとも一部基づき得る。いくつかの例では、非一時的コンピュータ可読媒体は、複数アンテナランダムアクセス手順と関連付けられるリソースのセットを特定するように、プロセッサによって実行可能なコードを含むことがあり、ランダムアクセス手順を実行することは、リソースの特定されたセット上でPRACHまたはePRACHのうちの少なくとも1つを送信することを含むことがある。
【００８９】
ネットワークアクセスデバイスにおけるワイヤレス通信のための方法が説明される。方法は、UEによって実行されるランダムアクセス手順の間にUEから、UEの少なくとも2つのアンテナからのプリコーダ選択信号を受信するステップと、受信されたプリコーダ選択信号に少なくとも一部基づいてUEのための精緻化されたプリコーディング設定を特定するステップと、精緻化されたプリコーディング設定の指示をUEに送信するステップとを含み得る。
【００９０】
方法のいくつかの例では、プリコーダ選択信号を受信するステップは、UEの第1のアンテナから第1のMRSを受信するステップと、UEの第2のアンテナから第2のMRSを受信するステップとを含み得る。いくつかの例では、第1のMRSおよび第2のMRSは、PRACH送信、またはePRACH送信、または初期PUSCH送信、またはこれらの組合せのうちの少なくとも1つとともに受信され得る。
【００９１】
方法のいくつかの例では、プリコーダ選択信号を受信するステップは、事前に構成されたアンテナ回転に従って、UEの第1のアンテナから第1のDMRSとデータ送信の第1の部分とを受信するステップと、事前に構成されたアンテナ回転に従って、UEの第2のアンテナから第2のDMRSとデータ送信の第2の部分とを受信するステップとを含み得る。いくつかの例では、データ送信は、ePRACH送信または初期PUSCH送信のデータペイロードを含み得る。いくつかの例では、方法は、データ送信の第1の部分と関連付けられる第1の誤り率を決定するステップと、データ送信の第2の部分と関連付けられる第2の誤り率を決定するステップとを含むことがあり、UEのための精緻化されたプリコーディング設定は、第1の誤り率および第2の誤り率に少なくとも一部基づいて特定されることがある。
【００９２】
方法のいくつかの例では、プリコーダ選択信号を受信するステップは、第1のプリコーダおよび事前に構成されたプリコーダサイクリングに従って、UEの少なくとも第1のアンテナおよび第2のアンテナから第1のDMRSとデータ送信の第1の部分とを受信するステップと、第2のプリコーダおよび事前に構成されたプリコーダサイクリングに従って、UEの少なくとも第1のアンテナおよび第2のアンテナから第2のDMRSとデータ送信の第2の部分とを受信するステップとを含み得る。第2のプリコーダは第1のプリコーダと異なり得る。いくつかの例では、データ送信は、ePRACH送信または初期PUSCH送信のデータペイロードを含み得る。いくつかの例では、方法は、データ送信の第1の部分と関連付けられる第1の誤り率を決定するステップと、データ送信の第2の部分と関連付けられる第2の誤り率を決定するステップとを含むことがあり、UEのための精緻化されたプリコーディング設定は、第1の誤り率および第2の誤り率に少なくとも一部基づいて特定されることがある。
【００９３】
いくつかの例では、方法は、指示される精緻化されたプリコーディング設定に従ってUEから少なくとも1つの送信を受信するステップを含み得る。少なくとも1つの送信は、初期PUSCH送信、または初期PUSCH送信の再送信、またはこれらの組合せを含み得る。いくつかの例では、方法は、プリコーダ選択信号受信が有効であるという第1の指示、または有効であるプリコーダ選択信号受信のタイプの第2の指示、またはこれらの組合せを含む、システム情報を送信するステップを含むことがあり、プリコーダ選択信号は、少なくとも第1の指示または第2の指示を送信したことに応答して受信されることがある。
【００９４】
いくつかの例では、方法は、ランダムアクセス手順の実行の間に、RARグラント、またはUEの初期PUSCH送信のためのDCIスケジューリング情報、またはこれらの組合せのうちの少なくとも1つを含む送信を送信するステップを含み得る。いくつかの例では、送信は、少なくとも1つのプリコーダ選択信号パラメータを含み得る。少なくとも1つのプリコーダ選択信号パラメータは、プリコーダ選択信号の帯域幅、またはプリコーダ選択信号の巡回シフト、またはプリコーダ選択信号を送信すべきアンテナポートの数、またはこれらの組合せを含み得る。いくつかの例では、精緻化されたプリコーディング設定の指示はこの送信に含まれ得る。いくつかの例では、方法は、単一アンテナランダムアクセス手順と関連付けられるリソースの第1のセットの第1の指示と、複数アンテナランダムアクセス手順と関連付けられるリソースの第2のセットの第2の指示とを含む、システム情報を送信するステップを含み得る。
【００９５】
ネットワークアクセスデバイスにおけるワイヤレス通信のための装置が説明される。装置は、UEによって実行されるランダムアクセス手順の間にUEから、UEの少なくとも2つのアンテナからのプリコーダ選択信号を受信するための手段と、受信されたプリコーダ選択信号に少なくとも一部基づいてUEのための精緻化されたプリコーディング設定を特定するための手段と、精緻化されたプリコーディング設定の指示をUEに送信するための手段とを含み得る。
【００９６】
装置のいくつかの例では、プリコーダ選択信号を受信するための手段は、UEの第1のアンテナから第1のMRSを受信するための手段と、UEの第2のアンテナから第2のMRSを受信するための手段とを含み得る。いくつかの例では、第1のMRSおよび第2のMRSは、PRACH送信、またはePRACH送信、または初期PUSCH送信、またはこれらの組合せのうちの少なくとも1つとともに受信され得る。
【００９７】
装置のいくつかの例では、プリコーダ選択信号を受信するための手段は、事前に構成されたアンテナ回転に従って、UEの第1のアンテナから第1のDMRSとデータ送信の第1の部分とを受信するための手段と、事前に構成されたアンテナ回転に従って、UEの第2のアンテナから第2のDMRSとデータ送信の第2の部分とを受信するための手段とを含み得る。いくつかの例では、データ送信は、ePRACH送信または初期PUSCH送信のデータペイロードを含み得る。いくつかの例では、装置は、データ送信の第1の部分と関連付けられる第1の誤り率を決定するための手段と、データ送信の第2の部分と関連付けられる第2の誤り率を決定するための手段とを含むことがあり、UEのための精緻化されたプリコーディング設定は、第1の誤り率および第2の誤り率に少なくとも一部基づいて特定されることがある。
【００９８】
装置のいくつかの例では、プリコーダ選択信号を受信するための手段は、第1のプリコーダおよび事前に構成されたプリコーダサイクリングに従って、UEの少なくとも第1のアンテナおよび第2のアンテナから第1のDMRSとデータ送信の第1の部分とを受信するための手段と、第2のプリコーダおよび事前に構成されたプリコーダサイクリングに従って、UEの少なくとも第1のアンテナおよび第2のアンテナから第2のDMRSとデータ送信の第2の部分とを受信するための手段とを含み得る。第2のプリコーダは第1のプリコーダと異なり得る。いくつかの例では、データ送信は、ePRACH送信または初期PUSCH送信のデータペイロードを含み得る。いくつかの例では、装置は、データ送信の第1の部分と関連付けられる第1の誤り率を決定するための手段と、データ送信の第2の部分と関連付けられる第2の誤り率を決定するための手段とを含むことがあり、UEのための精緻化されたプリコーディング設定は、第1の誤り率および第2の誤り率に少なくとも一部基づいて特定されることがある。
【００９９】
いくつかの例では、装置は、指示される精緻化されたプリコーディング設定に従ってUEから少なくとも1つの送信を受信するための手段を含み得る。少なくとも1つの送信は、初期PUSCH送信、または初期PUSCH送信の再送信、またはこれらの組合せを含み得る。いくつかの例では、装置は、プリコーダ選択信号受信が有効であるという第1の指示、または有効であるプリコーダ選択信号受信のタイプの第2の指示、またはこれらの組合せを含む、システム情報を送信するための手段を含むことがあり、プリコーダ選択信号は、少なくとも第1の指示または第2の指示を送信したことに応答して受信されることがある。
【０１００】
いくつかの例では、装置は、ランダムアクセス手順の実行の間に、RARグラント、またはUEの初期PUSCH送信のためのDCIスケジューリング情報、またはこれらの組合せのうちの少なくとも1つを含む送信を送信するための手段を含み得る。いくつかの例では、送信は、少なくとも1つのプリコーダ選択信号パラメータを含み得る。少なくとも1つのプリコーダ選択信号パラメータは、プリコーダ選択信号の帯域幅、またはプリコーダ選択信号の巡回シフト、またはプリコーダ選択信号を送信すべきアンテナポートの数、またはこれらの組合せを含み得る。いくつかの例では、精緻化されたプリコーディング設定の指示はこの送信に含まれ得る。いくつかの例では、装置は、単一アンテナランダムアクセス手順と関連付けられるリソースの第1のセットの第1の指示と、複数アンテナランダムアクセス手順と関連付けられるリソースの第2のセットの第2の指示とを含む、システム情報を送信するための手段を含み得る。
【０１０１】
UEにおけるワイヤレス通信のための別の装置が説明される。装置は、プロセッサ、プロセッサと電子通信しているメモリ、およびメモリの中に記憶された命令を含み得る。命令は、UEによって実行されるランダムアクセス手順の間にUEから、UEの少なくとも2つのアンテナからのプリコーダ選択信号を受信し、受信されたプリコーダ選択信号に少なくとも一部基づいてUEのための精緻化されたプリコーディング設定を特定し、精緻化されたプリコーディング設定の指示をUEへ送信するように、プロセッサによって実行可能であり得る。
【０１０２】
装置のいくつかの例では、プリコーダ選択信号を受信するようにプロセッサによって実行可能な命令は、UEの第1のアンテナから第1のMRSを受信し、UEの第2のアンテナから第2のMRSを受信するように、プロセッサによって実行可能な命令を含み得る。いくつかの例では、第1のMRSおよび第2のMRSは、PRACH送信、またはePRACH送信、または初期PUSCH送信、またはこれらの組合せのうちの少なくとも1つとともに受信され得る。
【０１０３】
装置のいくつかの例では、プリコーダ選択信号を受信するようにプロセッサによって実行可能な命令は、事前に構成されたアンテナ回転に従って、UEの第1のアンテナから第1のDMRSとデータ送信の第1の部分とを受信し、事前に構成されたアンテナ回転に従って、UEの第2のアンテナから第2のDMRSとデータ送信の第2の部分とを受信するように、プロセッサによって実行可能な命令を含み得る。いくつかの例では、データ送信は、ePRACH送信または初期PUSCH送信のデータペイロードを含み得る。いくつかの例では、装置は、データ送信の第1の部分と関連付けられる第1の誤り率を決定し、データ送信の第2の部分と関連付けられる第2の誤り率を決定するように、プロセッサによって実行可能な命令を含むことがあり、UEのための精緻化されたプリコーディング設定は、第1の誤り率および第2の誤り率に少なくとも一部基づいて特定されることがある。
【０１０４】
装置のいくつかの例では、プリコーダ選択信号を受信するようにプロセッサによって実行可能な命令は、第1のプリコーダおよび事前に構成されたプリコーダサイクリングに従って、UEの少なくとも第1のアンテナおよび第2のアンテナから第1のDMRSとデータ送信の第1の部分とを受信し、第2のプリコーダおよび事前に構成されたプリコーダサイクリングに従って、UEの少なくとも第1のアンテナおよび第2のアンテナから第2のDMRSとデータ送信の第2の部分とを受信するように、プロセッサによって実行可能な命令を含み得る。第2のプリコーダは第1のプリコーダと異なり得る。いくつかの例では、データ送信は、ePRACH送信または初期PUSCH送信のデータペイロードを含み得る。いくつかの例では、装置は、データ送信の第1の部分と関連付けられる第1の誤り率を決定し、データ送信の第2の部分と関連付けられる第2の誤り率を決定するように、プロセッサによって実行可能な命令を含むことがあり、UEのための精緻化されたプリコーディング設定は、第1の誤り率および第2の誤り率に少なくとも一部基づいて特定されることがある。
【０１０５】
いくつかの例では、装置は、指示される精緻化されたプリコーディング設定に従ってUEから少なくとも1つの送信を受信するように、プロセッサによって実行可能な命令を含み得る。少なくとも1つの送信は、初期PUSCH送信、または初期PUSCH送信の再送信、またはこれらの組合せを含み得る。いくつかの例では、装置は、プリコーダ選択信号受信が有効であるという第1の指示、または有効であるプリコーダ選択信号受信のタイプの第2の指示、またはこれらの組合せを含む、システム情報を送信するための手段を含むことがあり、プリコーダ選択信号は、少なくとも第1の指示または第2の指示を送信したことに応答して受信されることがある。
【０１０６】
いくつかの例では、装置は、ランダムアクセス手順の実行の間に、RARグラント、またはUEの初期PUSCH送信のためのDCIスケジューリング情報、またはこれらの組合せのうちの少なくとも1つを含む送信を送信するように、プロセッサによって実行可能な命令を含み得る。いくつかの例では、送信は、少なくとも1つのプリコーダ選択信号パラメータを含み得る。少なくとも1つのプリコーダ選択信号パラメータは、プリコーダ選択信号の帯域幅、またはプリコーダ選択信号の巡回シフト、またはプリコーダ選択信号を送信すべきアンテナポートの数、またはこれらの組合せを含み得る。いくつかの例では、精緻化されたプリコーディング設定の指示はこの送信に含まれ得る。いくつかの例では、装置は、単一アンテナランダムアクセス手順と関連付けられるリソースの第1のセットの第1の指示と、複数アンテナランダムアクセス手順と関連付けられるリソースの第2のセットの第2の指示とを含む、システム情報を送信するように、プロセッサによって実行可能な命令を含み得る。
【０１０７】
UEにおけるワイヤレス通信のためのコンピュータ実行可能コードを記憶する非一時的コンピュータ可読媒体が説明される。コードは、UEによって実行されるランダムアクセス手順の間にUEから、UEの少なくとも2つのアンテナからのプリコーダ選択信号を受信し、受信されたプリコーダ選択信号に少なくとも一部基づいてUEのための精緻化されたプリコーディング設定を特定し、精緻化されたプリコーディング設定の指示をUEへ送信するように、プロセッサによって実行可能であり得る。
【０１０８】
非一時的コンピュータ可読媒体のいくつかの例では、プリコーダ選択信号を受信するようにプロセッサによって実行可能なコードは、UEの第1のアンテナから第1のMRSを受信し、UEの第2のアンテナから第2のMRSを受信するように、プロセッサによって実行可能なコードを含み得る。いくつかの例では、第1のMRSおよび第2のMRSは、PRACH送信、またはePRACH送信、または初期PUSCH送信、またはこれらの組合せのうちの少なくとも1つとともに受信され得る。
【０１０９】
非一時的コンピュータ可読媒体のいくつかの例では、プリコーダ選択信号を受信するようにプロセッサによって実行可能なコードは、事前に構成されたアンテナ回転に従って、UEの第1のアンテナから第1のDMRSとデータ送信の第1の部分とを受信し、事前に構成されたアンテナ回転に従って、UEの第2のアンテナから第2のDMRSとデータ送信の第2の部分とを受信するように、プロセッサによって実行可能なコードを含み得る。いくつかの例では、データ送信は、ePRACH送信または初期PUSCH送信のデータペイロードを含み得る。いくつかの例では、非一時的コンピュータ可読媒体は、データ送信の第1の部分と関連付けられる第1の誤り率を決定し、データ送信の第2の部分と関連付けられる第2の誤り率を決定するように、プロセッサによって実行可能なコードを含むことがあり、UEのための精緻化されたプリコーディング設定は、第1の誤り率および第2の誤り率に少なくとも一部基づいて特定されることがある。
【０１１０】
非一時的コンピュータ可読媒体のいくつかの例では、プリコーダ選択信号を受信するようにプロセッサによって実行可能なコードは、第1のプリコーダおよび事前に構成されたプリコーダサイクリングに従って、UEの少なくとも第1のアンテナおよび第2のアンテナから第1のDMRSとデータ送信の第1の部分とを受信し、第2のプリコーダおよび事前に構成されたプリコーダサイクリングに従って、UEの少なくとも第1のアンテナおよび第2のアンテナから第2のDMRSとデータ送信の第2の部分とを受信するように、プロセッサによって実行可能なコードを含み得る。第2のプリコーダは第1のプリコーダと異なり得る。いくつかの例では、データ送信は、ePRACH送信または初期PUSCH送信のデータペイロードを含み得る。いくつかの例では、非一時的コンピュータ可読媒体は、データ送信の第1の部分と関連付けられる第1の誤り率を決定し、データ送信の第2の部分と関連付けられる第2の誤り率を決定するように、プロセッサによって実行可能なコードを含むことがあり、UEのための精緻化されたプリコーディング設定は、第1の誤り率および第2の誤り率に少なくとも一部基づいて特定されることがある。
【０１１１】
いくつかの例では、非一時的コンピュータ可読媒体は、指示される精緻化されたプリコーディング設定に従ってUEから少なくとも1つの送信を受信するように、プロセッサによって実行可能なコードを含み得る。少なくとも1つの送信は、初期PUSCH送信、または初期PUSCH送信の再送信、またはこれらの組合せを含み得る。いくつかの例では、非一時的コンピュータ可読媒体は、プリコーダ選択信号受信が有効であるという第1の指示、または有効であるプリコーダ選択信号受信のタイプの第2の指示、またはこれらの組合せを含む、システム情報を送信するための手段を含むことがあり、プリコーダ選択信号は、少なくとも第1の指示または第2の指示を送信したことに応答して受信されることがある。
【０１１２】
いくつかの例では、非一時的コンピュータ可読媒体は、ランダムアクセス手順の実行の間に、RARグラント、またはUEの初期PUSCH送信のためのDCIスケジューリング情報、またはこれらの組合せのうちの少なくとも1つを含む送信を送信するように、プロセッサによって実行可能なコードを含むことがある。いくつかの例では、送信は、少なくとも1つのプリコーダ選択信号パラメータを含み得る。少なくとも1つのプリコーダ選択信号パラメータは、プリコーダ選択信号の帯域幅、またはプリコーダ選択信号の巡回シフト、またはプリコーダ選択信号を送信すべきアンテナポートの数、またはこれらの組合せを含み得る。いくつかの例では、精緻化されたプリコーディング設定の指示はこの送信に含まれ得る。いくつかの例では、非一時的コンピュータ可読媒体は、単一アンテナランダムアクセス手順と関連付けられるリソースの第1のセットの第1の指示と、複数アンテナランダムアクセス手順と関連付けられるリソースの第2のセットの第2の指示とを含む、システム情報を送信するように、プロセッサによって実行可能なコードを含み得る。
【０１１３】
上記は、以下の発明を実施するための形態がより良く理解され得るように、本開示による例の技法および技術的利点をかなり広く概説している。追加の技法および利点が以下で説明される。開示される概念および具体例は、本開示の同じ目的を遂行するための他の構造を修正または設計するための基礎として容易に利用され得る。そのような等価な構成は、添付の特許請求の範囲から逸脱しない。本明細書で開示される概念の特性、それらの編成と動作方法の両方が、関連する利点とともに、添付の図に関して検討されると以下の説明からより良く理解されよう。図の各々は、例示および説明のために提供され、特許請求の範囲の限定の定義として提供されるものではない。
【０１１４】
以下の図面を参照することによって、本開示の本質および利点のより一層の理解が実現され得る。添付の図面において、類似の構成要素または機能は、同じ参照符号を有することがある。さらに、同じタイプの様々な構成要素は、参照符号の後に、ダッシュと、類似の構成要素を区別する第2の符号とを続けることによって、区別されることがある。第1の参照符号のみが本明細書において使用される場合、説明は、第2の参照符号にかかわらず、同じ第1の参照符号を有する類似の構成要素のうちのいずれにも適用可能である。
【図面の簡単な説明】
【０１１５】
【図１】本開示の1つまたは複数の態様による、ワイヤレス通信システムの例を示す図である。
【図２】本開示の1つまたは複数の態様による、ワイヤレス通信システムの例を示す図である。
【図３】本開示の1つまたは複数の態様による、4動作のランダムアクセス手順の実行の間のUEとネットワークアクセスデバイスとの間のメッセージフローを示す図である。
【図４】本開示の1つまたは複数の態様による、2動作のランダムアクセス手順の実行の間のUEとネットワークアクセスデバイスとの間のメッセージフローを示す図である。
【図５】本開示の1つまたは複数の態様による、ワイヤレス通信において使用するための装置の図である。
【図６】本開示の1つまたは複数の態様による、ワイヤレス通信において使用するためのワイヤレス通信マネージャの図である。
【図７】本開示の1つまたは複数の態様による、ワイヤレス通信において使用するための装置の図である。
【図８】本開示の1つまたは複数の態様による、ワイヤレス通信において使用するためのワイヤレス通信マネージャの図である。
【図９】本開示の1つまたは複数の態様による、ワイヤレス通信において使用するためのUEの図である。
【図１０】本開示の1つまたは複数の態様による、ワイヤレス通信において使用するためのネットワークアクセスデバイスの図である。
【図１１】本開示の1つまたは複数の態様による、UEにおけるワイヤレス通信のための方法の例を示すフローチャートである。
【図１２】本開示の1つまたは複数の態様による、UEにおけるワイヤレス通信のための方法の例を示すフローチャートである。
【図１３】本開示の1つまたは複数の態様による、UEにおけるワイヤレス通信のための方法の例を示すフローチャートである。
【図１４】本開示の1つまたは複数の態様による、UEにおけるワイヤレス通信のための方法の例を示すフローチャートである。
【図１５】本開示の1つまたは複数の態様による、UEにおけるワイヤレス通信のための方法の例を示すフローチャートである。
【図１６】本開示の1つまたは複数の態様による、UEにおけるワイヤレス通信のための方法の例を示すフローチャートである。
【図１７】本開示の1つまたは複数の態様による、UEにおけるワイヤレス通信のための方法の例を示すフローチャートである。
【図１８】本開示の1つまたは複数の態様による、UEにおけるワイヤレス通信のための方法の例を示すフローチャートである。
【図１９】本開示の1つまたは複数の態様による、ネットワークアクセスデバイスにおけるワイヤレス通信のための方法の例を示すフローチャートである。
【図２０】本開示の1つまたは複数の態様による、ネットワークアクセスデバイスにおけるワイヤレス通信のための方法の例を示すフローチャートである。
【図２１】本開示の1つまたは複数の態様による、ネットワークアクセスデバイスにおけるワイヤレス通信のための方法の例を示すフローチャートである。
【図２２】本開示の1つまたは複数の態様による、ネットワークアクセスデバイスにおけるワイヤレス通信のための方法の例を示すフローチャートである。
【図２３】本開示の1つまたは複数の態様による、ネットワークアクセスデバイスにおけるワイヤレス通信のための方法の例を示すフローチャートである。
【図２４】本開示の1つまたは複数の態様による、ネットワークアクセスデバイスにおけるワイヤレス通信のための方法の例を示すフローチャートである。
【図２５】本開示の1つまたは複数の態様による、ネットワークアクセスデバイスにおけるワイヤレス通信のための方法の例を示すフローチャートである。
【図２６】本開示の1つまたは複数の態様による、ネットワークアクセスデバイスにおけるワイヤレス通信のための方法の例を示すフローチャートである。
【発明を実施するための形態】
【０１１６】
2つ以上のアンテナを使用してランダムアクセス手順の間に送信することが可能なUEのためにプリコーディングが管理される、技法が説明される。UEが2つ以上のアンテナを使用して送信することが可能であるとき、UEによって行われる送信は、2つ以上のアンテナによって送信される位相シフト情報ストリームおよび/または電力制御情報ストリームによってプリコーディングされ得る。プリコーディングは、意図される受信機(たとえば、ネットワークアクセスデバイス)が送信を受信して復号する能力を高めることができる。
【０１１７】
UEがランダムアクセス手順を実行することに従って第1の送信を行うとき、UEは、プリコーディングを使用せずに、過去の送信(たとえば、最後の成功したランダムアクセス手順)に使用されたプリコーダを使用して、または、一次同期信号(PSS)、二次同期信号(SSS)などに基づくプリコーダを使用して、送信を行い得る。ランダムアクセス手順を実行することに従った第1の送信のためにUEによって使用されるプリコーダは、ランダムアクセス手順の間に特定のネットワークアクセスデバイスに送信することに(またはランダムアクセス手順の間に特定のチャネル上でネットワークアクセスデバイスに送信することに)よく適していることもいないこともある。
【０１１８】
本開示において説明される技法によれば、UEは、ランダムアクセス手順の第1の送信(または任意の送信)とともにプリコーダ選択信号を送信し得る。プリコーダ選択信号は、UEの少なくとも2つのアンテナから送信されることがあり、プリコーダ選択信号を受信するネットワークアクセスデバイスがUEのための精緻化されたプリコーディング設定を特定することを可能にすることがある。たとえば、いくつかの場合、プリコーダ選択信号は、UEの第1のアンテナから送信された第1のMRSおよびUEの第2のアンテナから送信される第2のMRSを含み得る。第1のMRSは第1のアンテナを「サウンディング」するように機能することがあり、第2のMRSは第2のアンテナを「サウンディング」するように機能することがあるので、ネットワークアクセスデバイスは、UEのための精緻化されたプリコーディング設定(たとえば、第1のMRSおよび第2のMRSと関連付けられる送信を行うために使用される1つまたは複数のプリコーディング設定におけるデルタ)を決定し得る。
【０１１９】
他の場合、プリコーダ選択信号は、事前に構成されたアンテナ回転に従ってUEの第1のアンテナから送信された第1のDMRSおよびデータ送信の第1の部分と、事前に構成されたアンテナ回転に従ってUEの第2のアンテナから送信された第2のDMRSおよびデータ送信の第2の部分とを含み得る。すなわち、データ送信の異なる部分は、事前に構成されたアンテナ回転に従って、異なるアンテナを使用して送信され得るので、データ送信を受信するネットワークアクセスデバイスは、UEのための精緻化されたプリコーディングを定義するためにアンテナがどのように使用され得るかを決定し得る。
【０１２０】
他の例では、プリコーダ選択信号は、事前に構成されたプリコーダサイクリングに従って第1のプリコーダを使用してUEの少なくとも第1のアンテナおよび第2のアンテナから送信される第1のDMRSおよびデータ送信の第1の部分と、事前に構成されたプリコーダサイクリングに従って第2のプリコーダを使用してUEの少なくとも第1のアンテナおよび第2のアンテナから送信されるデータ送信の第2の部分とを含み得る。すなわち、データ送信の異なる部分は、事前に構成されたプリコーダサイクリングに従って、異なるプリコーダを使用して送信され得るので、データ送信を受信するネットワークアクセスデバイスは、プリコーダのいずれ(または別のプリコーダ)がUEのための最良のプリコーダであり得るかを決定し得る。
【０１２１】
精緻化されたプリコーディング設定を受信すると、UEは、同じランダムアクセス手順に従って行われる後続の送信に、または、現在のランダムアクセス手順の後に行われる送信に(およびいくつかの場合、UEによって実行される後続のランダムアクセス手順の送信に)精緻化されたプリコーディング設定を適用し得る。
【０１２２】
以下の説明は例を提供するものであり、特許請求の範囲に記載される範囲、適用可能性、または例を限定するものではない。本開示の範囲から逸脱することなく、説明される要素の機能および構成に変更が加えられることがある。様々な例は、必要に応じて、様々な手順または構成要素を省略し、置換し、または追加することがある。たとえば、説明される方法は、説明される順序とは異なる順序で実行されてよく、様々な動作が加えられ、省略され、または結合されることがある。また、いくつかの例に関して説明される特徴が、いくつかの他の例では組み合わされることがある。
【０１２３】
図1は、本開示の1つまたは複数の態様による、ワイヤレス通信システム100の例を示す。ワイヤレス通信システム100は、ネットワークアクセスデバイス105(たとえば、eNB105-a、gNB105-a、ANC105-b、NR gNodeB (gNB)、NR Node-B、NRアクセスノード、および/またはRH105-c)、UE115、およびコアネットワーク130を含み得る。コアネットワーク130は、ユーザ認証、アクセス許可、トラッキング、インターネットプロトコル(IP)接続、および他のアクセス機能、ルーティング機能、またはモビリティ機能を提供し得る。ネットワークアクセスデバイス105(たとえば、eNB105-a、gNB105-a、またはANC105-b)の少なくともいくつかが、バックホールリンク132(たとえば、S1、S2など)を通じてコアネットワーク130とインターフェースすることができ、UE115との通信のために無線構成およびスケジューリングを実行することができる。様々な例では、ANC105-bは、有線通信リンクまたはワイヤレス通信リンクであり得るバックホールリンク134(たとえば、X1、X2など)を通じて、直接、または間接的に(たとえば、コアネットワーク130を通じて)のいずれかで、互いに通信することができる。各ANC105-bはまた、いくつかのスマートラジオヘッド(RH105-c)を通じていくつかのUE115と通信し得る。ワイヤレス通信システム100の代替構成では、ANC105-bの機能は、ラジオヘッド105-cによって提供されるか、またはeNBもしくはgNB105-aのラジオヘッド105-cにわたって分散され得る。ワイヤレス通信システム100の別の代替構成(たとえば、LTE/LTE-A構成)では、ラジオヘッド105-cは基地局と置き換えられることがあり、ANC105-bは基地局コントローラ(またはコアネットワーク130へのリンク)により置き換えられることがある。いくつかの例では、ワイヤレス通信システム100は、異なる無線アクセス技術(RAT)(たとえば、LTE/LTE-A、5G、Wi-Fiなど)に従って通信を受信/送信するためのラジオヘッド105-c、基地局、および/または他のネットワークアクセスデバイス105の混合を含み得る。
【０１２４】
マクロセルは、比較的大きい地理的エリア(たとえば、半径数キロメートル)をカバーすることができ、ネットワークプロバイダのサービスに加入しているUE115による無制限アクセスを可能にできる。スモールセルは、マクロセルと比較すると低電力ラジオヘッドまたは基地局を含むことがあり、マクロセルと同じまたは異なる周波数帯域において動作することがある。スモールセルは、様々な例によれば、ピコセル、フェムトセル、およびマイクロセルを含み得る。ピコセルは、比較的小さい地理的エリアをカバーすることがあり、サービスに加入しているUE115によるネットワークプロバイダとの無制限アクセスを可能にし得る。フェムトセルも、比較的小さい地理的エリア(たとえば、自宅)をカバーすることがあり、フェムトセルとの関連性を有するUE115(たとえば、限定加入者グループ(CSG)の中のUE、自宅の中のユーザのためのUEなど)による制限付きアクセスを提供し得る。マクロセルのためのeNBは、マクロeNBと呼ばれることがある。スモールセルのためのeNBは、スモールセルeNB、ピコeNB、フェムトeNB、またはホームeNBと呼ばれることがある。eNBは、1つまたは複数(たとえば、2つ、3つ、4つなど)のセル(たとえば、コンポーネントキャリア)をサポートし得る。マクロセルのためのgNBは、マクロgNBと呼ばれることがある。スモールセルのためのgNBは、スモールセルgNB、ピコgNB、フェムトgNB、またはホームgNBと呼ばれることがある。gNBは、1つまたは複数の(たとえば、2つ、3つ、4つなどの)セル(たとえば、コンポーネントキャリア)をサポートし得る。
【０１２５】
ワイヤレス通信システム100は同期動作または非同期動作をサポートし得る。同期動作では、eNBまたはgNB105-aおよび/またはラジオヘッド105-cは、類似のフレームタイミングを有することがあり、異なるeNBまたはgNB105-aおよび/またはラジオヘッド105-cからの送信は、時間的にほぼ揃えられることがある。非同期動作では、eNBまたはgNB105-aおよび/またはラジオヘッド105-cは、異なるフレームタイミングを有することがあり、異なるeNBまたはgNB105-aおよび/またはラジオヘッド105-cからの送信は、時間的に揃えられないことがある。本明細書で説明される技法は、同期動作または非同期動作のいずれかに使用され得る。
【０１２６】
開示される様々な例のうちのいくつかに適合し得る通信ネットワークは、階層化されたプロトコルスタックに従って動作するパケットベースネットワークであり得る。ユーザプレーンでは、ベアラまたはパケットデータコンバージェンスプロトコル(PDCP)レイヤにおける通信は、IPベースであり得る。いくつかの場合、無線リンク制御(RLC)レイヤは、論理チャネルを通じて通信するために、パケットのセグメント化および再アセンブリを実行し得る。媒体アクセス制御(MAC)レイヤは、優先度処理、およびトランスポートチャネルへの論理チャネルの多重化を実行し得る。MACレイヤはまた、MACレイヤにおける再送信を行ってリンク効率を改善するために、ハイブリッドARQ(HARQ)を使用し得る。制御プレーンでは、無線リソース制御(RRC)プロトコルレイヤが、ユーザプレーンデータのための無線ベアラをサポートする、UE115とラジオヘッド105-c、ANC105-b、またはコアネットワーク130との間のRRC接続の確立、構成、および保守を行い得る。物理(PHY)レイヤにおいて、トランスポートチャネルは物理チャネルにマッピングされ得る。
【０１２７】
UE115は、通信リンク135を通じてコアネットワーク130と通信し得る。UE115は、ワイヤレス通信システム100全体にわたって分散されることがあり、各UE115は固定式または移動式であることがある。UE115は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語も含むか、あるいはそのように当業者によって呼ばれることもある。UE115は、携帯電話、携帯情報端末(PDA)、ワイヤレスモデム、ワイヤレス通信デバイス、ハンドヘルドデバイス、タブレットコンピュータ、ラップトップコンピュータ、コードレス電話、ワイヤレスローカルループ(WLL)局、Internet of Everything (IoE)デバイスなどであり得る。UE115は、マクロeNB、スモールセルeNB、中継基地局などを含む、様々なタイプのeNBまたはgNB105-a、ラジオヘッド105-c、基地局、アクセスポイント、または他のネットワークアクセスデバイスと通信することが可能であり得る。UE115はまた、(たとえば、ピアツーピア(P2P)プロトコルを使用して)他のUE115と直接通信することが可能であり得る。
【０１２８】
ワイヤレス通信システム100に示される通信リンク125は、UE115からラジオヘッド105-cへのアップリンク(UL)、および/またはラジオヘッド105-cからUE115へのダウンリンク(DL)を含み得る。ダウンリンクは順方向リンクと呼ばれることもあり、アップリンクは逆方向リンクと呼ばれることもある。制御情報およびデータは、様々な技法に従ってアップリンクまたはダウンリンク上で多重化され得る。制御情報およびデータは、たとえば、時分割多重化(TDM)技法、周波数分割多重化(FDM)技法、またはハイブリッドTDM-FDM技法を使用して、アップリンクまたはダウンリンク上で多重化され得る。
【０１２９】
各通信リンク125は、1つまたは複数のキャリアを含むことがあり、各キャリアは、1つまたは複数の無線接続技術に従って変調される複数のサブキャリア(たとえば、異なる周波数の波形信号)からなる信号であり得る。各々の変調された信号は、異なるサブキャリア上で送信されることがあり、制御情報(たとえば、参照信号、制御チャネルなど)、オーバーヘッド情報、ユーザデータなどを搬送し得る。通信リンク125は、(たとえば、ペアにされたスペクトルリソースを使用する)周波数分割複信(FDD)技法、または(たとえば、ペアにされていないスペクトルリソースを使用する)時分割複信(TDD)技法を使用して、双方向通信を送信し得る。FDDのためのフレーム構造(たとえば、フレーム構造タイプ1)およびTDDのためのフレーム構造(たとえば、フレーム構造タイプ2)が定義され得る。
【０１３０】
ワイヤレス通信システム100のいくつかの例では、ネットワークアクセスデバイス105(たとえば、ラジオヘッド105-c)およびUE115は、ネットワークアクセスデバイス105とUE115との間の通信品質および信頼性を改善するために、アンテナダイバーシティ方式を利用するための複数のアンテナを含み得る。加えて、または代わりに、ネットワークアクセスデバイスおよびUE115は、マルチパス環境を利用して、同じまたは異なるコーディングされたデータを搬送する複数の空間レイヤを送信することができる、多入力多出力(MIMO)技法を採用し得る。いくつかの場合、ビームフォーミング(すなわち、指向性送信)などの信号処理技法が、信号エネルギーをコヒーレントに結合するため、および特定のビーム方向における経路損失をなくすために、MIMO技法とともに使用され得る。プリコーディング(たとえば、異なる経路もしくはレイヤ上の送信、または異なるアンテナからの送信を重み付ける)は、MIMO技法またはビームフォーミング技法とともに使用され得る。
【０１３１】
ワイヤレス通信システム100は、複数のセル上またはキャリア上での動作、すなわち、キャリアアグリゲーション(CA)またはマルチキャリア動作と呼ばれることがある機能をサポートし得る。キャリアは、コンポーネントキャリア(CC)、レイヤ、チャネルなどと呼ばれることもある。「キャリア」、「コンポーネントキャリア」、「セル」、および「チャネル」という用語は、本明細書で互換的に使用されることがある。UE115は、キャリアアグリゲーションのために、複数のダウンリンクCCと1つまたは複数のアップリンクCCとで構成され得る。キャリアアグリゲーションは、FDDコンポーネントキャリアとTDDコンポーネントキャリアの両方とともに使用され得る。
【０１３２】
時々、UE115はネットワークアクセスデバイス105とのランダムアクセス手順を実行し得る。UE115は、たとえば、アイドル状態からワイヤレスネットワークに最初にアクセスするとき(たとえば、RRC_IDLE状態から初期アクセスを実行するとき)、または、RRC接続再確立手順を実行するとき、またはハンドオーバー手順とともに、ネットワークアクセスデバイス105とのランダムアクセス手順を実行し得る。アイドル状態からワイヤレスネットワークに最初にアクセスするときのランダムアクセス手順の実行は、一般的なタイプのランダムアクセス手順である。UE115はまた、RRC_CONNECTED状態にあるとき(たとえば、UL同期が「同期されていない」とき)にダウンリンクデータが到着すると、または、RRC_CONNECTED状態にあるとき(たとえば、UL同期が「同期されていない」とき、またはスケジューリング要求(SR)を送信するのに利用可能な物理アップリンク制御チャネル(PUCCH)リソースがないとき)にアップリンクデータが到着すると、ネットワークアクセスデバイス105とのランダムアクセス手順を実行し得る。UE115はまた、RRC_CONNECTED状態にあるとき(たとえば、UEの位置決めのためにタイミング進みが必要であるとき)に位置決めの目的で、ネットワークアクセスデバイス105とのランダムアクセスを実行し得る。いくつかの例では、UE115は、CAまたはデュアルコネクティビティのシナリオにおいてネットワークアクセスデバイス105とのランダムアクセス手順を実行し得る。
【０１３３】
ランダムアクセス手順は、コンテンションベースのものまたはコンテンションベースではないものであり得る。コンテンションベースのランダムアクセス手順は、アイドル状態からワイヤレスネットワークに最初にアクセスするときに実行されるランダムアクセス手順を含み得る。コンテンションベースではないランダムアクセス手順は、たとえば、ハンドオーバー手順とともに実行されるランダムアクセス手順を含む。本開示において説明される技法は、コンテンションベースのランダムアクセス手順に関する。
【０１３４】
いくつかの例では、UE115はワイヤレス通信マネージャ520を含み得る。ワイヤレス通信マネージャ520は、ワイヤレスネットワークを通じたランダムアクセス手順(たとえば、ネットワークアクセスデバイス105のうちの1つを用いて実行されるランダムアクセス手順)の実行の間にUE115の少なくとも2つのアンテナからプリコーダ選択信号を送信するために使用され得る。ワイヤレス通信マネージャ520はまた、ランダムアクセス手順の間にワイヤレスネットワークから(たとえば、ネットワークアクセスデバイス105の1つから)、UE115のための精緻化されたプリコーディング設定の指示を受信するために使用され得る。
【０１３５】
いくつかの例では、ネットワークアクセスデバイス105はワイヤレス通信マネージャ720を含み得る。ワイヤレス通信マネージャ720は、UE115によって実行されるランダムアクセス手順の間にUE115から、UE115の少なくとも2つのアンテナからのプリコーダ選択信号を受信するために使用され得る。ワイヤレス通信マネージャ720はまた、受信されたプリコーダ選択信号に少なくとも一部基づいてUE115のための精緻化されたプリコーディング設定を特定し、精緻化されたプリコーディング設定の指示をUE115に送信するために使用され得る。
【０１３６】
図2は、本開示の1つまたは複数の態様による、ワイヤレス通信システム200の例を示す。ワイヤレス通信システム200は、UE115-aおよびネットワークアクセスデバイス105-dを含み得る。UE115-aおよびネットワークアクセスデバイス105-dは、図1に関して説明されたようなUE115およびネットワークアクセスデバイス105の態様の例であり得る。
【０１３７】
UE115-aおよびネットワークアクセスデバイス105-dの各々は、いくつかのアンテナ(たとえば、1つまたは複数のアンテナ)を含み得る。例として、UE115-aは少なくとも第1のアンテナ205-aおよび第2のアンテナ205-bを有するように示され、ネットワークアクセスデバイス105-dは少なくとも第1のアンテナ210-aおよび第2のアンテナ210-bを有するように示されている。
【０１３８】
いくつかの例では、UE115-aまたはネットワークアクセスデバイス105-dは、自身のアンテナの2つ以上(すなわち、複数のアンテナ)を使用して他のデバイスへの送信をビームフォーミングし得る。たとえば、UE115-aは、複数の自身のアンテナ205を使用して、ネットワークアクセスデバイス105-dへのアップリンク送信をビームフォーミングし得る。同様に、ネットワークアクセスデバイス105-dは、複数の自身のアンテナを使用して、UE115-aへのダウンリンク送信をビームフォーミングし得る。ビームフォーミングされた送信は、異なるアンテナからの複数の送信を含むことがあり、この送信は、強め合うようにまたは弱め合うように干渉して指向性の送信を生み出すように、プリコーダに従って位相シフトおよび/または電力制御される。UE115-aまたはネットワークアクセスデバイス105-dによるビームフォーミングの使用は、高いキャリア周波数で(たとえば、ミリメートル波の周波数で)送信するときにより可能性が高いことがある。ビームベースの動作は、UE共通の手順(たとえば、初期アクセス)またはUE固有の手順(たとえば、ユニキャスト送信)と関連付けられ得る。
【０１３９】
いくつかのビームベースの動作は開ループであり得る。たとえば、PSS送信、SSS送信、または物理ブロードキャストチャネル(PBCH)送信は開ループであり得る。これらの送信に使用されるビームは、UE115-dに透過的であることがあり、変化を受けることがある。他のビームベースの動作は閉ループであり得る(たとえば、ネットワークアクセスデバイス105-dがUE固有またはUEグループ固有の動作のためのビームの最良のセットを決定することを可能にするUE固有のフィードバックに基づく)。
【０１４０】
いくつかの例では、UE115-aは、ネットワークアクセスデバイス105-dを含むワイヤレスネットワークとのランダムアクセス手順を実行し得る。いくつかの例では、ランダムアクセス手順は、図3に関して説明されたように、4動作のランダムアクセス手順であり得る。いくつかの例では、ランダムアクセス手順は、図4に関して説明されたように、2動作のランダムアクセス手順であり得る。いくつかの例では、ランダムアクセス手順の一部として送信されるメッセージは、プリコーディング設定に従って(たとえば、アナログプリコーディングまたはデジタルプリコーディングを使用して)プリコーディングされ得る。いくつかの例では、UE115-aは、ネットワークアクセスデバイス105-dから受信されたPSS/SSS送信に少なくとも一部基づいて、ランダムアクセス手順の第1のメッセージを(たとえば、PRACH送信またはePRACH送信において)送信するためのアナログプリコーディングを導出し得る。いくつかの例では、ネットワークアクセスデバイス105-dは、プリコーディング掃引動作に少なくとも一部基づいてプリコーディング設定を精緻化し得る。すなわち、さらなるプリコーディング設定(たとえば、二次的なプリコーディング設定、補助的なプリコーディング設定、精緻化されたプリコーディング設定)が次いで使用され得る。精緻化されたプリコーディング設定は、たとえば、後続の送信に適用されるべき「デルタ」、すなわち増分変化を含み得る。さらなるプリコーディング精緻化は、後続のランダムアクセス手順とともに行われ得る(たとえば、ランダムアクセス応答メッセージの送信がUE受信プリコーディングを精緻化するために使用され得る)。ランダムアクセス手順のためのこれらのおよび他のプリコーディング管理技法が、本開示において説明される。以下で説明される技法は、アナログプリコーディングまたはデジタルプリコーディングを改善するために使用されることがあり、たとえば、4動作のランダムアクセス手順または2動作のランダムアクセス手順と組み合わせて使用されることがある。
【０１４１】
図3は、本開示の1つまたは複数の態様による、4動作のランダムアクセス手順の実行の間のUE115-bとネットワークアクセスデバイス105-eとの間のメッセージフロー300を示す。UE115-bは、図1または図2に関して説明されたようなUE115の態様の例であり得る。ネットワークアクセスデバイス105-eは、図1または図2に関して説明されたようなネットワークアクセスデバイス105の態様の例であり得る。
【０１４２】
メッセージフロー300は、305においてネットワークアクセスデバイス105-eへUE115-bによって送信される第1のメッセージ(Msg1)と、310においてUE115-bへネットワークアクセスデバイス105-eによって送信される第2のメッセージ(Msg2)と、315においてネットワークアクセスデバイス105-eへUE115-bによって送信される第3のメッセージ(Msg3)と、320においてUE115-bへネットワークアクセスデバイス105-eによって送信される第4のメッセージ(Msg4)とを含む、4つのメッセージを含む。
【０１４３】
305において、ランダムアクセスプリアンブルを含むメッセージは、アップリンクのPRACH上で送信され得る。いくつかの例では、ランダムアクセスプリアンブルは、セルと関連付けられる64個のプリアンブルシーケンスのセットなどの、複数のプリアンブルシーケンスから選択され得る。UE115-bは、ネットワークアクセスデバイス105-eによってブロードキャストされるシステム情報(SI)から複数のプリアンブルシーケンスを特定し得る。
【０１４４】
310において、305において送信されたランダムアクセスプリアンブルを検出したことに応答して、ネットワークアクセスデバイス105-eは、RARメッセージを送信し得る。いくつかの例では、RARメッセージは、ランダムアクセス無線ネットワーク一時識別子(RA-RNTI)を物理識別子(ID)として使用して、物理ダウンリンク共有チャネル(PDSCH)上で送信され得る。ネットワークアクセスデバイス105-eが305において送信されるランダムアクセスプリアンブルを検出しない場合、ネットワークアクセスデバイス105-eは310においてRARメッセージを送信しない。
【０１４５】
RARメッセージは、たとえば、検出されたランダムアクセスプリアンブル(たとえば、検出されたプリアンブルシーケンスのインデックス)、アップリンクグラント(たとえば、PUSCH上での送信リソースのグラント)、タイミング進みの指示、または一時セルRNTI(TC-RNTI)に対応するインデックスを含み得る。いくつかの例では、複数のRARメッセージ(たとえば、異なるUEから受信された異なるランダムアクセスプリアンブルに対応するRARメッセージ)が、215において送信される単一のペイロードに含まれ得る。
【０１４６】
310において送信される1つまたは複数のRARメッセージを受信すると、UE115-bは、UE115-bに宛てられるRARメッセージを、305においてUE115-bによって送信されたランダムアクセスプリアンブルに対応するインデックスをそのRARメッセージの中で検出したことに少なくとも一部基づいて、特定し得る。複数のUEが305において同じ送信リソース上で同じランダムアクセスプリアンブルを送信するとき、UEのすべてが、同じRA-RNTIを使用し、同じRARメッセージ(310において送信された)を自身に宛てられたものとして特定し得る。
【０１４７】
315において、UE115-bは、UE115-bに宛てられたRARメッセージに含まれるアップリンクグラントと関連付けられる送信リソースを使用して、初期PUSCHを送信し得る。初期PUSCH送信は、RRC接続要求メッセージおよびUE115-bの識別子(すなわち、UE識別子)を含み得る。初期PUSCH送信は、UE115-bに宛てられるRARメッセージに含まれるTC-RNTIを使用してスクランブリングされ得る。315において初期PUSCH送信を送信すると、UE115-bはコンテンション解決タイマーを始動し得る。
【０１４８】
320において、315においてUE115-bの初期PUSCH送信を復号したことに応答して、ネットワークアクセスデバイス105-eは、コンテンション解決メッセージをUE115-bに送信し得る。いくつかの例では、コンテンション解決メッセージは、PDSCH上で送信されることがあり、315において送信された初期PUSCH送信をスクランブリングするために使用されるのと同じTC-RNTIを使用してスクランブリングされることがある。しかしながら、ネットワークアクセスデバイス105-eが315において送信された初期PUSCH送信を復号できない場合、ネットワークアクセスデバイス105-eは、320においてコンテンション解決メッセージを送信せず、UE115-bによって始動されるコンテンション解決タイマーは期限切れになり得るので、UE115-bに新しいランダムアクセス手順を開始させる。
【０１４９】
図4は、本開示の1つまたは複数の態様による、2動作のランダムアクセス手順の実行の間のUE115-cとネットワークアクセスデバイス105-fとの間のメッセージフロー400を示す。UE115-cは、図1、図2、または図3に関して説明されたようなUE115の態様の例であり得る。ネットワークアクセスデバイス105-fは、図1、図2、または図3に関して説明されたようなネットワークアクセスデバイス105の態様の例であり得る。
【０１５０】
メッセージフロー400は、405においてネットワークアクセスデバイス105-fへUE115-cによって送信された第1のメッセージ(Msg1)、および410においてUE115-cへネットワークアクセスデバイス105-fによって送信された第2のメッセージ(Msg2)を含む、2つのメッセージを含む。
【０１５１】
405において、ランダムアクセスプリアンブルおよびデータペイロードを含むメッセージは、アップリンクのePRACH上で送信され得る。データペイロードは、RRC接続要求メッセージおよびUE115-cの識別子(すなわち、UE識別子)を含み得る。
【０１５２】
410において、405において送信されたランダムアクセスプリアンブルを検出したことに応答して、ネットワークアクセスデバイス105-fは、初期PDSCH送信を含むRARメッセージを送信し得る。いくつかの例では、RARメッセージはPDSCH上で送信され得る。ネットワークアクセスデバイス105-fが405において送信されるランダムアクセスプリアンブルを検出しない場合、ネットワークアクセスデバイス105-fは410においてRARメッセージを送信しない。
【０１５３】
RARメッセージは、たとえば、検出されたランダムアクセスプリアンブル(たとえば、検出されたプリアンブルシーケンスのインデックス)、アップリンクグラント(たとえば、PUSCH上での送信リソースのグラント)、またはタイミング進みの指示に対応するインデックスを含み得る。
【０１５４】
いくつかの例では、図1、図2、図3、または図4に関して説明されたようなUE115は、ワイヤレスネットワークを通じたランダムアクセス手順の実行の間に(たとえば、ネットワークアクセスデバイス105とのランダムアクセス手順の実行の間に)UE115の少なくとも2つのアンテナからプリコーダ選択信号を送信し得る。ネットワークアクセスデバイス105は、プリコーダ選択信号を受信し、プリコーダ選択信号に少なくとも一部基づいてUE115のための精緻化されたプリコーディング設定を特定し、精緻化されたプリコーディング設定の指示をUE115に送信し得る。UE115は、ランダムアクセス手順の間に精緻化されたプリコーディング設定の指示を受信することができ、ランダムアクセス手順における少なくとも1つの送信に(たとえば、初期PUSCH送信に、および/または初期PUSCH送信の再送信に)、かつ/またはランダムアクセス手順の後の少なくとも1つの送信に(たとえば、後続のPUSCH送信および/または後続のランダムアクセス手順の送信に)精緻化されたプリコーディング設定を適用することができる。
【０１５５】
いくつかの例では、ランダムアクセス手順の間にUE115によって送信されるプリコーダ選択信号は、少なくとも、第1のアンテナ(たとえば、アンテナポート0)から送信された第1のMRSおよび第2のアンテナ(たとえば、アンテナポート1)から送信された第2のMRSを含み得る。第1のMRSおよび第2のMRSは、PRACH送信(たとえば、図3に関して説明されたような305における)、初期PUSCH送信(たとえば、図3に関して説明されたような315における)、またはePRACH送信(たとえば、図4に関して説明されたような405における)のうちの少なくとも1つとともに送信され得る。いくつかの例では、第1のMRSおよび第2のMRSの各々は、LTE/LTE-Aサウンディング基準信号(SRS)と同様にフォーマットされることがあり、チャネル送信とともに送信され、またはそれと組み合わされることがある。第1のMRSおよび第2のMRSがPRACH送信に添付されるとき、UE115は、たとえば、後続のPUSCH送信に適用され得るプリコーダ設定の指示を受信し得る。第1のMRSおよび第2のMRSが初期PUSCH送信に添付されるとき、UE115は、初期PUSCH送信の再送信に適用され得るプリコーダ設定の指示を受信し得る。
【０１５６】
いくつかの例では、ランダムアクセス手順の間にUE115によって送信されるプリコーダ選択信号は、事前に構成されたアンテナ回転に従って第1のアンテナから送信された少なくとも第1のDMRSおよびデータ送信の第1の部分と、事前に構成されたアンテナ回転に従って第2のアンテナから送信された第2のDMRSおよびデータ送信の第2の部分とを含み得る。いくつかの例では、データ送信は、ePRACH送信または初期PUSCH送信のデータペイロードを含み得る。事前に構成されたアンテナ回転の先験的な知識をもつネットワークアクセスデバイス105は、UE115から送信を受信し、データ送信の第1の部分と関連付けられる第1の誤り率およびデータ送信の第2の部分と関連付けられる第2の誤り率を決定することができ、第1の誤り率および第2の誤り率に少なくとも一部基づいてUE115のための精緻化されたプリコーディング設定を特定することができる。
【０１５７】
いくつかの例では、ランダムアクセス手順の間にUE115によって送信されるプリコーダ選択信号は、事前に構成されたプリコーダサイクリングに従って第1のプリコーダを使用して少なくとも第1のアンテナおよび第2のアンテナから送信された少なくとも第1のDMRSおよびデータ送信の第1の部分と、事前に構成されたプリコーダサイクリングに従って第2のプリコーダを使用して少なくとも第1のアンテナおよび第2のアンテナから送信された第2のDMRSおよびデータ送信の第2の部分とを含み得る。第2のプリコーダは第1のプリコーダと異なり得る。いくつかの例では、データ送信は、ePRACH送信または初期PUSCH送信のデータペイロードを含み得る。事前に構成されたプリコーダサイクリングの先験的な知識をもつネットワークアクセスデバイス105は、UE115から送信を受信し、データ送信の第1の部分と関連付けられる第1の誤り率およびデータ送信の第2の部分と関連付けられる第2の誤り率を決定することができ、第1の誤り率および第2の誤り率に少なくとも一部基づいてUE115のための精緻化されたプリコーディング設定を特定することができる。
【０１５８】
いくつかの例では、ネットワークアクセスデバイス105は、プリコーダ選択信号受信が有効であることの指示(たとえば、UE115がプリコーダ選択信号を送信できる(または送信すべきである)か送信できない(または送信すべきではない)かの指示)を含む、システム情報(たとえば、システム情報ブロック(SIB)またはマスター情報ブロック(MIB)において送信される情報)を送信し得る。加えて、または代わりに、ネットワークアクセスデバイス105は、有効であるプリコーダ選択信号受信のタイプ(たとえば、MRSベース、DMRSベース、アンテナ回転ベース、プリコーダサイクリングベースなど)の指示を含むシステム情報を送信し得る。
【０１５９】
いくつかの例では、ネットワークアクセスデバイス105は、ランダムアクセス手順のUE115による実行の間に、RARグラント、初期PUSCH送信のためのダウンリンク制御情報(DCI)スケジューリング情報、またはこれらの組合せを含む送信(たとえば、ランダムアクセス応答メッセージ)をUE115に送信し得る。いくつかの例では、そのような送信は、プリコーダ選択信号の帯域幅、またはプリコーダ選択信号の巡回シフト、またはプリコーダ選択信号を送信すべきアンテナポートの数、またはこれらの組合せなどの、いくつかのプリコーダ選択信号パラメータを含み得る。同じまたは他の例では、そのような送信は、UE115のための精緻化されたプリコーディング設定の指示を含み得る。
【０１６０】
RARグラント、初期PUSCH送信のためのDCIスケジューリング情報などの送信においてプリコーダ選択信号パラメータを送信することによって、ランダムアクセス手順の間にUE115によって送信される次のメッセージ、または、後続のランダムアクセス手順の後続のPUSCHもしくはメッセージなどの送信は、UE115へより適合されたプリコーダを使用して送信され得る。いくつかの例では、第1のMRSおよび第2のMRSの初期送信は、PRACH送信の帯域幅と一致する帯域幅において行われることがあり、第1のMRSおよび第2のMRSの次の送信は、PUSCH送信の帯域幅と一致する帯域幅において行われることがある。
【０１６１】
いくつかの例では、初期PUSCH送信のためのプリコーディングは、最後の成功したランダムアクセス手順に使用されるプリコーディングに少なくとも一部基づいて、設定または初期化され得る。いくつかの例では、初期PUSCH送信のためのプリコーディングは、ランダムアクセス応答メッセージにおいて(たとえば、初期PUSCH送信のためのRARグラントもしくはDCIスケジューリング情報において、または、以前のランダムアクセス手順の初期PUSCH送信のために)受信される精緻化されたプリコーディング設定に基づいて精緻化され得る。いくつかの例では、精緻化されたプリコーディング設定は、プリコーディング行列インジケータ(PMI)デルタ(たとえば、delta_PMI)の形態をとり得る。
【０１６２】
いくつかの例では、ワイヤレス通信システムの中のUE115のいくつかがプリコーダ選択信号を送信することが可能であることがあり、他のUE115はプリコーダ選択信号を送信することが可能ではないことがある。これらの例では、UE115の能力を早く特定することが有用であり得る。これに関して、ネットワークアクセスデバイス105は、単一アンテナランダムアクセス手順(たとえば、単一アンテナポート能力)と関連付けられるリソースの第1のセットの第1の指示と、複数アンテナランダムアクセス手順(たとえば、複数アンテナポート能力)と関連付けられるリソースの第2のセットの第2の指示とを含む、システム情報を送信し得る。システム情報を受信するUE115は、その能力と関連付けられるリソースのセットを特定(たとえば、選択)し、リソースの特定されたセット上でPRACHまたはePRACHを送信することによってランダムアクセス手順を実行し得る。それに従って、プリコーダ選択信号のUE115による送信が構成され得る。リソースの特定のセット上でUE115からPRACHまたはePRACHを受信すると、ネットワークアクセスデバイス105はUE115の能力を特定し得る。代わりに、UE115は、UE115が単一アンテナポート能力しか有しないときでも、PRACH、ePRACH、または初期PUSCH送信とともにMRSを(たとえば、2つの仮想アンテナポート上で)常に送信することがあり、ネットワークアクセスデバイス105は、受信されたMRSに基づいて、UE115が単一アンテナポート送信が可能であるか複数アンテナポート送信が可能であるかをブラインド検出し得る(blindly detect)。
【０１６３】
図5は、本開示の1つまたは複数の態様による、ワイヤレス通信において使用するための装置515の図500を示す。装置515は、図1、図2、図3、または図4に関して説明されたようなUE115のうちの1つまたは複数の態様の例であり得る。装置515はまた、プロセッサであってよく、またはプロセッサを含んでよい。装置515は、受信機510、ワイヤレス通信マネージャ520-a、または送信機530を含み得る。これらの構成要素の各々は、互いに通信していることがある。
【０１６４】
装置515の構成要素は、ハードウェアにおいて適用可能な機能の一部またはすべてを実行するように適合された1つまたは複数の特定用途向け集積回路(ASIC)を使用して、個別にまたは集合的に実装され得る。代わりに、機能は、1つまたは複数の集積回路上で、1つまたは複数の他の処理ユニット(または、コア)によって実行され得る。いくつかの他の例では、当技術分野で知られている任意の方法でプログラムされ得る他のタイプの集積回路(たとえば、ストラクチャード/プラットフォームASIC、フィールドプログラマブルゲートアレイ(FPGA)、システムオンチップ(SoC)、および/または他のタイプのセミカスタムIC)が使用され得る。各構成要素の機能はまた、メモリの中で具現化されるとともに1つまたは複数の汎用プロセッサまたは特定用途向けプロセッサによって実行されるようにフォーマットされた命令を用いて、全体的にまたは部分的に実施され得る。
【０１６５】
いくつかの例では、受信機510は、1つまたは複数の高周波(RF)スペクトル帯域を通じて送信を受信するように動作可能な少なくとも1つのRF受信機などの、少なくとも1つの高周波受信機を含み得る。いくつかの例では、1つまたは複数の高周波スペクトル帯域は、図1、図2、図3、または図4に関して説明されたように通信するために使用され得る。受信機510は、図1に関して説明されたようなワイヤレス通信システム100の1つまたは複数の通信リンクなどの、ワイヤレス通信システムの1つまたは複数の通信リンクを通じて、様々なタイプのデータまたは制御信号(すなわち、送信)を受信するために使用され得る。
【０１６６】
いくつかの例では、送信機530は、1つまたは複数の高周波スペクトル帯域を通じて送信するように動作可能な少なくとも1つのRF送信機などの、少なくとも1つのRF送信機を含み得る。いくつかの例では、1つまたは複数の高周波スペクトル帯域は、図1、図2、図3、または図4を参照して説明されたように通信するために使用され得る。送信機530は、図1に関して説明されたようなワイヤレス通信システム100の1つまたは複数の通信リンクなどの、ワイヤレス通信システムの1つまたは複数の通信リンクを通じて、様々なタイプのデータまたは制御信号(すなわち、送信)を送信するために使用され得る。
【０１６７】
いくつかの例では、ワイヤレス通信マネージャ520-aは、装置515のためのワイヤレス通信の1つまたは複数の態様を管理するために使用され得る。いくつかの例では、ワイヤレス通信マネージャ520-aの一部は、受信機510もしくは送信機530に組み込まれることがあり、またはそれらと共有されることがある。いくつかの例では、ワイヤレス通信マネージャ520-aは、図1に関して説明されたようなワイヤレス通信マネージャ520の態様の例であり得る。いくつかの例では、ワイヤレス通信マネージャ520-aは、ランダムアクセスマネージャ535、プリコーダ選択信号送信マネージャ540、またはプリコーディングマネージャ545を含み得る。
【０１６８】
ランダムアクセスマネージャ535は、ワイヤレスネットワークを通じてランダムアクセス手順を実行するために使用され得る。ランダムアクセスマネージャ535は、ランダムアクセス手順の間に送信し(たとえば、PRACH送信、またはePRACH送信、または初期PUSCH送信、またはこれらの組合せを送信し)、ランダムアクセス手順の間に受信する(たとえば、RARグラント、初期PUSCH送信のためのDCIスケジューリング情報、またはこれらの組合せを受信する)ために使用され得る。
【０１６９】
プリコーダ選択信号送信マネージャ540は、送信機530と関連付けられる少なくとも2つのアンテナからプリコーダ選択信号を送信するために使用され得る。プリコーダ選択信号は、ワイヤレス通信マネージャ520-aによるランダムアクセス手順の実行の間に送信されることがあり、PRACH送信、ePRACH送信、または初期PUSCH送信、またはこれらの組合せとともに送信されることがある。
【０１７０】
プリコーディングマネージャ545は、ワイヤレス通信マネージャ520-aによって実行されるランダムアクセス手順の間にワイヤレスネットワークから、ワイヤレス通信マネージャ520-aのための精緻化されたプリコーディング設定の指示を受信するために使用され得る。いくつかの例では、精緻化されたプリコーディング設定は、ワイヤレス通信マネージャ520-aによって実行されている現在のランダムアクセス手順の間にワイヤレス通信マネージャ520-aによって送信されるプリコーダ選択信号に少なくとも一部基づくことがあり、ワイヤレス通信マネージャ520-aによって実行された以前のランダムアクセス手順の間にワイヤレス通信マネージャ520-aによって送信された、以前に送信されたプリコーダ選択信号に少なくとも一部基づくことがあり、または、これらの組合せに少なくとも一部基づくことがある。
【０１７１】
図6は、本開示の1つまたは複数の態様による、ワイヤレス通信において使用するためのワイヤレス通信マネージャ520-bの図600を示す。ワイヤレス通信マネージャ520-bは、図1または図5に関して説明されたワイヤレス通信マネージャ520の態様の例であり得る。
【０１７２】
ワイヤレス通信マネージャ520-bの構成要素は、ハードウェアにおいて適用可能な機能の一部またはすべてを実行するように適合された1つまたは複数のASICを使用して、個別にまたは集合的に実装され得る。代わりに、機能は、1つまたは複数の集積回路上で、1つまたは複数の他の処理ユニット(または、コア)によって実行され得る。いくつかの他の例では、他のタイプの集積回路(たとえば、ストラクチャード/プラットフォームASIC、FPGA、SoC、および/または他のタイプのセミカスタムIC)が使用されることがあり、これらは、当技術分野で知られている任意の方法でプログラムされ得る。各構成要素の機能はまた、メモリの中に具現化され1つまたは複数の汎用プロセッサまたは特定用途向けプロセッサによって実行されるようにフォーマットされた命令を用いて、全体的または部分的に実装され得る。
【０１７３】
いくつかの例では、ワイヤレス通信マネージャ520-bは、図1、図2、図3、図4、または図5に関して説明されたようなUE115または装置515のうちの1つなどの、UEまたは装置のためのワイヤレス通信の1つまたは複数の態様を管理するために使用され得る。いくつかの例では、ワイヤレス通信マネージャ520-bの一部は、受信機もしくは送信機(たとえば、図5に関して説明されたような受信機510または送信機530)に組み込まれることがあり、またはそれらと共有されることがある。いくつかの例では、ワイヤレス通信マネージャ520-bは、ランダムアクセスマネージャ535-a、プリコーダ選択信号送信マネージャ540-a、プリコーディングマネージャ545-a、またはランダムアクセスリソース選択器620を含み得る。
【０１７４】
ランダムアクセスマネージャ535-aは、ワイヤレスネットワークを通じてランダムアクセス手順を実行するために使用され得る。ランダムアクセスマネージャ535-aは、ランダムアクセス手順の間に送信し(たとえば、PRACH送信、またはePRACH送信、または初期PUSCH送信、またはこれらの組合せを送信し)、ランダムアクセス手順の間に受信する(たとえば、RARグラント、初期PUSCH送信のためのDCIスケジューリング情報、またはこれらの組合せを受信する)ために使用され得る。
【０１７５】
プリコーダ選択信号送信マネージャ540-aは、ワイヤレス通信マネージャ520-bと関連付けられる少なくとも2つのアンテナからプリコーダ選択信号を送信するために使用され得る。プリコーダ選択信号は、ワイヤレス通信マネージャ520-bによるランダムアクセス手順の実行の間に送信されることがあり、PRACH送信、またはePRACH送信、または初期PUSCH送信、またはこれらの組合せとともに送信されることがある。
【０１７６】
いくつかの例では、プリコーダ選択信号送信マネージャ540-aは、MRS送信マネージャ605、アンテナ回転マネージャ610、またはプリコーダサイクリングマネージャ615を含み得る。MRS送信マネージャ605は、第1のアンテナから送信された第1のMRSと、第2のアンテナから送信された第2のMRSとを含む、プリコーダ選択信号を送信するために使用され得る。いくつかの例では、第1のMRSおよび第2のMRSは、PRACH送信、またはePRACH送信、または初期PUSCH送信、またはこれらの組合せのうちの少なくとも1つとともに送信され得る。
【０１７７】
アンテナ回転マネージャ610は、事前に構成されたアンテナ回転に従って、第1のアンテナから第1のDMRSとデータ送信の第1の部分とを送信し、事前に構成されたアンテナ回転に従って、第2のアンテナから第2のDMRSとデータ送信の第2の部分とを送信するために使用され得る。いくつかの例では、データ送信は、ePRACH送信または初期PUSCH送信のデータペイロードを含み得る。
【０１７８】
プリコーダサイクリングマネージャ615は、事前に構成されたプリコーダサイクリングに従って、第1のプリコーダを使用して少なくとも第1のアンテナおよび第2のアンテナから第1のDMRSとデータ送信の第1の部分とを送信し、事前に構成されたプリコーダサイクリングに従って、第2のプリコーダを使用して少なくとも第1のアンテナおよび第2のアンテナから第2のDMRSとデータ送信の第2の部分とを送信するために使用され得る。第2のプリコーダは第1のプリコーダと異なり得る。いくつかの例では、データ送信は、ePRACH送信または初期PUSCH送信のデータペイロードを含み得る。
【０１７９】
プリコーディングマネージャ545-aは、ワイヤレス通信マネージャ520-bによって実行されるランダムアクセス手順の間にワイヤレスネットワークから、ワイヤレス通信マネージャ520-bのための精緻化されたプリコーディング設定の指示を受信するために使用され得る。いくつかの例では、精緻化されたプリコーディング設定は、ワイヤレス通信マネージャ520-bによって実行されている現在のランダムアクセス手順の間にワイヤレス通信マネージャ520-bによって送信されるプリコーダ選択信号に少なくとも一部基づくことがあり、ワイヤレス通信マネージャ520-bによって実行された以前のランダムアクセス手順の間にワイヤレス通信マネージャ520-bによって送信された、以前に送信されたプリコーダ選択信号に少なくとも一部基づくことがあり、または、これらの組合せに少なくとも一部基づくことがある。
【０１８０】
いくつかの例では、プリコーディングマネージャ545-aは、ワイヤレス通信マネージャ520-bのための精緻化されたプリコーディング設定を、ワイヤレス通信マネージャ520-bによって実行されている現在のランダムアクセス手順における少なくとも1つの送信に適用するために使用され得る。いくつかの例では、少なくとも1つの送信は、初期PUSCH送信、または初期PUSCH送信の再送信、またはこれらの組合せのうちの少なくとも1つを含み得る。いくつかの例では、プリコーディングマネージャ545-aは、ワイヤレス通信マネージャ520-bのための精緻化されたプリコーディング設定を、現在のランダムアクセス手順の後の少なくとも1つの送信に適用するために使用され得る。
【０１８１】
いくつかの例では、ランダムアクセスマネージャ535-aは、ワイヤレス通信マネージャ520-bによるランダムアクセス手順の実行の間に、ePRACH送信または初期PUSCH送信を送信するために使用され得る。ePRACH送信または初期PUSCH送信は、ワイヤレス通信マネージャ520-bのための精緻化されたプリコーディング設定の指示に少なくとも一部基づいて第1のプリコーダを使用して、または、以前の成功したランダムアクセス手順の間にワイヤレス通信マネージャ520-bによって使用された第2のプリコーダを使用して、送信され得る。
【０１８２】
いくつかの例では、プリコーディングマネージャ545-aは、プリコーダ選択信号受信が有効であるという第1の指示、または有効であるプリコーダ選択信号受信のタイプの第2の指示、またはこれらの組合せを含む、システム情報を受信するために使用され得る。これらの例では、プリコーダ選択信号送信マネージャ540-aは、少なくとも第1の指示または第2の指示を受信したことに応答して、プリコーダ選択信号を送信するために使用され得る。
【０１８３】
いくつかの例では、ランダムアクセスマネージャ535-aは、ワイヤレス通信マネージャ520-bによるランダムアクセス手順の実行の間に、RARグラント、または初期PUSCH送信のためのDCIスケジューリング情報、またはこれらの組合せのうちの少なくとも1つを含む送信を受信し得る。いくつかの例では、送信は、少なくとも1つのプリコーダ選択信号パラメータを含み得る。少なくとも1つのプリコーダ選択信号パラメータは、プリコーダ選択信号の帯域幅、またはプリコーダ選択信号の巡回シフト、またはプリコーダ選択信号を送信すべきアンテナポートの数、またはこれらの組合せを含み得る。いくつかの例では、この送信は、ワイヤレス通信マネージャ520-bのための精緻化されたプリコーディング設定の指示を含み得る。
【０１８４】
いくつかの例では、ランダムアクセスマネージャ535-aは、ワイヤレス通信マネージャ520-bによるランダムアクセス手順の実行の間に、初期PUSCHを送信するために使用され得る。いくつかの例では、ワイヤレス通信マネージャ520-bと関連付けられる少なくとも2つのアンテナからのプリコーダ選択信号は、初期PUSCHとともに送信され得る。いくつかの例では、プリコーダ選択信号は、プリコーダ選択信号パラメータに少なくとも一部基づき得る。
【０１８５】
いくつかの例では、ランダムアクセスリソース選択器620は、複数アンテナランダムアクセス手順と関連付けられるリソースのセットを特定するために使用され得る。これらの例では、ランダムアクセスマネージャ535-aはリソースの特定されたセット上でPRACHまたはePRACHのうちの少なくとも1つを送信するために使用されることがあり、一方でワイヤレス通信マネージャ520-bはランダムアクセス手順を実行する。プリコーダ選択信号送信マネージャ540-aは、ランダムアクセス手順の間にワイヤレス通信マネージャ520-bと関連付けられる少なくとも2つのアンテナからプリコーダ選択信号を(たとえば、PRACHまたはePRACHを用いて)送信するために使用され得る。
【０１８６】
図7は、本開示の1つまたは複数の態様による、ワイヤレス通信において使用するための装置705の図700を示す。装置705は、図1、図2、図3、または図4に関して説明されたようなネットワークアクセスデバイス105の1つまたは複数の態様の例であり得る。装置705はまた、プロセッサであってよく、またはプロセッサを含んでよい。装置705は、受信機710、ワイヤレス通信マネージャ720-a、または送信機730を含み得る。これらの構成要素の各々は、互いに通信していることがある。
【０１８７】
装置705の構成要素は、ハードウェアにおいて適用可能な機能の一部またはすべてを実行するように適合された1つまたは複数のASICを使用して、個別にまたは集合的に実装され得る。代わりに、機能は、1つまたは複数の集積回路上で、1つまたは複数の他の処理ユニット(または、コア)によって実行され得る。いくつかの他の例では、当技術分野で知られている任意の方法でプログラムされ得る他のタイプの集積回路(たとえば、ストラクチャード/プラットフォームASIC、FPGA、SoC、および/または他のタイプのセミカスタムIC)が使用され得る。各構成要素の機能はまた、メモリの中に具現化され1つまたは複数の汎用プロセッサまたは特定用途向けプロセッサによって実行されるようにフォーマットされた命令を用いて、全体的または部分的に実装され得る。
【０１８８】
いくつかの例では、受信機710は、1つまたは複数の高周波スペクトル帯域を通じて送信を受信するように動作可能な少なくとも1つのRF受信機などの、少なくとも1つのRF受信機を含み得る。いくつかの例では、1つまたは複数の高周波スペクトル帯域は、図1、図2、図3、または図4に関して説明されたように通信するために使用され得る。受信機710は、図1に関して説明されたようなワイヤレス通信システム100の1つまたは複数の通信リンクなどの、ワイヤレス通信システムの1つまたは複数の通信リンクを通じて、様々なタイプのデータまたは制御信号(すなわち、送信)を受信するために使用され得る。
【０１８９】
いくつかの例では、送信機730は、1つまたは複数の高周波スペクトル帯域を通じて送信するように動作可能な少なくとも1つのRF送信機などの、少なくとも1つのRF送信機を含み得る。いくつかの例では、1つまたは複数の高周波スペクトル帯域は、図1、図2、図3、または図4に関して説明されたように通信するために使用され得る。送信機730は、図1に関して説明されたようなワイヤレス通信システム100の1つまたは複数の通信リンクなどの、ワイヤレス通信システムの1つまたは複数の通信リンクを通じて、様々なタイプのデータまたは制御信号(すなわち、送信)を送信するために使用され得る。
【０１９０】
いくつかの例では、ワイヤレス通信マネージャ720-aは、装置705のためのワイヤレス通信の1つまたは複数の態様を管理するために使用され得る。いくつかの例では、ワイヤレス通信マネージャ720-aの一部は、受信機710もしくは送信機730に組み込まれることがあり、またはそれらと共有されることがある。いくつかの例では、ワイヤレス通信マネージャ720-aは、図1に関して説明されたようなワイヤレス通信マネージャ720の態様の例であり得る。いくつかの例では、ワイヤレス通信マネージャ720-aは、ランダムアクセスマネージャ735またはプリコーディング精緻化マネージャ740を含み得る。
【０１９１】
ランダムアクセスマネージャ735は、ワイヤレスネットワークを通じたUEによるランダムアクセス手順の実行をサポートするために使用され得る。ランダムアクセスマネージャ735は、ランダムアクセス手順の間に受信し(たとえば、PRACH送信、またはePRACH送信、または初期PUSCH送信、またはこれらの組合せを受信し)、ランダムアクセス手順の間に送信する(たとえば、RARグラント、初期PUSCH送信のためのDCIスケジューリング情報、またはこれらの組合せを送信する)ために使用され得る。
【０１９２】
プリコーディング精緻化マネージャ740は、UEによって実行されるランダムアクセス手順の間にUEから、UEの少なくとも2つのアンテナからのプリコーダ選択信号を受信するために使用され得る。プリコーディング精緻化マネージャ740はまた、受信されたプリコーダ選択信号に少なくとも一部基づいてUEのための精緻化されたプリコーディング設定を特定するために使用され得る。精緻化されたプリコーディング設定は、さらに、または代わりに、UEによって実行された以前のランダムアクセス手順の間に受信された、以前に受信されたプリコーダ選択信号に少なくとも一部基づき得る。またさらに、プリコーディング精緻化マネージャ740は、精緻化されたプリコーディング設定の指示をUEに送信するために使用され得る。いくつかの例では、プリコーディング精緻化マネージャ740は、精緻化されたプリコーディング設定の指示をUEに送信するために、ランダムアクセスマネージャ735と協調して使用され得る。
【０１９３】
いくつかの例では、ランダムアクセスマネージャ735は、指示される精緻化されたプリコーディング設定に従ってUEから少なくとも1つの送信を受信するために使用され得る。いくつかの例では、少なくとも1つの送信は、ランダムアクセス手順における少なくとも1つの送信(たとえば、初期PUSCH送信、または初期PUSCH送信の再送信、またはこれらの任意の組合せ)、または、ランダムアクセス手順の後の少なくとも1つの送信(たとえば、PUSCH送信または後続のランダムアクセス手順の一部である送信)を含み得る。
【０１９４】
図8は、本開示の1つまたは複数の態様による、ワイヤレス通信において使用するためのワイヤレス通信マネージャ720-bの図800を示す。ワイヤレス通信マネージャ720-bは、図1または図7に関して説明されたワイヤレス通信マネージャ720の態様の例であり得る。
【０１９５】
ワイヤレス通信マネージャ720-bの構成要素は、ハードウェアにおいて適用可能な機能の一部またはすべてを実行するように適合された1つまたは複数のASICを使用して、個別にまたは集合的に実装され得る。代わりに、機能は、1つまたは複数の集積回路上で、1つまたは複数の他の処理ユニット(または、コア)によって実行され得る。いくつかの他の例では、他のタイプの集積回路(たとえば、ストラクチャード/プラットフォームASIC、FPGA、SoC、および/または他のタイプのセミカスタムIC)が使用されることがあり、これらは、当技術分野で知られている任意の方法でプログラムされ得る。各構成要素の機能はまた、メモリの中に具現化され1つまたは複数の汎用プロセッサまたは特定用途向けプロセッサによって実行されるようにフォーマットされた命令を用いて、全体的または部分的に実装され得る。
【０１９６】
いくつかの例では、ワイヤレス通信マネージャ720-bは、図1、図2、図3、図4、または図7に関して説明されたようなネットワークアクセスデバイス105または装置705のうちの1つなどの、ネットワークアクセスデバイスまたは装置のためのワイヤレス通信の1つまたは複数の態様を管理するために使用され得る。いくつかの例では、ワイヤレス通信マネージャ720の一部は、受信機もしくは送信機(たとえば、図7に関して説明されたような受信機710または送信機730)に組み込まれることがあり、またはそれらと共有されることがある。いくつかの例では、ワイヤレス通信マネージャ720-bは、ランダムアクセスリソース割振器805、ランダムアクセスマネージャ735、またはプリコーディング精緻化マネージャ740-aを含み得る。
【０１９７】
いくつかの例では、ランダムアクセスリソース割振器805は、単一アンテナランダムアクセス手順と関連付けられるリソースの第1のセットの第1の指示と、複数アンテナランダムアクセス手順と関連付けられるリソースの第2のセットの第2の指示とを含む、システム情報を送信するために使用され得る。
【０１９８】
ランダムアクセスマネージャ735-aは、ワイヤレスネットワークを通じたUEによるランダムアクセス手順の実行をサポートするために使用され得る。ランダムアクセスマネージャ735-aは、ランダムアクセス手順の間に受信し(たとえば、PRACH送信、またはePRACH送信、または初期PUSCH送信、またはこれらの組合せを受信し)、ランダムアクセス手順の間に送信する(たとえば、RARグラント、初期PUSCH送信のためのDCIスケジューリング情報、またはこれらの組合せを送信する)ために使用され得る。
【０１９９】
プリコーディング精緻化マネージャ740-aは、UEによって実行されるランダムアクセス手順の間にUEから、UEの少なくとも2つのアンテナからのプリコーダ選択信号を受信するために使用され得る。プリコーディング精緻化マネージャ740-aはまた、受信されたプリコーダ選択信号に少なくとも一部基づいてUEのための精緻化されたプリコーディング設定を特定するために使用され得る。精緻化されたプリコーディング設定は、さらに、または代わりに、UEによって実行された以前のランダムアクセス手順の間に受信された、以前に受信されたプリコーダ選択信号に少なくとも一部基づき得る。またさらに、プリコーディング精緻化マネージャ740-aは、精緻化されたプリコーディング設定の指示をUEに送信するために使用され得る。いくつかの例では、プリコーディング精緻化マネージャ740-aは、精緻化されたプリコーディング設定の指示をUEに送信するために、ランダムアクセスマネージャ735-aと協調して使用され得る。
【０２００】
いくつかの例では、プリコーディング精緻化マネージャ740-aは、MRS受信マネージャ810、アンテナ回転マネージャ815、プリコーダサイクリングマネージャ820、または誤り率決定器825を含み得る。MRS受信マネージャ810は、UEの第1のアンテナから送信された第1のMRSと、UEの第2のアンテナから送信された第2のMRSとを含む、プリコーダ選択信号を受信するために使用され得る。いくつかの例では、第1のMRSおよび第2のMRSは、PRACH送信、またはePRACH送信、または初期PUSCH送信、またはこれらの組合せのうちの少なくとも1つとともに送信され得る。
【０２０１】
アンテナ回転マネージャ815は、事前に構成されたアンテナ回転に従って、UEの第1のアンテナから第1のDMRSとデータ送信の第1の部分とを受信し、事前に構成されたアンテナ回転に従って、UEの第2のアンテナから第2のDMRSとデータ送信の第2の部分とを受信するために使用され得る。いくつかの例では、データ送信は、ePRACH送信または初期PUSCH送信のデータペイロードを含み得る。いくつかの例では、誤り率決定器825は、データ送信の第1の部分と関連付けられる第1の誤り率と、データ送信の第2の部分と関連付けられる第2の誤り率とを決定するために使用され得る。プリコーディング精緻化マネージャ740-aは次いで、第1の誤り率および第2の誤り率に少なくとも一部基づいて、UEのための精緻化されたプリコーディング設定を特定し得る。
【０２０２】
プリコーダサイクリングマネージャ820は、第1のプリコーダおよび事前に構成されたプリコーダサイクリングに従って、UEの少なくとも第1のアンテナおよび第2のアンテナから第1のDMRSとデータ送信の第1の部分とを受信し、第2のプリコーダおよび事前に構成されたプリコーダサイクリングに従って、UEの少なくとも第1のアンテナおよび第2のアンテナから第2のDMRSとデータ送信の第2の部分とを受信するために使用され得る。第2のプリコーダは第1のプリコーダと異なり得る。いくつかの例では、データ送信は、ePRACH送信または初期PUSCH送信のデータペイロードを含み得る。いくつかの例では、誤り率決定器825は、データ送信の第1の部分と関連付けられる第1の誤り率と、データ送信の第2の部分と関連付けられる第2の誤り率とを決定するために使用され得る。プリコーディング精緻化マネージャ740-aは次いで、第1の誤り率および第2の誤り率に少なくとも一部基づいて、UEのための精緻化されたプリコーディング設定を特定し得る。
【０２０３】
いくつかの例では、ランダムアクセスマネージャ735-aは、指示される精緻化されたプリコーディング設定に従ってUEから少なくとも1つの送信を受信するために使用され得る。いくつかの例では、少なくとも1つの送信は、ランダムアクセス手順における少なくとも1つの送信(たとえば、初期PUSCH送信、または初期PUSCH送信の再送信、またはこれらの任意の組合せ)、または、ランダムアクセス手順の後の少なくとも1つの送信(たとえば、PUSCH送信または後続のランダムアクセス手順の一部である送信)を含み得る。
【０２０４】
いくつかの例では、プリコーディング精緻化マネージャ740-aは、プリコーダ選択信号受信が有効であるという第1の指示、または有効であるプリコーダ選択信号受信のタイプの第2の指示、またはこれらの組合せを含む、システム情報を送信するために使用され得る。これらの例では、プリコーディング精緻化マネージャ740-aは、少なくとも第1の指示または第2の指示を送信したことに応答して、プリコーダ選択信号を受信するために使用され得る。
【０２０５】
いくつかの例では、ランダムアクセスマネージャ735-aは、UEによるランダムアクセス手順の実行の間に、RARグラント、または初期PUSCH送信のためのDCIスケジューリング情報、またはこれらの組合せのうちの少なくとも1つを含む送信を送信し得る。いくつかの例では、送信は、少なくとも1つのプリコーダ選択信号パラメータを含み得る。少なくとも1つのプリコーダ選択信号パラメータは、プリコーダ選択信号の帯域幅、またはプリコーダ選択信号の巡回シフト、またはプリコーダ選択信号を送信すべきアンテナポートの数、またはこれらの組合せを含み得る。いくつかの例では、プリコーディング精緻化マネージャ740-aを使用して受信されるプリコーダ選択信号は、プリコーダ選択信号パラメータに少なくとも一部基づき得る。
【０２０６】
いくつかの例では、ランダムアクセスマネージャ735-aは、ランダムアクセスリソース割振器805によって特定されるリソースの第2のセット上で、PRACHまたはePRACHのうちの少なくとも1つを受信するために使用されることがあり、一方でUEはランダムアクセス手順を実行する。
【０２０７】
図9は、本開示の1つまたは複数の態様による、ワイヤレス通信において使用するためのUE115-dの図900を示す。UE115-dは、パーソナルコンピュータ(たとえば、ラップトップコンピュータ、ネットブックコンピュータ、タブレットコンピュータなど)、携帯電話、PDA、デジタルビデオレコーダ(DVR)、インターネットアプライアンス、ゲーミングコンソール、電子リーダー、車両、家電機器、照明もしくは警報制御システムなどに含まれることがあり、またはそれらの一部であることがある。UE115-dは、いくつかの例では、モバイル動作を容易にするために、小型バッテリーなどの内部電源(図示せず)を有し得る。いくつかの例では、UE115-dは、図1、図2、図3、もしくは図4に関して説明されたようなUE115のうちの1つまたは複数の態様、または図5に関して説明されたような装置515の態様の例であり得る。UE115-dは、図1、図2、図3、図4、図5、または図6に関して説明されたような、UEまたは装置の技法および機能の少なくとも一部を実装するように構成され得る。
【０２０８】
UE115-dは、プロセッサ910、メモリ920、少なくとも1つのトランシーバ(トランシーバ930によって表される)、アンテナ940(たとえば、アンテナアレイ)、またはワイヤレス通信マネージャ520-cを含み得る。これらの構成要素の各々は、1つまたは複数のバス935を通じて、直接または間接的に、互いに通信していることがある。
【０２０９】
メモリ920は、ランダムアクセスメモリ(RAM)または読取り専用メモリ(ROM)を含み得る。メモリ920は、実行されると、プロセッサ910に、たとえば、ランダムアクセス手順を実行しながらアンテナ940の少なくとも2つからプリコーダ選択信号を送信することを含む、ワイヤレス通信に関する、本明細書において説明される様々な機能を実行させるように構成される命令を含む、コンピュータ可読のコンピュータ実行可能コード925を記憶し得る。代わりに、コンピュータ実行可能コード925は、プロセッサ910によって直接的に実行可能ではないことがあるが、(たとえば、コンパイルされ実行されると)本明細書で説明される様々な機能をUE115-dに実行させるように構成され得る。
【０２１０】
プロセッサ910は、インテリジェントハードウェアデバイス、たとえば、中央処理装置(CPU)、マイクロコントローラ、ASICなどを含み得る。プロセッサ910は、トランシーバ930を通じて受信される情報、または、アンテナ940を通じた送信のためにトランシーバ930に送信されるべき情報を処理し得る。プロセッサ910は、単独で、またはワイヤレス通信マネージャ520-cとともに、1つまたは複数の高周波スペクトル帯域を通じて通信すること(またはそれを通じた通信を管理すること)の1つまたは複数の態様を扱い得る。
【０２１１】
トランシーバ930は、パケットを変調し、変調されたパケットを送信のためにアンテナ940に提供し、アンテナ940から受信されたパケットを復調するように構成されたモデムを含み得る。トランシーバ930は、いくつかの例では、1つまたは複数の送信機および1つまたは複数の別個の受信機として実装され得る。トランシーバ930は、1つまたは複数の高周波スペクトル帯域における通信をサポートし得る。トランシーバ930は、図1、図2、図3、もしくは図4に関して説明されたようなネットワークアクセスデバイス105のうちの1つまたは複数、または図7に関して説明されたような装置705と、アンテナ940を介して双方向に通信するように構成され得る。
【０２１２】
ワイヤレス通信マネージャ520-cは、ワイヤレス通信に関する、図1、図2、図3、図4、図5、または図6に関して説明されたような、UEまたは装置の技法もしくは機能の一部またはすべてを、実行または制御するように構成され得る。ワイヤレス通信マネージャ520-cもしくはその一部がプロセッサを含むことがあり、またはワイヤレス通信マネージャ520-cの機能の一部もしくはすべてがプロセッサ910によって、もしくはプロセッサ910と連係して実行されることがある。いくつかの例では、ワイヤレス通信マネージャ520-cは、図1、図5、または図6に関して説明されたようなワイヤレス通信マネージャ520の例であり得る。
【０２１３】
図10は、本開示の1つまたは複数の態様による、ワイヤレス通信において使用するためのネットワークアクセスデバイス105-gの図1000を示す。いくつかの例では、ネットワークアクセスデバイス105-gは、図1、図2、図3、もしくは図4に関して説明されたようなネットワークアクセスデバイス105(たとえば、ラジオヘッド、基地局、eNB、またはANC)の1つまたは複数の態様、または図7に関して説明されたような装置705の態様の例であり得る。ネットワークアクセスデバイス105-gは、図1、図2、図3、図4、図7、または図8に関して説明されたようなネットワークアクセスデバイスの技法および機能の少なくとも一部を実装または支援するように構成され得る。
【０２１４】
ネットワークアクセスデバイス105-gは、プロセッサ1010、メモリ1020、少なくとも1つのトランシーバ(トランシーバ1050によって表される)、アンテナ1055(たとえば、アンテナアレイ)、またはワイヤレス通信マネージャ720-cを含み得る。ネットワークアクセスデバイス105-gはまた、ネットワークアクセスデバイス通信器1030またはネットワーク通信器1040のうちの1つまたは複数を含み得る。これらの構成要素の各々は、1つまたは複数のバス1035を通じて直接または間接的に互いに通信していてよい。
【０２１５】
メモリ1020はRAMまたはROMを含み得る。メモリ1020は、実行されると、プロセッサ1010に、たとえば、UEがランダムアクセス手順を実行している間にUEの少なくとも2つのアンテナからのプリコーダ選択信号を受信することと、受信されたプリコーダ選択信号に少なくとも一部基づいてUEのための精緻化されたプリコーディング設定を特定することと、精緻化されたプリコーディング設定の指示をUEに送信することとを含む、ワイヤレス通信に関する本明細書で説明された様々な機能を実行させるように構成される命令を含む、コンピュータ可読のコンピュータ実行可能コード1025を記憶し得る。代わりに、コンピュータ実行可能コード1025は、プロセッサ1010によって直接実行可能ではないが、(たとえば、コンパイルおよび実行されると)本明細書で説明される様々な機能をネットワークアクセスデバイス105-gに実行させるように構成されることがある。
【０２１６】
プロセッサ1010は、インテリジェントハードウェアデバイス、たとえば、CPU、マイクロコントローラ、ASICなどを含み得る。プロセッサ1010は、トランシーバ1050、ネットワークアクセスデバイス通信器1030、またはネットワーク通信器1040を通じて受信された情報を処理し得る。プロセッサ1010はまた、アンテナ1055を通じた送信のためにトランシーバ1050に送信されるべき情報、または、1つまたは複数の他のネットワークアクセスデバイス(たとえば、ネットワークアクセスデバイス105-hおよびネットワークアクセスデバイス105-i)への送信のためにネットワークアクセスデバイス通信器1030に送信されるべき情報、または、図1に関して説明されたようなコアネットワーク130の1つまたは複数の態様の例であり得る、コアネットワーク130-aへの送信のためにネットワーク通信器1040に送信されるべき情報を処理し得る。プロセッサ1010は、単独で、またはワイヤレス通信マネージャ720-cとともに、1つまたは複数の高周波スペクトル帯域を通じて通信すること(またはそれを通じた通信を管理すること)の1つまたは複数の態様を扱い得る。
【０２１７】
トランシーバ1050は、パケットを変調し、変調されたパケットを送信のためにアンテナ1055に提供し、アンテナ1055から受信されたパケットを復調するように構成されたモデムを含み得る。トランシーバ1050は、いくつかの例では、1つまたは複数の送信機および1つまたは複数の別個の受信機として実装され得る。トランシーバ1050は、1つまたは複数の高周波スペクトル帯域における通信をサポートし得る。トランシーバ1050は、図1、図2、図3、図4、もしくは図9に関して説明されたようなUE115のうちの1つ、または図5に関して説明された装置515などの、1つまたは複数のUEまたは装置と、アンテナ1055を介して双方向に通信するように構成され得る。ネットワークアクセスデバイス105-gは、ネットワーク通信器1040を通じてコアネットワーク130-aと通信し得る。ネットワークアクセスデバイス105-gは、ネットワークアクセスデバイス通信器1030を使用して、ネットワークアクセスデバイス105-hおよびネットワークアクセスデバイス105-iなどの他のネットワークアクセスデバイスとも通信し得る。
【０２１８】
ワイヤレス通信マネージャ720-cは、ワイヤレス通信に関する、図1、図2、図3、図4、図7、または図8に関して説明された、ネットワークアクセスデバイスまたは装置の技法もしくは機能の一部またはすべてを、実行または制御するように構成され得る。ワイヤレス通信マネージャ720-cもしくはその一部がプロセッサを含むことがあり、またはワイヤレス通信マネージャ720-cの機能の一部もしくはすべてがプロセッサ1010によって、もしくはプロセッサ1010と連係して実行されることがある。いくつかの例では、ワイヤレス通信マネージャ720-cは、図1、図7、または図8に関して説明されたようなワイヤレス通信マネージャ720の例であり得る。
【０２１９】
図11は、本開示の1つまたは複数の態様による、UEにおけるワイヤレス通信のための方法1100の例を示すフローチャートである。明確にするために、方法1100は、図1、図2、図3、図4、もしくは図9に関して説明されたようなUE115の1つまたは複数の態様、図5に関して説明されたような装置515の態様、または図1、図5、図6、もしくは図9に関して説明されたようなワイヤレス通信マネージャ520のうちの1つまたは複数の態様に関して、以下で説明される。いくつかの例では、UEは、以下で説明される機能を実行するようにUEの機能要素を制御するために、コードの1つまたは複数のセットを実行し得る。加えて、または代わりに、UEは、以下で説明される機能のうちの1つまたは複数を、専用ハードウェアを使用して実行し得る。
【０２２０】
1105において、方法1100は、ワイヤレスネットワークを通じたランダムアクセス手順の実行の間に、UEの少なくとも2つのアンテナからプリコーダ選択信号を送信するステップを含み得る。1105における動作は、図1、図5、図6、もしくは図9に関して説明されたようなワイヤレス通信マネージャ520を使用して、または、図5もしくは図6に関して説明されたようなランダムアクセスマネージャ535もしくはプリコーダ選択信号送信マネージャ540を使用して実行され得る。
【０２２１】
1110において、方法1100は、ランダムアクセス手順の間にワイヤレスネットワークから、UEのための精緻化されたプリコーディング設定の指示を受信するステップを含み得る。いくつかの例では、精緻化されたプリコーディング設定は、プリコーダ選択信号、またはUEによって実行された以前のランダムアクセス手順の間に送信された、以前に送信されたプリコーダ選択信号、またはこれらの組合せに少なくとも一部基づき得る。1110における動作は、図1、図5、図6、もしくは図9に関して説明されたようなワイヤレス通信マネージャ520を使用して、または、図5もしくは図6に関して説明されたようなランダムアクセスマネージャ535もしくはプリコーディングマネージャ545を使用して実行され得る。
【０２２２】
1115において、方法1100は任意選択で、UEのための精緻化されたプリコーディング設定をランダムアクセス手順における少なくとも1つの送信に適用するステップを含み得る。いくつかの例では、少なくとも1つの送信は、初期PUSCH送信、または初期PUSCH送信の再送信、またはこれらの組合せのうちの少なくとも1つを含み得る。1115における動作は、図1、図5、図6、もしくは図9に関して説明されたようなワイヤレス通信マネージャ520を使用して、または、図5もしくは図6に関して説明されたようなランダムアクセスマネージャ535もしくはプリコーダ選択信号送信マネージャ540を使用して実行され得る。
【０２２３】
1120において、方法1100は任意選択で、UEのための精緻化されたプリコーディング設定をランダムアクセス手順の後の少なくとも1つの送信に適用するステップを含み得る。1120における動作は、図1、図5、図6、もしくは図9に関して説明されたようなワイヤレス通信マネージャ520を使用して、または、図5もしくは図6に関して説明されたようなランダムアクセスマネージャ535もしくはプリコーダ選択信号送信マネージャ540を使用して実行され得る。
【０２２４】
図12は、本開示の1つまたは複数の態様による、UEにおけるワイヤレス通信のための方法1200の例を示すフローチャートである。明確にするために、方法1200は、図1、図2、図3、図4、もしくは図9に関して説明されたようなUE115の1つまたは複数の態様、図5に関して説明されたような装置515の態様、または図1、図5、図6、もしくは図9に関して説明されたようなワイヤレス通信マネージャ520のうちの1つまたは複数の態様に関して、以下で説明される。いくつかの例では、UEは、以下で説明される機能を実行するようにUEの機能要素を制御するために、コードの1つまたは複数のセットを実行し得る。加えて、または代わりに、UEは、以下で説明される機能のうちの1つまたは複数を、専用ハードウェアを使用して実行し得る。
【０２２５】
1205および1210において、方法1200は、ワイヤレスネットワークを通じたランダムアクセス手順の実行の間に、UEの少なくとも2つのアンテナからプリコーダ選択信号を送信するステップを含み得る。より具体的には、方法1200は、1205において第1のアンテナから第1のMRSを送信するステップと、1210において第2のアンテナから第2のMRSを送信するステップとを含み得る。いくつかの例では、第1のMRSおよび第2のMRSは、PRACH送信、またはePRACH送信、または初期PUSCH送信、またはこれらの組合せのうちの少なくとも1つとともに送信され得る。1205および1210における動作は、図1、図5、図6、もしくは図9に関して説明されたようなワイヤレス通信マネージャ520を使用して、図5もしくは図6に関して説明されたようなランダムアクセスマネージャ535もしくはプリコーダ選択信号送信マネージャ540を使用して、または図6に関して説明されたようなMRS送信マネージャ605を使用して実行され得る。
【０２２６】
1215において、方法1200は、ランダムアクセス手順の間にワイヤレスネットワークから、UEのための精緻化されたプリコーディング設定の指示を受信するステップを含み得る。いくつかの例では、精緻化されたプリコーディング設定は、プリコーダ選択信号、またはUEによって実行された以前のランダムアクセス手順の間に送信された、以前に送信されたプリコーダ選択信号、またはこれらの組合せに少なくとも一部基づき得る。1215における動作は、図1、図5、図6、もしくは図9に関して説明されたようなワイヤレス通信マネージャ520を使用して、または、図5もしくは図6に関して説明されたようなランダムアクセスマネージャ535もしくはプリコーディングマネージャ545を使用して実行され得る。
【０２２７】
1220において、方法1200は任意選択で、ランダムアクセス手順の実行の間に、UEのための精緻化されたプリコーディング設定の指示に少なくとも一部基づいて第1のプリコーダを使用して、または以前の成功したランダムアクセス手順の間にUEによって使用された第2のプリコーダを使用して、ePRACH送信または初期PUSCH送信を送信するステップを含み得る。1220における動作は、図1、図5、図6、もしくは図9に関して説明されたようなワイヤレス通信マネージャ520を使用して、または、図5もしくは図6に関して説明されたようなランダムアクセスマネージャ535もしくはプリコーディングマネージャ545を使用して実行され得る。
【０２２８】
図13は、本開示の1つまたは複数の態様による、UEにおけるワイヤレス通信のための方法1300の例を示すフローチャートである。明確にするために、方法1300は、図1、図2、図3、図4、もしくは図9に関して説明されたようなUE115の1つまたは複数の態様、図5に関して説明されたような装置515の態様、または図1、図5、図6、もしくは図9に関して説明されたようなワイヤレス通信マネージャ520のうちの1つまたは複数の態様に関して、以下で説明される。いくつかの例では、UEは、以下で説明される機能を実行するようにUEの機能要素を制御するために、コードの1つまたは複数のセットを実行し得る。加えて、または代わりに、UEは、以下で説明される機能のうちの1つまたは複数を、専用ハードウェアを使用して実行し得る。
【０２２９】
1305および1310において、方法1300は、ワイヤレスネットワークを通じたランダムアクセス手順の実行の間に、UEの少なくとも2つのアンテナからプリコーダ選択信号を送信するステップを含み得る。より具体的には、方法1300は、1305において、事前に構成されたアンテナ回転に従って、第1のアンテナから第1のDMRSとデータ送信の第1の部分とを送信するステップと、1310において、事前に構成されたアンテナ回転に従って、第2のアンテナから第2のDMRSとデータ送信の第2の部分とを送信するステップとを含み得る。いくつかの例では、データ送信は、ePRACH送信または初期PUSCH送信のデータペイロードを含み得る。1305および1310における動作は、図1、図5、図6、もしくは図9に関して説明されたようなワイヤレス通信マネージャ520を使用して、図5もしくは図6に関して説明されたようなランダムアクセスマネージャ535もしくはプリコーダ選択信号送信マネージャ540を使用して、または図6に関して説明されたようなアンテナ回転マネージャ610を使用して実行され得る。
【０２３０】
1315において、方法1300は、ランダムアクセス手順の間にワイヤレスネットワークから、UEのための精緻化されたプリコーディング設定の指示を受信するステップを含み得る。いくつかの例では、精緻化されたプリコーディング設定は、プリコーダ選択信号、またはUEによって実行された以前のランダムアクセス手順の間に送信された、以前に送信されたプリコーダ選択信号、またはこれらの組合せに少なくとも一部基づき得る。1315における動作は、図1、図5、図6、もしくは図9に関して説明されたようなワイヤレス通信マネージャ520を使用して、または、図5もしくは図6に関して説明されたようなランダムアクセスマネージャ535もしくはプリコーディングマネージャ545を使用して実行され得る。
【０２３１】
図14は、本開示の1つまたは複数の態様による、UEにおけるワイヤレス通信のための方法1400の例を示すフローチャートである。明確にするために、方法1400は、図1、図2、図3、図4、もしくは図9に関して説明されたようなUE115の1つまたは複数の態様、図5に関して説明されたような装置515の態様、または図1、図5、図6、もしくは図9に関して説明されたようなワイヤレス通信マネージャ520のうちの1つまたは複数の態様に関して、以下で説明される。いくつかの例では、UEは、以下で説明される機能を実行するようにUEの機能要素を制御するために、コードの1つまたは複数のセットを実行し得る。加えて、または代わりに、UEは、以下で説明される機能のうちの1つまたは複数を、専用ハードウェアを使用して実行し得る。
【０２３２】
1405および1410において、方法1400は、ワイヤレスネットワークを通じたランダムアクセス手順の実行の間に、UEの少なくとも2つのアンテナからプリコーダ選択信号を送信するステップを含み得る。より具体的には、方法1400は、1405において、事前に構成されたプリコーダサイクリングに従って、第1のプリコーダを使用して少なくとも第1のアンテナおよび第2のアンテナから第1のDMRSとデータ送信の第1の部分とを送信するステップと、1410において、事前に構成されたプリコーダサイクリングに従って、第2のプリコーダを使用して少なくとも第1のアンテナおよび第2のアンテナから第2のDMRSとデータ送信の第2の部分とを送信するステップとを含み得る。第2のプリコーダは第1のプリコーダと異なり得る。いくつかの例では、データ送信は、ePRACH送信または初期PUSCH送信のデータペイロードを含み得る。1405および1410における動作は、図1、図5、図6、もしくは図9に関して説明されたようなワイヤレス通信マネージャ520を使用して、図5もしくは図6に関して説明されたようなランダムアクセスマネージャ535もしくはプリコーダ選択信号送信マネージャ540を使用して、または図6に関して説明されたようなプリコーダサイクリングマネージャ615を使用して実行され得る。
【０２３３】
1415において、方法1400は、ランダムアクセス手順の間にワイヤレスネットワークから、UEのための精緻化されたプリコーディング設定の指示を受信するステップを含み得る。いくつかの例では、精緻化されたプリコーディング設定は、プリコーダ選択信号、またはUEによって実行された以前のランダムアクセス手順の間に送信された、以前に送信されたプリコーダ選択信号、またはこれらの組合せに少なくとも一部基づき得る。1415における動作は、図1、図5、図6、もしくは図9に関して説明されたようなワイヤレス通信マネージャ520を使用して、または、図5もしくは図6に関して説明されたようなランダムアクセスマネージャ535もしくはプリコーディングマネージャ545を使用して実行され得る。
【０２３４】
図15は、本開示の1つまたは複数の態様による、UEにおけるワイヤレス通信のための方法1500の例を示すフローチャートである。明確にするために、方法1500は、図1、図2、図3、図4、もしくは図9に関して説明されたようなUE115の1つまたは複数の態様、図5に関して説明されたような装置515の態様、または図1、図5、図6、もしくは図9に関して説明されたようなワイヤレス通信マネージャ520のうちの1つまたは複数の態様に関して、以下で説明される。いくつかの例では、UEは、以下で説明される機能を実行するようにUEの機能要素を制御するために、コードの1つまたは複数のセットを実行し得る。加えて、または代わりに、UEは、以下で説明される機能のうちの1つまたは複数を、専用ハードウェアを使用して実行し得る。
【０２３５】
1505において、方法1500は、プリコーダ選択信号受信が有効であるという第1の指示、または有効であるプリコーダ選択信号受信のタイプの第2の指示、またはこれらの組合せを含む、システム情報を受信するステップを含み得る。1505における動作は、図1、図5、図6、もしくは図9に関して説明されたようなワイヤレス通信マネージャ520を使用して、または、図5もしくは図6に関して説明されたようなプリコーディングマネージャ545を使用して実行され得る。
【０２３６】
1510において、方法1500は、ワイヤレスネットワークを通じたランダムアクセス手順の実行の間に、UEの少なくとも2つのアンテナからプリコーダ選択信号を送信するステップを含み得る。いくつかの例では、プリコーダ選択信号は、少なくとも第1の指示または第2の指示を受信したことに応答して送信され得る。1510における動作は、図1、図5、図6、もしくは図9に関して説明されたようなワイヤレス通信マネージャ520を使用して、または、図5もしくは図6に関して説明されたようなランダムアクセスマネージャ535もしくはプリコーダ選択信号送信マネージャ540を使用して実行され得る。
【０２３７】
1515において、方法1500は、ランダムアクセス手順の間にワイヤレスネットワークから、UEのための精緻化されたプリコーディング設定の指示を受信するステップを含み得る。いくつかの例では、精緻化されたプリコーディング設定は、プリコーダ選択信号、またはUEによって実行された以前のランダムアクセス手順の間に送信された、以前に送信されたプリコーダ選択信号、またはこれらの組合せに少なくとも一部基づき得る。1515における動作は、図1、図5、図6、もしくは図9に関して説明されたようなワイヤレス通信マネージャ520を使用して、または、図5もしくは図6に関して説明されたようなランダムアクセスマネージャ535もしくはプリコーディングマネージャ545を使用して実行され得る。
【０２３８】
図16は、本開示の1つまたは複数の態様による、UEにおけるワイヤレス通信のための方法1600の例を示すフローチャートである。明確にするために、方法1600は、図1、図2、図3、図4、もしくは図9に関して説明されたようなUE115の1つまたは複数の態様、図5に関して説明されたような装置515の態様、または図1、図5、図6、もしくは図9に関して説明されたようなワイヤレス通信マネージャ520のうちの1つまたは複数の態様に関して、以下で説明される。いくつかの例では、UEは、以下で説明される機能を実行するようにUEの機能要素を制御するために、コードの1つまたは複数のセットを実行し得る。加えて、または代わりに、UEは、以下で説明される機能のうちの1つまたは複数を、専用ハードウェアを使用して実行し得る。
【０２３９】
1605において、方法1600は、ワイヤレスネットワークを通じたランダムアクセス手順の実行の間に、RARグラント、または初期PUSCH送信のためのDCIスケジューリング情報、またはこれらの組合せのうちの少なくとも1つを含む送信を受信するステップを含み得る。いくつかの例では、送信は、少なくとも1つのプリコーダ選択信号パラメータを含み得る。少なくとも1つのプリコーダ選択信号パラメータは、プリコーダ選択信号の帯域幅、またはプリコーダ選択信号の巡回シフト、またはプリコーダ選択信号を送信すべきアンテナポートの数、またはこれらの組合せを含み得る。1605における動作は、図1、図5、図6、もしくは図9に関して説明されたようなワイヤレス通信マネージャ520を使用して、または、図5もしくは図6に関して説明されたようなランダムアクセスマネージャ535もしくはプリコーダ選択信号送信マネージャ540を使用して実行され得る。
【０２４０】
1610において、方法1600は、ランダムアクセス手順の実行の間に、初期PUSCHを送信するステップを含み得る。1610における動作はまた、初期PUSCHとともに、UEの少なくとも2つのアンテナからプリコーダ選択信号を送信するステップを含み得る。いくつかの例では、プリコーダ選択信号は、1605において受信された少なくとも1つのプリコーダ選択信号パラメータに少なくとも一部基づき得る。1610における動作は、図1、図5、図6、もしくは図9に関して説明されたようなワイヤレス通信マネージャ520を使用して、または、図5もしくは図6に関して説明されたようなランダムアクセスマネージャ535もしくはプリコーダ選択信号送信マネージャ540を使用して実行され得る。
【０２４１】
1615において、方法1600は、ランダムアクセス手順の間にワイヤレスネットワークから、UEのための精緻化されたプリコーディング設定の指示を受信するステップを含み得る。いくつかの例では、精緻化されたプリコーディング設定は、プリコーダ選択信号、またはUEによって実行された以前のランダムアクセス手順の間に送信された、以前に送信されたプリコーダ選択信号、またはこれらの組合せに少なくとも一部基づき得る。1615における動作は、図1、図5、図6、もしくは図9に関して説明されたようなワイヤレス通信マネージャ520を使用して、または、図5もしくは図6に関して説明されたようなランダムアクセスマネージャ535もしくはプリコーディングマネージャ545を使用して実行され得る。
【０２４２】
図17は、本開示の1つまたは複数の態様による、UEにおけるワイヤレス通信のための方法1700の例を示すフローチャートである。明確にするために、方法1700は、図1、図2、図3、図4、もしくは図9に関して説明されたようなUE115の1つまたは複数の態様、図5に関して説明されたような装置515の態様、または図1、図5、図6、もしくは図9に関して説明されたようなワイヤレス通信マネージャ520のうちの1つまたは複数の態様に関して、以下で説明される。いくつかの例では、UEは、以下で説明される機能を実行するようにUEの機能要素を制御するために、コードの1つまたは複数のセットを実行し得る。加えて、または代わりに、UEは、以下で説明される機能のうちの1つまたは複数を、専用ハードウェアを使用して実行し得る。
【０２４３】
1705において、方法1700は、ワイヤレスネットワークを通じたランダムアクセス手順の実行の間に、UEの少なくとも2つのアンテナからプリコーダ選択信号を送信するステップを含み得る。1705における動作は、図1、図5、図6、もしくは図9に関して説明されたようなワイヤレス通信マネージャ520を使用して、または、図5もしくは図6に関して説明されたようなランダムアクセスマネージャ535もしくはプリコーダ選択信号送信マネージャ540を使用して実行され得る。
【０２４４】
1710において、方法1700は、ランダムアクセス手順の実行の間に、RARグラント、または初期PUSCH送信のためのDCIスケジューリング情報、またはこれらの組合せのうちの少なくとも1つを含む送信を受信するステップを含み得る。1710における動作はまた、その送信において、UEのための精緻化されたプリコーディング設定の指示を受信するステップを含み得る。いくつかの例では、精緻化されたプリコーディング設定は、プリコーダ選択信号、またはUEによって実行された以前のランダムアクセス手順の間に送信された、以前に送信されたプリコーダ選択信号、またはこれらの組合せに少なくとも一部基づき得る。1710における動作は、図1、図5、図6、もしくは図9に関して説明されたようなワイヤレス通信マネージャ520を使用して、または、図5もしくは図6に関して説明されたようなランダムアクセスマネージャ535もしくはプリコーディングマネージャ545を使用して実行され得る。
【０２４５】
図18は、本開示の1つまたは複数の態様による、UEにおけるワイヤレス通信のための方法1800の例を示すフローチャートである。明確にするために、方法1800は、図1、図2、図3、図4、もしくは図9に関して説明されたようなUE115の1つまたは複数の態様、図5に関して説明されたような装置515の態様、または図1、図5、図6、もしくは図9に関して説明されたようなワイヤレス通信マネージャ520のうちの1つまたは複数の態様に関して、以下で説明される。いくつかの例では、UEは、以下で説明される機能を実行するようにUEの機能要素を制御するために、コードの1つまたは複数のセットを実行し得る。加えて、または代わりに、UEは、以下で説明される機能のうちの1つまたは複数を、専用ハードウェアを使用して実行し得る。
【０２４６】
1805において、方法1800は、複数アンテナランダムアクセス手順と関連付けられるリソースのセットを特定するステップを含み得る。1805における動作は、図1、図5、図6、もしくは図9に関して説明されたようなワイヤレス通信マネージャ520を使用して、図5もしくは図6に関して説明されたようなランダムアクセスマネージャ535もしくはプリコーダ選択信号送信マネージャ540を使用して、または図6に関して説明されたようなランダムアクセスリソース選択器620を使用して実行され得る。
【０２４７】
1810において、方法1800は、ワイヤレスネットワークを通じてランダムアクセス手順を実行しながら、リソースの特定されたセット上でPRACHまたはePRACHのうちの少なくとも1つを送信するステップを含み得る。1810における動作はまた、ランダムアクセス手順の間に(たとえば、PRACHまたはePRACHを用いて)UEの少なくとも2つのアンテナからプリコーダ選択信号を送信するステップを含み得る。いくつかの例では、プリコーダ選択信号は、図12、図13、または図14に関して説明されたように送信され得る。1810における動作は、図1、図5、図6、もしくは図9に関して説明されたようなワイヤレス通信マネージャ520を使用して、または、図5もしくは図6に関して説明されたようなランダムアクセスマネージャ535もしくはプリコーダ選択信号送信マネージャ540を使用して実行され得る。
【０２４８】
1815において、方法1800は、ランダムアクセス手順の間にワイヤレスネットワークから、UEのための精緻化されたプリコーディング設定の指示を受信するステップを含み得る。いくつかの例では、精緻化されたプリコーディング設定は、プリコーダ選択信号、またはUEによって実行された以前のランダムアクセス手順の間に送信された、以前に送信されたプリコーダ選択信号、またはこれらの組合せに少なくとも一部基づき得る。1815における動作は、図1、図5、図6、もしくは図9に関して説明されたようなワイヤレス通信マネージャ520を使用して、または、図5もしくは図6に関して説明されたようなランダムアクセスマネージャ535もしくはプリコーディングマネージャ545を使用して実行され得る。
【０２４９】
図11、図12、図13、図14、図15、図16、図17、および図18に関して説明されたような方法1100、1200、1300、1400、1500、1600、1700、および1800は、ワイヤレス通信を実現し得る。方法1100、1200、1300、1400、1500、1600、1700、および1800は例示的な実装形態にすぎず、方法1100、1200、1300、1400、1500、1600、1700、および1800の動作は、他の実装形態が可能であるように並べ替えられ、同じもしくは異なる方法の他の動作と組み合わされ、または別様に変更され得ることに留意されたい。動作はまた、方法1100、1200、1300、1400、1500、1600、1700、および1800に追加され得る。
【０２５０】
図19は、本開示の1つまたは複数の態様による、ネットワークアクセスデバイスにおけるワイヤレス通信のための方法1900の例を示すフローチャートである。明確にするために、方法1900は、図1、図2、図3、図4、もしくは図10に関して説明されたようなネットワークアクセスデバイス105の1つまたは複数の態様、図7に関して説明されたような装置705の態様、または図1、図7、図8、もしくは図10に関して説明されたようなワイヤレス通信マネージャ720のうちの1つまたは複数の態様に関して、以下で説明される。いくつかの例では、ネットワークアクセスデバイスは、以下で説明される機能を実行するようにネットワークアクセスデバイスの機能要素を制御するためのコードの1つまたは複数のセットを実行し得る。加えて、または代わりに、ネットワークアクセスデバイスは、専用ハードウェアを使用して、以下で説明される機能のうちの1つまたは複数を実行し得る。
【０２５１】
1905において、方法1900は、UEによって実行されるランダムアクセス手順の間にUEから、UEの少なくとも2つのアンテナからのプリコーダ選択信号を受信するステップを含み得る。1905における動作は、図1、図7、図8、もしくは図10に関して説明されたようなワイヤレス通信マネージャ720を使用して、または、図7もしくは図8に関して説明されたようなランダムアクセスマネージャ735もしくはプリコーディング精緻化マネージャ740を使用して実行され得る。
【０２５２】
1910において、方法1900は、受信されたプリコーダ選択信号に少なくとも一部基づいてUEのための精緻化されたプリコーディング設定を特定するステップを含み得る。精緻化されたプリコーディング設定は、さらに、または代わりに、UEによって実行された以前のランダムアクセス手順の間に受信された、以前に受信されたプリコーダ選択信号に少なくとも一部基づき得る。1910における動作は、図1、図7、図8、もしくは図10に関して説明されたようなワイヤレス通信マネージャ720を使用して、または、図7もしくは図8に関して説明されたようなプリコーディング精緻化マネージャ740を使用して実行され得る。
【０２５３】
1915において、方法1900は、精緻化されたプリコーディング設定の指示をUEに送信するステップを含み得る。1915における動作は、図1、図7、図8、もしくは図10に関して説明されたようなワイヤレス通信マネージャ720を使用して、または、図7もしくは図8に関して説明されたようなランダムアクセスマネージャ735もしくはプリコーディング精緻化マネージャ740を使用して実行され得る。
【０２５４】
1920において、方法1900は任意選択で、指示される精緻化されたプリコーディング設定に従ってUEから少なくとも1つの送信を受信するステップを含み得る。いくつかの例では、少なくとも1つの送信は、ランダムアクセス手順における少なくとも1つの送信(たとえば、初期PUSCH送信、または初期PUSCH送信の再送信、またはこれらの任意の組合せ)、または、ランダムアクセス手順の後の少なくとも1つの送信(たとえば、PUSCH送信または後続のランダムアクセス手順の一部である送信)を含み得る。1920における動作は、図1、図7、図8、もしくは図10に関して説明されたようなワイヤレス通信マネージャ720を使用して、または、図7もしくは図8に関して説明されたようなランダムアクセスマネージャ735を使用して実行され得る。
【０２５５】
図20は、本開示の1つまたは複数の態様による、ネットワークアクセスデバイスにおけるワイヤレス通信のための方法2000の例を示すフローチャートである。明確にするために、方法2000は、図1、図2、図3、図4、もしくは図10に関して説明されたようなネットワークアクセスデバイス105の1つまたは複数の態様、図7に関して説明されたような装置705の態様、または図1、図7、図8、もしくは図10に関して説明されたようなワイヤレス通信マネージャ720のうちの1つまたは複数の態様に関して、以下で説明される。いくつかの例では、ネットワークアクセスデバイスは、以下で説明される機能を実行するようにネットワークアクセスデバイスの機能要素を制御するためのコードの1つまたは複数のセットを実行し得る。加えて、または代わりに、ネットワークアクセスデバイスは、専用ハードウェアを使用して、以下で説明される機能のうちの1つまたは複数を実行し得る。
【０２５６】
2005および2010において、方法2000は、UEによって実行されるランダムアクセス手順の間にUEから、UEの少なくとも2つのアンテナからのプリコーダ選択信号を受信するステップを含み得る。より具体的には、方法2000は、2005においてUEの第1のアンテナから第1のMRSを受信するステップと、2010においてUEの第2のアンテナから第2のMRSを受信するステップとを含み得る。いくつかの例では、第1のMRSおよび第2のMRSは、PRACH送信、またはePRACH送信、または初期PUSCH送信、またはこれらの組合せのうちの少なくとも1つとともに受信され得る。2005および2010における動作は、図1、図7、図8、もしくは図10に関して説明されたようなワイヤレス通信マネージャ720を使用して、または、図7もしくは図8に関して説明されたようなランダムアクセスマネージャ735もしくはプリコーディング精緻化マネージャ740を使用して、または図8に関して説明されたようなMRS受信マネージャ810を使用して実行され得る。
【０２５７】
2015において、方法2000は、受信されたプリコーダ選択信号に少なくとも一部基づいてUEのための精緻化されたプリコーディング設定を特定するステップを含み得る。精緻化されたプリコーディング設定は、さらに、または代わりに、UEによって実行された以前のランダムアクセス手順の間に受信された、以前に受信されたプリコーダ選択信号に少なくとも一部基づき得る。2015における動作は、図1、図7、図8、もしくは図10に関して説明されたようなワイヤレス通信マネージャ720を使用して、または、図7もしくは図8に関して説明されたようなプリコーディング精緻化マネージャ740を使用して実行され得る。
【０２５８】
2020において、方法2000は、精緻化されたプリコーディング設定の指示をUEに送信するステップを含み得る。2020における動作は、図1、図7、図8、もしくは図10に関して説明されたようなワイヤレス通信マネージャ720を使用して、または、図7もしくは図8に関して説明されたようなランダムアクセスマネージャ735もしくはプリコーディング精緻化マネージャ740を使用して実行され得る。
【０２５９】
図21は、本開示の1つまたは複数の態様による、ネットワークアクセスデバイスにおけるワイヤレス通信のための方法2100の例を示すフローチャートである。明確にするために、方法2100は、図1、図2、図3、図4、もしくは図10に関して説明されたようなネットワークアクセスデバイス105の1つまたは複数の態様、図7に関して説明されたような装置705の態様、または図1、図7、図8、もしくは図10に関して説明されたようなワイヤレス通信マネージャ720のうちの1つまたは複数の態様に関して、以下で説明される。いくつかの例では、ネットワークアクセスデバイスは、以下で説明される機能を実行するようにネットワークアクセスデバイスの機能要素を制御するためのコードの1つまたは複数のセットを実行し得る。加えて、または代わりに、ネットワークアクセスデバイスは、専用ハードウェアを使用して、以下で説明される機能のうちの1つまたは複数を実行し得る。
【０２６０】
2105および2110において、方法2100は、UEによって実行されるランダムアクセス手順の間にUEから、UEの少なくとも2つのアンテナからのプリコーダ選択信号を受信するステップを含み得る。より具体的には、方法2100は、2105において、事前に構成されたアンテナ回転に従って、UEの第1のアンテナから第1のDMRSとデータ送信の第1の部分とを受信するステップと、2110において、事前に構成されたアンテナ回転に従って、UEの第2のアンテナから第2のDMRSとデータ送信の第2の部分とを受信するステップとを含み得る。いくつかの例では、データ送信は、ePRACH送信または初期PUSCH送信のデータペイロードを含み得る。2105および2110における動作は、図1、図7、図8、もしくは図10に関して説明されたようなワイヤレス通信マネージャ720を使用して、図7もしくは図8に関して説明されたようなランダムアクセスマネージャ735もしくはプリコーディング精緻化マネージャ740を使用して、または図8に関して説明されたようなアンテナ回転マネージャ815を使用して実行され得る。
【０２６１】
2115において、方法2100は任意選択で、データ送信の第1の部分と関連付けられる第1の誤り率を決定するステップを含み得る。2115における動作は、図1、図7、図8、もしくは図10に関して説明されたようなワイヤレス通信マネージャ720を使用して、図7もしくは図8に関して説明されたようなランダムアクセスマネージャ735もしくはプリコーディング精緻化マネージャ740を使用して、または図8に関して説明されたような誤り率決定器825を使用して実行され得る。
【０２６２】
2120において、方法2100は任意選択で、データ送信の第2の部分と関連付けられる第2の誤り率を決定するステップを含み得る。2120における動作は、図1、図7、図8、もしくは図10に関して説明されたようなワイヤレス通信マネージャ720を使用して、図7もしくは図8に関して説明されたようなランダムアクセスマネージャ735もしくはプリコーディング精緻化マネージャ740を使用して、または図8に関して説明されたような誤り率決定器825を使用して実行され得る。
【０２６３】
2125において、方法2100は、受信されたプリコーダ選択信号に少なくとも一部基づいて(たとえば、データ送信の第1の部分と関連付けられる第1の誤り率およびデータ送信の第2の部分と関連付けられる第2の誤り率に少なくとも一部基づいて)UEのための精緻化されたプリコーディング設定を特定するステップを含み得る。精緻化されたプリコーディング設定は、さらに、または代わりに、UEによって実行された以前のランダムアクセス手順の間に受信された、以前に受信されたプリコーダ選択信号に少なくとも一部基づき得る。2125における動作は、図1、図7、図8、もしくは図10に関して説明されたようなワイヤレス通信マネージャ720を使用して、または、図7もしくは図8に関して説明されたようなプリコーディング精緻化マネージャ740を使用して実行され得る。
【０２６４】
2130において、方法2100は、精緻化されたプリコーディング設定の指示をUEに送信するステップを含み得る。2130における動作は、図1、図7、図8、もしくは図10に関して説明されたようなワイヤレス通信マネージャ720を使用して、または、図7もしくは図8に関して説明されたようなランダムアクセスマネージャ735もしくはプリコーディング精緻化マネージャ740を使用して実行され得る。
【０２６５】
図22は、本開示の1つまたは複数の態様による、ネットワークアクセスデバイスにおけるワイヤレス通信のための方法2200の例を示すフローチャートである。明確にするために、方法2200は、図1、図2、図3、図4、もしくは図10に関して説明されたようなネットワークアクセスデバイス105の1つまたは複数の態様、図7に関して説明されたような装置705の態様、または図1、図7、図8、もしくは図10に関して説明されたようなワイヤレス通信マネージャ720のうちの1つまたは複数の態様に関して、以下で説明される。いくつかの例では、ネットワークアクセスデバイスは、以下で説明される機能を実行するようにネットワークアクセスデバイスの機能要素を制御するためのコードの1つまたは複数のセットを実行し得る。加えて、または代わりに、ネットワークアクセスデバイスは、専用ハードウェアを使用して、以下で説明される機能のうちの1つまたは複数を実行し得る。
【０２６６】
2205および2210において、方法2200は、UEによって実行されるランダムアクセス手順の間にUEから、UEの少なくとも2つのアンテナからのプリコーダ選択信号を受信するステップを含み得る。より具体的には、方法2200は、2205において、第1のプリコーダおよび事前に構成されたプリコーダサイクリングに従って、UEの少なくとも第1のアンテナおよび第2のアンテナから第1のDMRSとデータ送信の第1の部分とを受信するステップと、2210において、第2のプリコーダおよび事前に構成されたプリコーダサイクリングに従って、UEの少なくとも第1のアンテナおよび第2のアンテナから第2のDMRSとデータ送信の第2の部分とを受信するステップとを含み得る。第2のプリコーダは第1のプリコーダと異なり得る。いくつかの例では、データ送信は、ePRACH送信または初期PUSCH送信のデータペイロードを含み得る。2205および2210における動作は、図1、図7、図8、もしくは図10に関して説明されたようなワイヤレス通信マネージャ720を使用して、図7もしくは図8に関して説明されたようなランダムアクセスマネージャ735もしくはプリコーディング精緻化マネージャ740を使用して、または図8に関して説明されたようなプリコーダサイクリングマネージャ820を使用して実行され得る。
【０２６７】
2215において、方法2200は任意選択で、データ送信の第1の部分と関連付けられる第1の誤り率を決定するステップを含み得る。2215における動作は、図1、図7、図8、もしくは図10に関して説明されたようなワイヤレス通信マネージャ720を使用して、図7もしくは図8に関して説明されたようなランダムアクセスマネージャ735もしくはプリコーディング精緻化マネージャ740を使用して、または図8に関して説明されたような誤り率決定器825を使用して実行され得る。
【０２６８】
2220において、方法2200は任意選択で、データ送信の第2の部分と関連付けられる第2の誤り率を決定するステップを含み得る。2220における動作は、図1、図7、図8、もしくは図10に関して説明されたようなワイヤレス通信マネージャ720を使用して、図7もしくは図8に関して説明されたようなランダムアクセスマネージャ735もしくはプリコーディング精緻化マネージャ740を使用して、または図8に関して説明されたような誤り率決定器825を使用して実行され得る。
【０２６９】
2225において、方法2200は、受信されたプリコーダ選択信号に少なくとも一部基づいて(たとえば、データ送信の第1の部分と関連付けられる第1の誤り率およびデータ送信の第2の部分と関連付けられる第2の誤り率に少なくとも一部基づいて)UEのための精緻化されたプリコーディング設定を特定するステップを含み得る。精緻化されたプリコーディング設定は、さらに、または代わりに、UEによって実行された以前のランダムアクセス手順の間に受信された、以前に受信されたプリコーダ選択信号に少なくとも一部基づき得る。2225における動作は、図1、図7、図8、もしくは図10に関して説明されたようなワイヤレス通信マネージャ720を使用して、または、図7もしくは図8に関して説明されたようなプリコーディング精緻化マネージャ740を使用して実行され得る。
【０２７０】
2230において、方法2200は、精緻化されたプリコーディング設定の指示をUEに送信するステップを含み得る。2230における動作は、図1、図7、図8、もしくは図10に関して説明されたようなワイヤレス通信マネージャ720を使用して、または、図7もしくは図8に関して説明されたようなランダムアクセスマネージャ735もしくはプリコーディング精緻化マネージャ740を使用して実行され得る。
【０２７１】
図23は、本開示の1つまたは複数の態様による、ネットワークアクセスデバイスにおけるワイヤレス通信のための方法2300の例を示すフローチャートである。明確にするために、方法2300は、図1、図2、図3、図4、もしくは図10に関して説明されたようなネットワークアクセスデバイス105の1つまたは複数の態様、図7に関して説明されたような装置705の態様、または図1、図7、図8、もしくは図10に関して説明されたようなワイヤレス通信マネージャ720のうちの1つまたは複数の態様に関して、以下で説明される。いくつかの例では、ネットワークアクセスデバイスは、以下で説明される機能を実行するようにネットワークアクセスデバイスの機能要素を制御するためのコードの1つまたは複数のセットを実行し得る。加えて、または代わりに、ネットワークアクセスデバイスは、専用ハードウェアを使用して、以下で説明される機能のうちの1つまたは複数を実行し得る。
【０２７２】
2305において、方法2300は、プリコーダ選択信号受信が有効であるという第1の指示、または有効であるプリコーダ選択信号受信のタイプの第2の指示、またはこれらの組合せを含む、システム情報を送信するステップを含み得る。2305における動作は、図1、図7、図8、もしくは図10に関して説明されたようなワイヤレス通信マネージャ720を使用して、または、図7もしくは図8に関して説明されたようなプリコーディング精緻化マネージャ740を使用して実行され得る。
【０２７３】
2310において、方法2300は、UEによって実行されるランダムアクセス手順の間にUEから、UEの少なくとも2つのアンテナからのプリコーダ選択信号を受信するステップを含み得る。いくつかの例では、プリコーダ選択信号は、少なくとも第1の指示または第2の指示を送信したことに応答して受信され得る。2310における動作は、図1、図7、図8、もしくは図10に関して説明されたようなワイヤレス通信マネージャ720を使用して、または、図7もしくは図8に関して説明されたようなランダムアクセスマネージャ735もしくはプリコーディング精緻化マネージャ740を使用して実行され得る。
【０２７４】
2315において、方法2300は、受信されたプリコーダ選択信号に少なくとも一部基づいてUEのための精緻化されたプリコーディング設定を特定するステップを含み得る。精緻化されたプリコーディング設定は、さらに、または代わりに、UEによって実行された以前のランダムアクセス手順の間に受信された、以前に受信されたプリコーダ選択信号に少なくとも一部基づき得る。2315における動作は、図1、図7、図8、もしくは図10に関して説明されたようなワイヤレス通信マネージャ720を使用して、または、図7もしくは図8に関して説明されたようなプリコーディング精緻化マネージャ740を使用して実行され得る。
【０２７５】
2320において、方法2300は、精緻化プリコーディング設定の指示をUEに送信するステップを含み得る。2320における動作は、図1、図7、図8、もしくは図10に関して説明されたようなワイヤレス通信マネージャ720を使用して、または、図7もしくは図8に関して説明されたようなランダムアクセスマネージャ735もしくはプリコーディング精緻化マネージャ740を使用して実行され得る。
【０２７６】
図24は、本開示の1つまたは複数の態様による、ネットワークアクセスデバイスにおけるワイヤレス通信のための方法2400の例を示すフローチャートである。明確にするために、方法2400は、図1、図2、図3、図4、もしくは図10に関して説明されたようなネットワークアクセスデバイス105の1つまたは複数の態様、図7に関して説明されたような装置705の態様、または図1、図7、図8、もしくは図10に関して説明されたようなワイヤレス通信マネージャ720のうちの1つまたは複数の態様に関して、以下で説明される。いくつかの例では、ネットワークアクセスデバイスは、以下で説明される機能を実行するようにネットワークアクセスデバイスの機能要素を制御するためのコードの1つまたは複数のセットを実行し得る。加えて、または代わりに、ネットワークアクセスデバイスは、専用ハードウェアを使用して、以下で説明される機能のうちの1つまたは複数を実行し得る。
【０２７７】
2405において、方法2400は、UEによるランダムアクセス手順の実行の間に、RARグラント、またはUEの初期PUSCH送信のためのDCIスケジューリング情報、またはこれらの組合せのうちの少なくとも1つを含む送信を送信するステップを含み得る。いくつかの例では、送信は、少なくとも1つのプリコーダ選択信号パラメータを含み得る。少なくとも1つのプリコーダ選択信号パラメータは、プリコーダ選択信号の帯域幅、またはプリコーダ選択信号の巡回シフト、またはプリコーダ選択信号を送信すべきアンテナポートの数、またはこれらの組合せを含み得る。2405における動作は、図1、図7、図8、もしくは図10に関して説明されたようなワイヤレス通信マネージャ720を使用して、または、図7もしくは図8に関して説明されたようなランダムアクセスマネージャ735もしくはプリコーディング精緻化マネージャ740を使用して実行され得る。
【０２７８】
2410において、方法2400は、ランダムアクセス手順の間にUEから、UEの少なくとも2つのアンテナからのプリコーダ選択信号を受信するステップを含み得る。いくつかの例では、プリコーダ選択信号は、2405において送信された少なくとも1つのプリコーダ選択信号パラメータに少なくとも一部基づき得る。2410における動作は、図1、図7、図8、もしくは図10に関して説明されたようなワイヤレス通信マネージャ720を使用して、または、図7もしくは図8に関して説明されたようなランダムアクセスマネージャ735もしくはプリコーディング精緻化マネージャ740を使用して実行され得る。
【０２７９】
2415において、方法2400は、受信されたプリコーダ選択信号に少なくとも一部基づいてUEのための精緻化されたプリコーディング設定を特定するステップを含み得る。精緻化されたプリコーディング設定は、さらに、または代わりに、UEによって実行された以前のランダムアクセス手順の間に受信された、以前に受信されたプリコーダ選択信号に少なくとも一部基づき得る。2415における動作は、図1、図7、図8、もしくは図10に関して説明されたようなワイヤレス通信マネージャ720を使用して、または、図7もしくは図8に関して説明されたようなプリコーディング精緻化マネージャ740を使用して実行され得る。
【０２８０】
ブロック2420において、方法2400は、精緻化されたプリコーディング設定の指示をUEに送信するステップを含み得る。2420における動作は、図1、図7、図8、もしくは図10に関して説明されたようなワイヤレス通信マネージャ720を使用して、または、図7もしくは図8に関して説明されたようなランダムアクセスマネージャ735もしくはプリコーディング精緻化マネージャ740を使用して実行され得る。
【０２８１】
図25は、本開示の1つまたは複数の態様による、ネットワークアクセスデバイスにおけるワイヤレス通信のための方法2500の例を示すフローチャートである。明確にするために、方法2500は、図1、図2、図3、図4、もしくは図10に関して説明されたようなネットワークアクセスデバイス105の1つまたは複数の態様、図7に関して説明されたような装置705の態様、または図1、図7、図8、もしくは図10に関して説明されたようなワイヤレス通信マネージャ720のうちの1つまたは複数の態様に関して、以下で説明される。いくつかの例では、ネットワークアクセスデバイスは、以下で説明される機能を実行するようにネットワークアクセスデバイスの機能要素を制御するためのコードの1つまたは複数のセットを実行し得る。加えて、または代わりに、ネットワークアクセスデバイスは、専用ハードウェアを使用して、以下で説明される機能のうちの1つまたは複数を実行し得る。
【０２８２】
2505において、方法2500は、UEによって実行されるランダムアクセス手順の間にUEから、UEの少なくとも2つのアンテナからのプリコーダ選択信号を受信するステップを含み得る。2505における動作は、図1、図7、図8、もしくは図10に関して説明されたようなワイヤレス通信マネージャ720を使用して、または、図7もしくは図8に関して説明されたようなランダムアクセスマネージャ735もしくはプリコーディング精緻化マネージャ740を使用して実行され得る。
【０２８３】
2510において、方法2500は、受信されたプリコーダ選択信号に少なくとも一部基づいてUEのための精緻化されたプリコーディング設定を特定するステップを含み得る。精緻化されたプリコーディング設定は、さらに、または代わりに、UEによって実行された以前のランダムアクセス手順の間に受信された、以前に受信されたプリコーダ選択信号に少なくとも一部基づき得る。2510における動作は、図1、図7、図8、もしくは図10に関して説明されたようなワイヤレス通信マネージャ720を使用して、または、図7もしくは図8に関して説明されたようなプリコーディング精緻化マネージャ740を使用して実行され得る。
【０２８４】
2515において、方法2500は、UEによるランダムアクセス手順の実行の間に、RARグラント、またはUEの初期PUSCH送信のためのDCIスケジューリング情報、またはこれらの組合せのうちの少なくとも1つを含む送信を送信するステップを含み得る。いくつかの例では、この送信は、UEのための精緻化されたプリコーディング設定の指示を含み得る。2515における動作は、図1、図7、図8、もしくは図10に関して説明されたようなワイヤレス通信マネージャ720を使用して、または、図7もしくは図8に関して説明されたようなランダムアクセスマネージャ735もしくはプリコーディング精緻化マネージャ740を使用して実行され得る。
【０２８５】
図26は、本開示の1つまたは複数の態様による、ネットワークアクセスデバイスにおけるワイヤレス通信のための方法2600の例を示すフローチャートである。明確にするために、方法2600は、図1、図2、図3、図4、もしくは図10に関して説明されたようなネットワークアクセスデバイス105の1つまたは複数の態様、図7に関して説明されたような装置705の態様、または図1、図7、図8、もしくは図10に関して説明されたようなワイヤレス通信マネージャ720のうちの1つまたは複数の態様に関して、以下で説明される。いくつかの例では、ネットワークアクセスデバイスは、以下で説明される機能を実行するようにネットワークアクセスデバイスの機能要素を制御するためのコードの1つまたは複数のセットを実行し得る。加えて、または代わりに、ネットワークアクセスデバイスは、専用ハードウェアを使用して、以下で説明される機能のうちの1つまたは複数を実行し得る。
【０２８６】
2605において、方法2600は、単一アンテナランダムアクセス手順と関連付けられるリソースの第1のセットの第1の指示と、複数アンテナランダムアクセス手順と関連付けられるリソースの第2のセットの第2の指示とを含む、システム情報を送信するステップを含み得る。2605における動作は、図1、図7、図8、もしくは図10に関して説明されたようなワイヤレス通信マネージャ720を使用して、または、図8に関して説明されたようなランダムアクセスリソース割振器805を使用して実行され得る。
【０２８７】
2610において、方法2600は、UEによって実行されるランダムアクセス手順の間に、リソースの第2のセット上でPRACHまたはePRACHのうちの少なくとも1つを受信するステップを含み得る。2610における動作はまた、ランダムアクセス手順の間に(たとえば、PRACHまたはePRACHを用いて)UEの少なくとも2つのアンテナからのプリコーダ選択信号を受信するステップを含み得る。いくつかの例では、プリコーダ選択信号は、図20、図21、または図22に関して説明されたように受信され得る。2610における動作は、図1、図7、図8、もしくは図10に関して説明されたようなワイヤレス通信マネージャ720を使用して、または、図7もしくは図8に関して説明されたようなランダムアクセスマネージャ735もしくはプリコーディング精緻化マネージャ740を使用して実行され得る。
【０２８８】
2615において、方法2600は、受信されたプリコーダ選択信号に少なくとも一部基づいてUEのための精緻化されたプリコーディング設定を特定するステップを含み得る。精緻化されたプリコーディング設定は、さらに、または代わりに、UEによって実行された以前のランダムアクセス手順の間に受信された、以前に受信されたプリコーダ選択信号に少なくとも一部基づき得る。2615における動作は、図1、図7、図8、もしくは図10に関して説明されたようなワイヤレス通信マネージャ720を使用して、または、図7もしくは図8に関して説明されたようなプリコーディング精緻化マネージャ740を使用して実行され得る。
【０２８９】
2620において、方法2600は、精緻化されたプリコーディング設定の指示をUEに送信するステップを含み得る。2620における動作は、図1、図7、図8、もしくは図10に関して説明されたようなワイヤレス通信マネージャ720を使用して、または、図7もしくは図8に関して説明されたようなランダムアクセスマネージャ735もしくはプリコーディング精緻化マネージャ740を使用して実行され得る。
【０２９０】
図19、図20、図21、図22、図23、図24、図25、および図26に関して説明されたような方法1900、2000、2100、2200、2300、2400、2500、および2600は、ワイヤレス通信を実現し得る。方法1900、2000、2100、2200、2300、2400、2500、および2600は例示的な実装形態にすぎず、方法1900、2000、2100、2200、2300、2400、2500、および2600の動作は、他の実装形態が可能であるように並べ替えられ、同じもしくは異なる方法の他の動作と組み合わされ、または別様に変更され得ることに留意されたい。動作はまた、方法1900、2000、2100、2200、2300、2400、2500、および2600に追加され得る。
【０２９１】
本明細書で説明された技法は、CDMA、TDMA、FDMA、OFDMA、SC-FDMA、および他のシステムなどの様々なワイヤレス通信システムのために使用され得る。「システム」および「ネットワーク」という用語は、しばしば互換的に使用される。CDMAシステムは、CDMA2000、Universal Terrestrial Radio Access (UTRA)などの無線技術を実装し得る。CDMA2000は、IS-2000規格、IS-95規格、およびIS-856規格を対象とする。IS-2000のリリース0およびAは、CDMA2000 1X、1Xなどと呼ばれることがある。IS-856(TIA-856)は、CDMA2000 1xEV-DO、High Rate Packet Data(HRPD)などと呼ばれることがある。UTRAは、広帯域CDMA(WCDMA(登録商標))、およびCDMAの他の変形を含む。TDMAシステムは、Global System for Mobile communications (GSM(登録商標))などの無線技術を実装し得る。OFDMAシステムは、Ultra Mobile Broadband (UMB)、Evolved UTRA (E-UTRA)、米国電気電子技術者協会(IEEE)802.11(Wi-Fi)、IEEE802.16(WiMAX)、IEEE802.20、Flash-OFDM(商標)などの無線技術を実装し得る。UTRAおよびE-UTRAは、Universal Mobile Telecommunication System (UMTS)の一部である。3GPP LTEおよびLTE-Aは、E-UTRAを使用するUMTSの新しいリリースである。UTRA、E-UTRA、UMTS、LTE、LTE-A、およびGSM(登録商標)は、3GPPと称する団体からの文書に記載されている。CDMA2000およびUMBは、「第3世代パートナーシッププロジェクト2」(3GPP2)と称する団体からの文書に記載されている。本明細書で説明された技法は、免許不要帯域幅または共有帯域幅を介したセルラー(たとえば、LTE)通信を含む、上述のシステムおよび無線技術、ならびに他のシステムおよび無線技術のために使用され得る。しかしながら、上の説明は、例としてLTE/LTE-Aシステムを説明し、上の説明の大部分においてLTE用語が使用されるが、技法はLTE/LTE-A適用例以外に適用可能である。
【０２９２】
添付の図面に関して上で説明された発明を実施するための形態は、例を説明しており、実装され得る例、または特許請求の範囲内にある例のすべてを表すとは限らない。この説明で使用される場合、「例」および「例示的」という用語は、「例、事例、または例示として機能すること」を意味し、「好ましい」または「他の例よりも有利である」ことを意味しない。発明を実施するための形態は、説明された技法の理解を与えるための具体的な詳細を含む。しかしながら、これらの技法は、これらの具体的な詳細を伴うことなく実践され得る。いくつかの事例では、説明された例の概念を不明瞭にすることを回避するために、よく知られている構造および装置が図の形式で示される。
【０２９３】
情報および信号は、様々な異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁場もしくは磁気粒子、光場もしくは光粒子、またはそれらの任意の組合せによって表され得る。
【０２９４】
本開示に関して説明された様々な例示的なブロックおよび構成要素は、汎用プロセッサ、デジタル信号プロセッサ(DSP)、ASIC、FPGAもしくは他のプログラマブル論理デバイス、個別ゲートもしくはトランジスタ論理、個別ハードウェア構成要素、または本明細書で説明された機能を実行するように設計されたそれらの任意の組合せを用いて実装または実行され得る。汎用プロセッサはマイクロプロセッサであってよいが、代替として、プロセッサは、任意の従来のプロセッサ、コントローラ、マイクロコントローラ、またはステートマシンであってよい。プロセッサはまた、コンピューティングデバイスの組合せ、たとえば、DSPとマイクロプロセッサとの組合せ、複数のマイクロプロセッサ、DSPコアと連携した1つもしくは複数のマイクロプロセッサ、または任意の他のそのような構成としても実装され得る。
【０２９５】
本明細書で説明された機能は、ハードウェア、プロセッサによって実行されるソフトウェア、ファームウェア、またはそれらの任意の組合せとして実装され得る。プロセッサによって実行されるソフトウェアで実装される場合、機能は、1つまたは複数の命令またはコードとして、コンピュータ可読媒体上に記憶され、またはコンピュータ可読媒体を介して送信され得る。他の例および実装形態が、本開示および添付の特許請求の範囲の範囲内および趣旨内にある。たとえば、ソフトウェアの性質に起因して、上で説明された機能は、プロセッサによって実行されるソフトウェア、ハードウェア、ファームウェア、ハードワイヤリング、またはこれらのうちのいずれかの組合せを使用して実装され得る。機能を実施する特徴は、機能の部分が異なる物理的位置において実装されるように分散されることを含めて、様々な場所に物理的に位置し得る。特許請求の範囲内を含む、本明細書で使用される「および/または」という用語は、2つ以上の項目の列挙において使用されるとき、列挙される項目のうちのいずれか1つが単独で利用され得ること、または列挙される項目のうちの2つ以上の任意の組合せが利用され得ることを意味する。たとえば、組成物が構成要素A、B、および/またはCを含むものとして説明される場合、組成物は、Aのみ、Bのみ、Cのみ、AとBの組合せ、AとCの組合せ、BとCの組合せ、またはA、B、およびCの組合せを含むことができる。また、特許請求の範囲内を含めて本明細書で使用される場合、項目の列挙(たとえば、「のうちの少なくとも1つ」または「のうちの1つまたは複数」などの句で終わる項目の列挙)において使用される「または」は、たとえば、項目の列挙「のうちの少なくとも1つ」を指す句が単一のメンバーを含むそれらの項目の任意の組合せを指すような包括的列挙を示す。例として、「A、B、またはCのうちの少なくとも1つ」は、A、B、C、A-B、A-C、B-C、およびA-B-C、ならびに複数の同じ要素を有する任意の組合せ(たとえば、A-A、A-A-A、A-A-B、A-A-C、A-B-B、A-C-C、B-B、B-B-B、B-B-C、C-C、およびC-C-C、または任意の他の順序のA、B、およびC)を包含するものとする。
【０２９６】
コンピュータ可読媒体は、非一時的コンピュータ記憶媒体と、ある場所から別の場所へのコンピュータプログラムの転送を容易にする任意の媒体を含む通信媒体の両方を含む。非一時的記憶媒体は、汎用コンピュータまたは専用コンピュータによってアクセスされ得る任意の利用可能な媒体であり得る。限定ではなく例として、非一時的コンピュータ可読媒体は、RAM、ROM、電気的消去可能プログラマブル読取り専用メモリ(EEPROM)、コンパクトディスク(CD)ROMまたは他の光ディスクストレージ、磁気ディスクストレージまたは他の磁気ストレージデバイス、あるいは、命令またはデータ構造の形態の所望のプログラムコード手段を搬送または記憶するために使用されることが可能であり、汎用もしくは専用コンピュータまたは汎用もしくは専用プロセッサによってアクセスされることが可能である任意の他の非一時的媒体を含むことができる。また、いかなる接続も適切にコンピュータ可読媒体と呼ばれる。たとえば、ソフトウェアが、同軸ケーブル、光ファイバケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用されるディスク(disk)およびディスク(disc)は、CD、レーザーディスク(登録商標)(disc)、光ディスク(disc)、デジタル多用途ディスク(disc)(DVD)、フロッピー(登録商標)ディスク(disk)およびBlu-ray(登録商標)ディスク(disc)を含み、ここで、ディスク(disk)は、通常、データを磁気的に再生し、ディスク(disc)は、データをレーザーで光学的に再生する。上記のもの組合せも、コンピュータ可読媒体の範囲内に含まれる。
【０２９７】
本明細書で使用される「に基づいて」という句は、条件の閉集合を指すものと解釈されるべきではない。たとえば、「条件Aに基づく」ものとして説明される例示的な特徴は、本開示の範囲から逸脱することなく、条件Aと条件Bの両方に基づくことがある。言い換えると、本明細書で使用される「に基づいて」という句は、「に少なくとも一部基づいて」という句と同じように解釈されるものとする。
【０２９８】
本開示のこれまでの説明は、当業者が本開示を作成または使用できるように与えられる。本開示の様々な修正が当業者に容易に明らかとなり、本明細書で定義される一般原理は、本開示の範囲から逸脱することなく他の変形に適用され得る。したがって、本開示は、本明細書で説明された例および設計に限定されるものではなく、本明細書で開示される原理および新規の技法と一致する最も広い範囲が与えられるべきである。
【符号の説明】
【０２９９】
105  ネットワークアクセスデバイス
115  UE
125  通信リンク
130  コアネットワーク
132  バックホールリンク
134  バックホールリンク
135  通信リンク
205  アンテナ
305  ランダムアクセスプリアンブル
310  ランダムアクセス応答メッセージ
315  初期PUSCH
320  コンテンション解決メッセージ
405  ランダムアクセスプリアンブル/データペイロード
410  ランダムアクセス応答メッセージ
510  受信機
515  装置
520  ワイヤレス通信マネージャ
530  送信機
535  ランダムアクセスマネージャ
540  プリコーダ選択信号送信マネージャ
545  プリコーディングマネージャ
605  MRS送信マネージャ
610  アンテナ回転マネージャ
615  プリコーダサイクリングマネージャ
620  ランダムアクセスリソース選択
705  装置
710  受信機
720  ワイヤレス通信マネージャ
730  送信機
735  ランダムアクセスマネージャ
740  プリコーディング精緻化マネージャ
805  ランダムアクセスリソース割振器
810  MRS受信マネージャ
815  アンテナ回転マネージャ
820  プリコーダサイクリングマネージャ
825  誤り率決定器
910  プロセッサ
920  メモリ
925  コード
930  トランシーバ
935  バス
940  アンテナ
1010  プロセッサ
1020  メモリ
1025  コード
1030  ネットワークアクセスデバイス通信器
1035  バス
1040  ネットワーク通信器
1050  トランシーバ
1055  アンテナ
【図１】
2019537295.tif 000003
【図２】
2019537295.tif 000004
【図３】
2019537295.tif 000005
【図４】
2019537295.tif 000006
【図５】
2019537295.tif 000007
【図６】
2019537295.tif 000008
【図７】
2019537295.tif 000009
【図８】
2019537295.tif 000010
【図９】
2019537295.tif 000011
【図１０】
2019537295.tif 000012
【図１１】
2019537295.tif 000013
【図１２】
2019537295.tif 000014
【図１３】
2019537295.tif 000015
【図１４】
2019537295.tif 000016
【図１５】
2019537295.tif 000017
【図１６】
2019537295.tif 000018
【図１７】
2019537295.tif 000019
【図１８】
2019537295.tif 000020
【図１９】
2019537295.tif 000021
【図２０】
2019537295.tif 000022
【図２１】
2019537295.tif 000023
【図２２】
2019537295.tif 000024
【図２３】
2019537295.tif 000025
【図２４】
2019537295.tif 000026
【図２５】
2019537295.tif 000027
【図２６】
2019537295.tif 000028
【国際調査報告】
2019537295.tif 000029
2019537295.tif 000030
2019537295.tif 000031
2019537295.tif 000032
2019537295.tif 000033
2019537295.tif 000034